(57)【特許請求の範囲】
【請求項１】
開始条件が成立したことに基づいて、各々が識別可能な複数種類の識別情報を可変表示する複数の表示部に該可変表示の表示結果として導出表示された識別情報の組合せが予め定められた特定の識別情報の組合せとなったときに、遊技者にとって有利な特定遊技状態に制御する遊技機であって、
付与される価値に応じて、前記複数の表示部に表示する識別情報の組合せを選択する識別情報選択手段と、
前記識別情報選択手段により選択される識別情報の組合せを表示する前に、表示部に表示される識別情報を予告する識別情報予告を実行可能な識別情報予告実行手段と、を備え、
前記識別情報予告実行手段は、前記識別情報予告として、前記複数の表示部のうち一の表示部に表示される識別情報を予告した後、所定期間が経過してから他の表示部に表示される識別情報を予告することが可能であり、
前記遊技機はさらに、
前記識別情報選択手段により選択される識別情報の組合せに応じて、前記所定期間として第１期間及び該第１期間よりも長い第２期間を含む複数種類の期間のうちから決定する期間決定手段を備え、
前記期間決定手段は、付与される価値が高い識別情報の組合せが前記識別情報選択手段により選択されるときには、該付与される価値が高い識別情報の組合せが選択されていないときよりも高い割合で前記第２期間を決定する、
ことを特徴とする遊技機。
【請求項２】
前記識別情報予告実行手段が予告する前記表示部の順序を、前記識別情報選択手段により選択される識別情報の組合せに応じて決定する予告順序決定手段をさらに備える、
ことを特徴とする請求項１に記載の遊技機。
【発明の詳細な説明】
【技術分野】
【０００１】
本発明は、各々を識別可能な複数種類の識別情報の可変表示を行い表示結果を導出表示する可変表示手段を備え、該可変表示手段の表示結果として導出表示された識別情報の組合せが予め定められた特定の識別情報の組合せとなったことに基づいて、遊技者にとって有利な特定遊技状態に制御する遊技機に関する。
【背景技術】
【０００２】
この種の遊技機として、遊技球などの遊技媒体を発射装置によって遊技領域に発射し、遊技領域に設けられている入賞口などの入賞領域に遊技媒体が入賞すると、所定個の賞球が遊技者に払い出されるものがある。また、入賞領域に遊技媒体が入賞する（始動条件が成立する）と識別情報を変動可能に表示（可変表示）する可変表示手段が設けられ、可変表示手段において識別情報の可変表示の表示結果が特定表示結果（大当り図柄）となった場合に遊技者にとって有利な特定遊技状態（大当り遊技状態）に制御可能になるように構成されたものがある。
【０００３】
また、例えば液晶表示器等の表示装置の表示画面に、演出図柄が可変表示可能な複数の演出図柄表示エリアが設けられ、これら複数の演出図柄表示エリアのうち最も早く演出図柄が仮停止表示される「左」の演出図柄表示エリアに演出図柄が仮停止表示された後、この「左」の演出図柄表示エリアに演出図柄が仮停止表示された後も演出図柄の変動表示が行われる「右」の演出図柄表示エリアに仮停止表示される演出図柄を予告する停止図柄予告演出が実行されるようにしたものがある（例えば、特許文献１参照）。
【先行技術文献】
【特許文献】
【０００４】
【特許文献１】特開２００９−６６１１５号公報
【発明の概要】
【発明が解決しようとする課題】
【０００５】
しかし、上記特許文献１に記載の遊技機では、一の演出図柄表示エリアに演出図柄が仮停止表示された後、他の演出図柄表示エリアに仮停止表示される演出図柄を予告するだけであるため、遊技者は予告通りの演出図柄が停止されるか否かに対する興味しか持てないという問題があった。
【０００６】
本発明は、このような問題点に着目してなされたもので、識別情報予告により予告された識別情報が導出表示されることだけでなく、予告される識別情報の種別に対する遊技者の期待感を高めることができる遊技機を提供することを目的とする。
【課題を解決するための手段】
【０００７】
前記課題を解決するために、本発明の請求項１に記載の遊技機は、
開始条件が成立したことに基づいて、各々が識別可能な複数種類の識別情報（例えば、演出図柄）を可変表示する複数の表示部（演出図柄表示エリア９Ｌ，９Ｃ，９Ｒ）に該可変表示の表示結果として導出表示された識別情報の組合せが予め定められた特定の識別情報の組合せ（大当り図柄の組合せ）となったときに、遊技者にとって有利な特定遊技状態（大当り遊技状態）に制御する遊技機（パチンコ遊技機１）であって、
付与される価値に応じて、前記複数の表示部に表示（例えば、最終停止表示や仮停止表示を含む）する識別情報の組合せを選択する識別情報選択手段（例えば、演出制御用ＣＰＵ１２０がステップＳ８２１にて演出図柄の停止図柄を決定する部分や、ステップＳ８４２にて仮停止図柄を決定する部分等）と、
前記識別情報選択手段により選択される識別情報の組合せを表示する前に、表示部に表示される識別情報を予告する識別情報予告（停止図柄予告演出）を実行可能な識別情報予告実行手段（演出制御用ＣＰＵ１２０が、ステップＳ８０２の図柄変動中処理において停止図柄予告演出を実行する部分、図２８参照）と、を備え、
前記識別情報予告実行手段は、前記識別情報予告として、前記複数の表示部のうち一の表示部に表示される識別情報を予告した後（例えば、「左」演出図柄表示エリア９Ｌに予告図柄を表示する）、所定期間（例えば、１秒、３秒、５秒）が経過してから他の表示部に表示される識別情報を予告する（例えば、「右」演出図柄表示エリア９Ｒに予告図柄を表示する）ことが可能であり、
前記遊技機はさらに、
前記識別情報選択手段により選択される識別情報の組合せに応じて、前記所定期間として第１期間（例えば、１秒）及び該第１期間よりも長い第２期間（例えば、３秒、５秒）を含む複数種類の期間のうちから決定する期間決定手段（演出制御用ＣＰＵ１２０が、ステップＳ８５４において予告図柄表示間隔を決定する部分）を備え、
前記期間決定手段は、付与される価値が高い識別情報の組合せが前記識別情報選択手段により選択されるときには、該付与される価値が高い識別情報の組合せが選択されていないときよりも高い割合で前記第２期間を決定する、
ことを特徴とする遊技機。
この特徴によれば、遊技者は付与される価値が高い識別情報の組合せが表示されることを期待できるばかりか、一の表示部に表示される識別情報が予告された後、他の表示部に表示される識別情報が予告されるまでの期間の違いにより、付与される価値が高い識別情報の組合せが予告されることに対する遊技者の興味を向上させることができる。
尚、付与される「価値」とは、例えば、特定遊技状態に制御されること、再変動表示されること、リーチ状態が成立すること、確変遊技状態に制御されること等、遊技者にとって有利な状態になる可能性（期待度）を含む。
本発明の請求項２に記載の遊技機は、請求項１に記載の遊技機であって、
前記識別情報予告実行手段が予告する前記表示部の順序を、前記識別情報選択手段により選択される識別情報の組合せに応じて決定する予告順序決定手段をさらに備える、
ことを特徴としている。
この特徴によれば、予告する表示部の順序を識別情報の組合せに応じて決定できる。
【０００８】
本発明の手段１に記載の遊技機は、請求項１に記載の遊技機であって、
前記識別情報選択手段は、前記識別情報の組合せとして、第１識別情報の組合せ（例えば、リーチを構成する予告図柄の組合せ）及び該第１識別情報の組合せよりも付与される価値が高い第２識別情報の組合せ（例えば、擬似連チャンス目を構成する予告図柄の組合せ）を選択可能であり、
前記期間決定手段は、前記識別情報選択手段により前記第２識別情報の組合せが選択されたときに前記所定期間として前記第１期間（例えば、１秒）よりも長い前記第２期間（例えば、３秒、５秒）に決定可能である、
ことを特徴としている。
この特徴によれば、一の表示部に表示させる識別情報が予告された後、他の表示部に表示させる識別情報が予告されるまでの期間が長いほど、第１識別情報の組合せよりも付与される価値が可能性が高い第２識別情報の組合せが予告される可能性が高まるので、遊技者の期待感を持続させることが可能となる。
【０００９】
本発明の手段２に記載の遊技機は、請求項１または手段１に記載の遊技機であって、
前記複数の表示部（演出図柄表示エリア９Ｌ，９Ｃ，９Ｒ）は、該複数の表示部のうち最も早く識別情報（例えば、演出図柄）が表示される第１表示部（例えば、演出図柄表示エリア９Ｌ）と、該第１表示部の次に識別情報が表示される第２表示部（例えば、演出図柄表示エリア９Ｒ）と、該第２表示部の次に識別情報が表示される第３表示部（例えば、演出図柄表示エリア９Ｃ）と、を少なくとも有し、
前記識別情報選択手段は、
前記識別情報の組合せとして、第１識別情報の組合せ（例えば、リーチを構成する予告図柄の組合せ）及び該第１識別情報の組合せよりも付与される価値が高い第２識別情報の組合せ（例えば、擬似連チャンス目を構成する予告図柄の組合せ）を選択可能であり、
前記第２表示部と前記第３表示部とに表示される前記識別情報の組合せを予告する場合、前記第１表示部と前記第２表示部とに表示される前記識別情報の組合せを予告する場合よりも高い割合で前記第２識別情報の組合せを選択する（例えば、演出制御用ＣＰＵ１２０が、擬似連演出の場合、滑り演出の場合よりも高い割合で予告図柄表示パターンとして「右」、「中」または「中」、「右」を決定する部分）、
ことを特徴としている。
この特徴によれば、第２表示部と第３表示部とに表示される識別情報の組合せが予告される場合、第１表示部と第２表示部とに表示される識別情報の組合せが予告される場合より、第１識別情報の組合せよりも価値が高い第２識別情報の組合せが予告される可能性が高まるので、遊技者の期待感を持続させることが可能となる。
尚、前記第２表示部と前記第３表示部とに表示される前記識別情報の組合せを予告する場合、前記第１表示部と前記第２表示部とに表示される前記識別情報の組合せを予告する場合よりも高い割合で前記第２識別情報の組合せを選択するとは、前記第２表示部と前記第３表示部とに表示される前記識別情報の組合せを予告する場合に１００％の割合で前記第２識別情報の組合せを選択することを含む。
【００１０】
本発明の手段３に記載の遊技機は、請求項１、手段１、手段２のいずれかに記載の遊技機であって、
前記特定遊技状態において付与される特典（例えば、ラウンド数）が異なる複数種類の特定遊技状態（例えば、確変大当りＡ，Ｂ、通常大当りＣ）のうちからいずれかを決定可能な特定遊技状態種別決定手段と、
前記識別情報予告実行手段が予告する前記表示部の順序を、前記特定遊技状態種別決定手段が決定した種別に応じて決定する予告順序決定手段（例えば、演出制御用ＣＰＵ１２０が、確変大当りＡの場合、通常大当りＣの場合よりも高い割合で予告図柄表示パターンとして「右」、「左」を決定する部分）と、を備える、
ことを特徴としている。
この特徴によれば、特定遊技状態に制御することが決定された場合、識別情報予告実行手段が予告する表示部の順序が、該特定遊技状態において付与される特典に応じて異なることで、遊技者はいずれの表示部から識別情報が予告されるかに注目するようになるため、識別情報予告の興趣が向上する。
【００１１】
本発明の手段４に記載の遊技機は、請求項１または手段１〜３のいずれかに記載の遊技機であって、
前記識別情報（例えば、演出図柄）の可変表示が開始されてから、前記複数の表示部（演出図柄表示エリア９Ｌ，９Ｃ，９Ｒ）のうち少なくとも二つの表示部に同一種類の前記識別情報が導出表示されることにより前記特定の識別情報の組合せ（大当り図柄の組合せ）のリーチ状態を成立させるリーチ用可変表示パターン（例えば、ノーマルＰＡ２−３やスーパーＰＢ３−４等）を含む前記識別情報の可変表示パターンを決定する可変表示パターン決定手段（遊技制御用ＣＰＵ５６が、ステップＳ３０１の変動パターン設定処理において変動パターンを決定する部分）と、
前記可変表示パターン決定手段が決定した可変表示パターンを用いて前記識別情報の可変表示を実行する可変表示制御手段（演出制御用ＣＰＵ１２０が、ステップＳ８０２の演出図柄変動中処理において演出図柄の変動処理を実行する部分）と、を備え、
前記予告識別情報選択手段は、前記事前決定手段が前記特定遊技状態に制御しないことを決定し、かつ、前記可変表示パターン決定手段が前記識別情報の可変表示パターンとして前記リーチ用可変表示パターン（例えば、リーチはずれを伴う変動パターン）を決定した場合、前記二つの表示部以外の表示部に導出表示される前記識別情報を予告しない予告識別情報の組合せを選択する（例えば、演出制御用ＣＰＵ１２０が、リーチ演出の場合、予告図柄表示パターンとして「右」、「中」や「中」、「右」を決定しない部分）、
ことを特徴としている。
この特徴によれば、二つの表示部以外の表示部に表示される識別情報を予告することで、リーチ状態が成立したときに、残りの表示部に表示される識別情報が特定の識別情報の組合せを構成する識別情報ではないことが予測され、表示結果が表示される前に遊技者の期待感が減衰してしまうことを防止できる。
【図面の簡単な説明】
【００１２】
【図１】パチンコ遊技機を正面からみた正面図である。
【図２】遊技制御基板（主基板）の回路構成例を示すブロック図である。
【図３】演出制御基板、音声出力基板等の各基板およびの回路構成例を示すブロック図である。
【図４】主基板におけるＣＰＵが実行するメイン処理を示すフローチャートである。
【図５】２ｍｓタイマ割込処理を示すフローチャートである。
【図６】あらかじめ用意された演出図柄の変動パターンを示す説明図である。
【図７】各乱数を示す説明図である。
【図８】大当り判定テーブル、小当り判定テーブルおよび大当り種別判定テーブルを示す説明図である。
【図９】大当り用変動パターン種別判定テーブル並びに小当り用変動パターン種別判定テーブルを示す説明図である。
【図１０】はずれ用変動パターン種別判定テーブルを示す説明図である。
【図１１】当り変動パターン判定テーブルを示す説明図である。
【図１２】はずれ変動パターン判定テーブルを示す説明図である。
【図１３】演出制御コマンドの内容の一例を示す説明図である。
【図１４】演出制御コマンドの内容の一例を示す説明図である。
【図１５】特別図柄プロセス処理のプログラムの一例を示すフローチャートである。
【図１６】特別図柄プロセス処理のプログラムの一例を示すフローチャートである。
【図１７】演出制御用ＣＰＵが実行する演出制御メイン処理を示すフローチャートである。
【図１８】コマンド受信バッファの構成例を示す説明図である。
【図１９】演出制御用ＣＰＵが使用する乱数を示す説明図である。
【図２０】図柄変動制御パターンテーブルを示す説明図である。
【図２１】（ａ）は滑り決定時の予告図柄表示パターン決定テーブル、（ｂ）は擬似連決定時の予告図柄表示パターン決定テーブルを示す説明図である。
【図２２】予告図柄表示間隔決定テーブルを示す説明図である。
【図２３】（ａ）は滑り時の予告図柄の表示状態、（ｂ）は擬似連時の予告図柄の表示状態の一例を示すタイミングチャートである。
【図２４】演出制御プロセス処理を示すフローチャートである。
【図２５】演出図柄変動開始処理を示すフローチャートである。
【図２６】特定演出設定処理を示すフローチャートである。
【図２７】停止図柄予告演出設定処理を示すフローチャートである。
【図２８】滑り時の停止図柄予告演出の一例を示す説明図である。
【図２９】擬似連時の停止図柄予告演出の一例を示す説明図である。
【図３０】変形例としての停止図柄予告演出を示す説明図である。
【図３１】他の変形例としての停止図柄予告演出を示す説明図である。
【発明を実施するための形態】
【００１３】
本発明に係る遊技機を実施するための形態を実施例に基づいて以下に説明する。
【実施例１】
【００１４】
まず、遊技機の一例であるパチンコ遊技機１の全体の構成について説明する。図１は、パチンコ遊技機１を正面からみた正面図である。図２は、パチンコ遊技機を示す背面図である。図３は、主基板における回路構成の一例を示すブロック図である。尚、以下の説明において、図１の手前側をパチンコ遊技機１の前面側、奥側を背面側として説明する。尚、本実施例におけるパチンコ遊技機１の前面とは、遊技者側からパチンコ遊技機１を見たときに該遊技者と対向する対向面である。
【００１５】
パチンコ遊技機１は、図１、図２に示すように、縦長の方形枠状に形成された外枠１００と、外枠１００に開閉可能に取り付けられた前面枠１０１と、で主に構成されている。前面枠１０１の前面には、ガラス扉枠１０２及び下扉枠１０３がそれぞれ左側辺を中心に開閉可能に設けられている。
【００１６】
下扉枠１０３の下部表面には打球供給皿（上皿）３がある。打球供給皿３の下部には、打球供給皿３に収容しきれない遊技球を貯留する余剰球受皿４や、打球を発射する打球操作ハンドル（操作ノブ）５が設けられている。この上皿３の下方には、後述する操作レバー６００が揺動自在に軸支されるとともに、その上方位置には、遊技者が押下操作などにより所定の指示操作を可能なプッシュボタン５１６が設けられている。プッシュボタン５１６は、プッシュボタン５１６は、遊技者からの押下操作などによる所定の指示操作を、機械的、電気的、あるいは、電磁的に、検出できるように構成されていればよい。プッシュボタン５１６の設置位置における上皿の本体内部などには、プッシュボタン５１６に対してなされた遊技者の操作行為を検知するボタンスイッチ５１６ａ（図３を参照）が設けられていればよい。
【００１７】
操作レバー６００のパチンコ遊技機１内方側には、送風口が設けられていることで、操作レバー６００を操作する遊技者の手に対し、演出に応じて送風するとともにバイブレータを動作させて振動させることにより臨場感を高めることができるようになっている。
【００１８】
ガラス扉枠１０２の背面には、遊技盤６が前面枠１０１に対して着脱可能に取り付けられている。
【００１９】
ガラス扉枠１０２の背面には、前面枠１０１に対して着脱可能に取り付けられた遊技盤６が配置されている。尚、遊技盤６は、それを構成する板状体と、その板状体に取り付けられた種々の部品とを含む構造体である。また、遊技盤６の前面には遊技領域７が形成されている。
【００２０】
遊技領域７の中央付近には、それぞれが演出用の演出図柄（飾り図柄とも言う）を可変表示する複数の可変表示部を含む演出表示装置（演出図柄表示装置）９が設けられている。演出表示装置９には、例えば「左」、「中」、「右」の３つの可変表示部（演出図柄表示エリア９Ｌ，９Ｃ，９Ｒ）がある。演出表示装置９は、第１特別図柄表示器８ａまたは第２特別図柄表示器８ｂによる特別図柄の可変表示期間中に、装飾用（演出用）の図柄としての演出図柄の可変表示を行う。演出図柄の可変表示を行う演出表示装置９は、演出制御基板８０に搭載されている演出制御用マイクロコンピュータ１００によって制御される。
【００２１】
遊技盤６における右側下部位置には、第１識別情報としての第１特別図柄を可変表示する第１特別図柄表示器（第１可変表示手段）８ａが設けられている。この実施例では、第１特別図柄表示器８ａは、０〜９の数字を可変表示可能な簡易で小型の表示器（例えば７セグメントＬＥＤ）で実現されている。すなわち、第１特別図柄表示器８ａは、０〜９の数字（または、記号）を可変表示するように構成されている。また、第１特別図柄表示器８ａの上方位置には、第２識別情報としての第２特別図柄を可変表示する第２特別図柄表示器（第２可変表示手段）８ｂが設けられている。第２特別図柄表示器８ｂは、０〜９の数字を可変表示可能な簡易で小型の表示器（例えば７セグメントＬＥＤ）で実現されている。すなわち、第２特別図柄表示器８ｂは、０〜９の数字（または、記号）を可変表示するように構成されている。
【００２２】
この実施例では、第１特別図柄の種類と第２特別図柄の種類とは同じ（例えば、ともに０〜９の数字）であるが、種類が異なっていてもよい。また、第１特別図柄表示器８ａおよび第２特別図柄表示器８ｂは、それぞれ、例えば２つの７セグメントＬＥＤ等を用いて００〜９９の数字（または、２桁の記号）を可変表示するように構成されていてもよい。
【００２３】
以下、第１特別図柄と第２特別図柄とを特別図柄と総称することがあり、第１特別図柄表示器８ａと第２特別図柄表示器８ｂとを特別図柄表示器と総称することがある。
【００２４】
第１特別図柄の可変表示は、可変表示の実行条件である第１始動条件が成立（例えば、遊技球が第１始動入賞口１３に入賞したこと）した後、可変表示の開始条件（例えば、保留記憶数が０でない場合であって、第１特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。また、第２特別図柄の可変表示は、可変表示の実行条件である第２始動条件が成立（例えば、遊技球が第２始動入賞口１４に入賞したこと）した後、可変表示の開始条件（例えば、保留記憶数が０でない場合であって、第２特別図柄の可変表示が実行されていない状態であり、かつ、大当り遊技が実行されていない状態）が成立したことにもとづいて開始され、可変表示時間（変動時間）が経過すると表示結果（停止図柄）を導出表示する。尚、入賞とは、入賞口などのあらかじめ入賞領域として定められている領域に遊技球が入ったことである。また、表示結果を導出表示するとは、図柄（識別情報の例）を最終的に停止表示させることである。
【００２５】
演出表示装置９は、第１特別図柄表示器８ａでの第１特別図柄の可変表示時間中、および第２特別図柄表示器８ｂでの第２特別図柄の可変表示時間中に、装飾用（演出用）の図柄としての演出図柄（演出図柄ともいう）の可変表示を行う。第１特別図柄表示器８ａにおける第１特別図柄の可変表示と、演出表示装置９における演出図柄の可変表示とは同期している。また、第２特別図柄表示器８ｂにおける第２特別図柄の可変表示と、演出表示装置９における演出図柄の可変表示とは同期している。同期とは、可変表示の開始時点および終了時点がほぼ同じ（全く同じでもよい。）であって、可変表示の期間がほぼ同じ（全く同じでもよい。）であることをいう。また、第１特別図柄表示器８ａにおいて大当り図柄が停止表示されるときと、第２特別図柄表示器８ｂにおいて大当り図柄が停止表示されるときには、演出表示装置９において大当りを想起させるような演出図柄の組合せが停止表示される。
【００２６】
演出表示装置９の下方には、第１始動入賞口１３を有する入賞装置が設けられている。第１始動入賞口１３に入賞した遊技球は、遊技盤６の背面に導かれ、第１始動口スイッチ１３ａ（例えば、近接スイッチ）及び第１入賞確認スイッチ１３ｂ（例えば、フォトセンサ）によって検出される。
【００２７】
また、第１始動入賞口（第１始動口）１３を有する入賞装置の下側には、遊技球が入賞可能な第２始動入賞口１４を有する可変入賞球装置１５が設けられている。第２始動入賞口（第２始動口）１４に入賞した遊技球は、遊技盤６の背面に導かれ、第２始動口スイッチ１４ａ（例えば、近接スイッチ）及び第２入賞確認スイッチ１４ｂ（例えば、フォトセンサ）によって検出される。可変入賞球装置１５は、ソレノイド１６によって開状態とされる。可変入賞球装置１５が開状態になることによって、遊技球が第２始動入賞口１４に入賞可能になり（始動入賞し易くなり）、遊技者にとって有利な状態になる。可変入賞球装置１５が開状態になっている状態では、第１始動入賞口１３よりも、第２始動入賞口１４に遊技球が入賞しやすい。また、可変入賞球装置１５が閉状態になっている状態では、遊技球は第２始動入賞口１４に入賞しない。尚、可変入賞球装置１５が閉状態になっている状態において、入賞はしづらいものの、入賞することは可能である（すなわち、遊技球が入賞しにくい）ように構成されていてもよい。
【００２８】
また、第１始動口スイッチ１３ａと第１入賞確認スイッチ１３ｂの検出結果及び第２始動口スイッチ１４ａと第２入賞確認スイッチ１４ｂの検出結果にもとづいて異常入賞の発生の有無が判定され、異常入賞の発生を検出したことにもとづいてセキュリティ信号が外部出力される。
【００２９】
以下、第１始動入賞口１３と第２始動入賞口１４とを総称して始動入賞口または始動口ということがある。
【００３０】
可変入賞球装置１５が開放状態に制御されているときには可変入賞球装置１５に向かう遊技球は第２始動入賞口１４に極めて入賞しやすい。そして、第１始動入賞口１３は演出表示装置９の直下に設けられているが、演出表示装置９の下端と第１始動入賞口１３との間の間隔をさらに狭めたり、第１始動入賞口１３の周辺で釘を密に配置したり、第１始動入賞口１３の周辺での釘配列を、遊技球を第１始動入賞口１３に導きづらくして、第２始動入賞口１４の入賞率の方を第１始動入賞口１３の入賞率よりもより高くするようにしてもよい。
【００３１】
第２特別図柄表示器８ｂの上部には、第１始動入賞口１３に入った有効入賞球数すなわち第１保留記憶数（保留記憶を、始動記憶または始動入賞記憶ともいう。）を表示する第１特別図柄保留記憶表示部と、該第１特別図柄保留記憶表示部とは別個に設けられ、第２始動入賞口１４に入った有効入賞球数すなわち第２保留記憶数を表示する第２特別図柄保留記憶表示部と、が設けられた例えば７セグメントＬＥＤからなる特別図柄保留記憶表示器１８が設けられている。第１特別図柄保留記憶表示部は、第１保留記憶数を入賞順に４個まで表示し、有効始動入賞がある毎に、点灯する表示器の数を１増やす。そして、第１特別図柄表示器８ａでの可変表示が開始される毎に、点灯する表示器の数を１減らす。また、第２特別図柄保留記憶表示部は、第２保留記憶数を入賞順に４個まで表示し、有効始動入賞がある毎に、点灯する表示器の数を１増やす。そして、第２特別図柄表示器８ｂでの可変表示が開始される毎に、点灯する表示器の数を１減らす。尚、この例では、第１始動入賞口１３への入賞による始動記憶数及び第２始動入賞口１４への入賞による始動記憶数に上限数（４個まで）が設けられているが、上限数を４個以上にしてもよい。
【００３２】
また、演出表示装置９の表示画面には、第１保留記憶数を表示する第１保留記憶表示部（図１参照）と、第２保留記憶数を表示する第２保留記憶表示部（図１参照）とが設けられている。尚、第１保留記憶数と第２保留記憶数との合計である合計数（合算保留記憶数）を表示する領域（合算保留記憶表示部）が設けられるようにしてもよい。そのように、合計数を表示する合算保留記憶表示部が設けられているようにすれば、可変表示の開始条件が成立していない実行条件の成立数の合計を把握しやすくすることができる。
【００３３】
尚、この実施例では、図１に示すように、第２始動入賞口１４に対してのみ開閉動作を行う可変入賞球装置１５が設けられているが、第１始動入賞口１３および第２始動入賞口１４のいずれについても開閉動作を行う可変入賞球装置が設けられている構成であってもよい。
【００３４】
また、図１に示すように、可変入賞球装置１５の下方には、特別可変入賞球装置２０が設けられている。特別可変入賞球装置２０は大入賞口扉を備え、第１特別図柄表示器８ａに特定表示結果（大当り図柄）が導出表示されたとき、および第２特別図柄表示器８ｂに特定表示結果（大当り図柄）が導出表示されたときに生起する特定遊技状態（大当り遊技状態）においてソレノイド２１によって大入賞口扉が開放状態に制御されることによって、入賞領域となる大入賞口が開放状態になる。大入賞口に入賞した遊技球はカウントスイッチ２３（例えば、近接スイッチ）及び第３入賞確認スイッチ２３ａ（例えば、フォトセンサ）で検出される。
【００３５】
カウントスイッチ２３によって遊技球が検出されたことに基づき、所定個数（例えば１５個）の遊技球が賞球として払い出される。こうして、特別可変入賞球装置２０において開放状態となった大入賞口を遊技球が通過（進入）したときには、例えば第１始動入賞口１３や第２始動入賞口１４といった、他の入賞口を遊技球が通過（進入）したときよりも多くの賞球が払い出される。したがって、特別可変入賞球装置２０において大入賞口が開放状態となれば、遊技者にとって有利な第１状態となる。その一方で、特別可変入賞球装置２０において大入賞口が閉鎖状態となれば、大入賞口に遊技球を通過（進入）させて賞球を得ることができないため、遊技者にとって不利な第２状態となる。
【００３６】
第１特別図柄表示器８ａの右側には、普通図柄表示器１０が設けられている。普通図柄表示器１０は、例えば２つのランプからなる。遊技球がゲート３２を通過しゲートスイッチ３２ａで検出されると、普通図柄表示器１０の表示の可変表示が開始される。この実施例では、上下のランプ（点灯時に図柄が視認可能になる）が交互に点灯することによって可変表示が行われ、例えば、可変表示の終了時に下側のランプが点灯すれば当りとなる。そして、普通図柄表示器１０の下側のランプが点灯して当りである場合に、可変入賞球装置１５が所定回数、所定時間だけ開状態になる。すなわち、可変入賞球装置１５の状態は、下側のランプが点灯して当りである場合に、遊技者にとって不利な状態から有利な状態（第２始動入賞口１４に遊技球が入賞可能な状態）に変化する。特別図柄保留記憶表示器１８の上部には、ゲート３２を通過した入賞球数を表示する４つの表示部（例えば、７セグメントＬＥＤのうち４つのセグメント）を有する普通図柄保留記憶表示器４１が設けられている。ゲート３２への遊技球の通過がある毎に、すなわちゲートスイッチ３２ａによって遊技球が検出される毎に、普通図柄保留記憶表示器４１は点灯する表示部を１増やす。そして、普通図柄表示器１０の可変表示が開始される毎に、点灯する表示部を１減らす。
【００３７】
尚、７セグメントＬＥＤからなる普通図柄保留記憶表示器４１には、ゲート３２を通過した入賞球数を表示する４つの表示部（セグメント）とともに、例えば大当り時における特別可変入賞球装置２０の開放回数（大当りラウンド数）を示す２つの表示部（セグメント）、及び遊技状態を示す２つの表示部（セグメント）が設けられているが、これら表示部を普通図柄保留記憶表示部とは別個の表示器にて構成してもよい。また、普通図柄表示器１０は、普通図柄と呼ばれる複数種類の識別情報（例えば、「○」および「×」）を可変表示可能なセグメントＬＥＤ等にて構成してもよい。
【００３８】
特別可変入賞球装置２０の周辺には普通入賞装置の入賞口２９ａ〜２９ｄが設けられ、入賞口２９ａ，２９ｃに入賞した遊技球は入賞口スイッチ３０ａによって検出され、入賞口２９ｂ，２９ｄに入賞した遊技球は入賞口スイッチ３０ｂによって検出される。各入賞口２９ａ〜２９ｄは、遊技球を受け入れて入賞を許容する領域として遊技盤６に設けられる入賞領域を構成している。尚、第１始動入賞口１３、第２始動入賞口１４や大入賞口も、遊技球を受け入れて入賞を許容する入賞領域を構成する。
【００３９】
第１始動入賞口１３内には、始動入賞口内に入賞した遊技球を検出可能な２つのスイッチ（第１始動口スイッチ１３ａと第１入賞確認スイッチ１３ｂ）が設けられている。この実施例では、第１始動入賞口１３内で、第１始動口スイッチ１３ａと第１入賞確認スイッチ１３ｂとが上下に配置されている（本例では、第１始動口スイッチ１３ａが上側に配置され、第１入賞確認スイッチ１３ｂが下側に配置されている）。従って、この実施例では、第１始動入賞口１３内に入賞した遊技球は、遊技盤６の背面に導かれ、まず第１始動口スイッチ１３ａで検出され、次いで第１入賞確認スイッチ１３ｂで検出される。
【００４０】
また、第２始動入賞口１４内には、始動入賞口内に入賞した遊技球を検出可能な２つのスイッチ（第２始動口スイッチ１４ａと第２入賞確認スイッチ１４ｂ）が設けられている。この実施例では、第２始動入賞口１４内で、第２始動口スイッチ１４ａと第２入賞確認スイッチ１４ｂとが上下に配置されている（本例では、第２始動口スイッチ１４ａが上側に配置され、第２入賞確認スイッチ１４ｂが下側に配置されている）。従って、この実施例では、第２始動入賞口１４内に入賞した遊技球は、遊技盤６の背面に導かれ、まず第２始動口スイッチ１４ａで検出され、次いで第２入賞確認スイッチ１４ｂで検出される。
【００４１】
また、大入賞口内には、大入賞口内に入賞した遊技球を検出可能な２つのスイッチ（カウントスイッチ２３と第３入賞確認スイッチ２３ａ）が設けられている。この実施例では、大入賞口内で、カウントスイッチ２３と第３入賞確認スイッチ２３ａとが配置されている（本例では、カウントスイッチ２３が上側に配置され、第３入賞確認スイッチ２３ａが下側に配置されている）。従って、この実施例では、大入賞口内に入賞した遊技球は、遊技盤６の背面に導かれ、まずカウントスイッチ２３で検出され、次いで第３入賞確認スイッチ２３ａで検出される。
【００４２】
また、第１始動口スイッチ１３ａと第１入賞確認スイッチ１３ｂ、第２始動口スイッチ１４ａと第２入賞確認スイッチ１４ｂ、カウントスイッチ２３と第３入賞確認スイッチ２３ａとして、それぞれ異なる検出方式のスイッチが用いられる。この実施例では、第１始動口スイッチ１３ａ、第２始動口スイッチ１４ａおよびカウントスイッチ２３として近接スイッチを用い、第１入賞確認スイッチ１３ｂ、第２入賞確認スイッチ１４ｂ、第３入賞確認スイッチ２３ａとしてフォトセンサを用いている。
【００４３】
また、第１始動口スイッチ１３ａによって遊技球が検出されたことにもとづいて、第１特別図柄の変動表示が開始され、賞球払出が実行される。また、第２始動口スイッチ１４ａによって遊技球が検出されたことにもとづいて、第２特別図柄の変動表示が開始され、賞球払出が実行される。また、カウントスイッチ２３によって遊技球が検出されたことにもとづいて、賞球払出が実行される。また、第１始動口スイッチ１３ａによる検出結果に加えて第１入賞確認スイッチ１３ｂの検出結果にもとづいて異常入賞の発生の有無が判定され、異常入賞の発生を検出したことにもとづいてセキュリティ信号が外部出力される。また、第２始動口スイッチ１４ａによる検出結果に加えて第２入賞確認スイッチ１４ｂの検出結果にもとづいて異常入賞の発生の有無が判定され、異常入賞の発生を検出したことにもとづいてセキュリティ信号が外部出力される。また、カウントスイッチ２３による検出結果に加えて第３入賞確認スイッチ２３ａの検出結果にもとづいて異常入賞の発生の有無が判定され、異常入賞の発生を検出したことにもとづいてセキュリティ信号が外部出力される。従って、第１入賞確認スイッチ１３ｂ、第２入賞確認スイッチ１４ｂ、第３入賞確認スイッチ２３ａは、異常入賞の判定のみに用いられる。
【００４４】
このように、第１始動口スイッチ１３ａ、第２始動口スイッチ１４ａ、カウントスイッチ２３は近接スイッチを用いて構成し、第１〜第３入賞確認スイッチ１３ｂ，１４ｂ，２３ａはフォトセンサを用いているが、第１始動口スイッチ１３ａと第１入賞確認スイッチ１３ｂ、第２始動口スイッチ１４ａと第２入賞確認スイッチ１４ｂ、カウントスイッチ２３と第３入賞確認スイッチ２３ａの検出方式はこの実施例で示したものにかぎらず、例えば、第１，２始動口スイッチ１３ａ，１４ａ及びカウントスイッチ２３と、第１〜３入賞確認スイッチ１３ｂ，１４ｂ，２３ａとで異なる検出方式であれば、逆に第１，２始動口スイッチ１３ａ，１４ａ及びカウントスイッチ２３としてフォトセンサを用い、第１〜３入賞確認スイッチ１３ｂ，１４ｂ，２３ａとして近接スイッチを用いてもよい。この場合、フォトセンサである第１，２始動口スイッチ１３ａ，１４ａ及びカウントスイッチ２３の検出結果にもとづいて特別図柄の変動表示や賞球払出処理が実行され、近接スイッチである第１〜３入賞確認スイッチ１３ｂ，１４ｂ，２３ａの検出結果は、第１始動入賞口１３、第２始動入賞口１４、大入賞口の異常入賞の判定のみに用いられることになる。また、例えば、電磁式のスイッチである近接スイッチや光学式のフォトセンサに代えて、第１，２始動口スイッチ１３ａ，１４ａ及びカウントスイッチ２３または第１〜３入賞確認スイッチ１３ｂ，１４ｂ，２３ａとして、機械式のスイッチ（マイクロスイッチなど）を用いてもよい。
【００４５】
また、この実施例では、特別図柄の変動表示や賞球払出処理の実行の契機となる第１，２始動口スイッチ１３ａ，１４ａ，カウントスイッチ２３は、異常入賞の判定に用いられる第１〜３入賞確認スイッチ１３ｂ，１４ｂ，２３ａよりも上流側に設けられていたが、異常入賞の判定に用いられるスイッチの下流側に設けてもよい。
【００４６】
そして遊技制御用マイクロコンピュータ１５６は、第１始動口スイッチ１３ａ（近接スイッチ）から入力した検出信号と第１入賞確認スイッチ１３ｂ（フォトセンサ）から入力した検出信号とにもとづいて、第１始動口スイッチ１３ａにて検出された遊技球数と第１入賞確認スイッチ１３ｂにて検出された遊技球数との差が所定の閾値を超えた（本例では、１５以上となった）と判定すると、所定のエラーとして、第１始動入賞口１３への異常入賞が発生したと判定する。また、第２始動口スイッチ１４ａ（近接スイッチ）から入力した検出信号と第２入賞確認スイッチ１４ｂ（フォトセンサ）から入力した検出信号とにもとづいて、第２始動口スイッチ１４ａにて検出された遊技球数と第２入賞確認スイッチ１４ｂにて検出された遊技球数との差が所定の閾値を超えた（本例では、１５以上となった）と判定すると、所定のエラーとして、第２始動入賞口１４への異常入賞が発生したと判定する。また、カウントスイッチ２３（近接スイッチ）から入力した検出信号と第３入賞確認スイッチ２３ａ（フォトセンサ）から入力した検出信号とにもとづいて、カウントスイッチ２３にて検出された遊技球数と第３入賞確認スイッチ２３ａにて検出された遊技球数との差が所定の閾値を超えた（本例では、５以上となった）と判定すると、所定のエラーとして、大入賞口への異常入賞が発生したと判定する。
【００４７】
このように、第１始動口スイッチ１３ａと第１入賞確認スイッチ１３ｂ、第２始動口スイッチ１４ａと第２入賞確認スイッチ１４ｂ、カウントスイッチ２３と第３入賞確認スイッチ２３ａと、を互いに異なる検出方式のセンサ（本例では、近接スイッチとフォトセンサ）により構成していることで、例えば電磁波などを用いて第１始動入賞口１３、第２始動入賞口１４、大入賞口への入賞数が実際の入賞数よりも多くなるように認識させるような不正行為が行われた場合に、近接スイッチにて検出された遊技球数とフォトスイッチにて検出された遊技球数とに差が生じ、遊技制御用マイクロコンピュータ１５６はこの差球数が所定の閾値を超えた場合に異常入賞が発生したと判定するため、確実な不正行為対策を講ずることができる。
【００４８】
遊技領域７には、遊技状態に応じて発光する複数の装飾ＬＥＤ２５ａ、２５ｂを有する装飾部材２５Ｌ，２５Ｒが設けられ、下部には、入賞しなかった遊技球を回収するアウト口２６がある。
【００４９】
遊技領域７の外側の左右上下部には、効果音を発する４つのスピーカ２７が設けられている。遊技領域７の外周には、回転体用ＬＥＤ等の各種ＬＥＤが内蔵される天ランプモジュール５３０と、左枠ＬＥＤ２８ｂ（図３参照）が内蔵される左発光部２８Ｌおよび右枠ＬＥＤ２８ｃ（図３参照）が内蔵される右発光部２８Ｒが設けられている。さらに、遊技領域７における各構造物（大入賞口等）の周囲には装飾ＬＥＤが設置されている。これら回転体用ＬＥＤ、左枠ＬＥＤ２８ｂおよび右枠ＬＥＤ２８ｃおよび装飾用ＬＥＤは、パチンコ遊技機１に設けられている装飾発光体の一例である。
【００５０】
図１および図２では、図示を省略しているが、左枠ＬＥＤ２８ｂの近傍に、賞球払出中に点灯する賞球ＬＥＤ５１が設けられ、天ランプモジュール５３０の近傍に、補給球が切れたときに点灯する球切れＬＥＤ５２が設けられている。尚、賞球ＬＥＤ５１および球切れＬＥＤ５２は、賞球の払出中である場合や球切れが検出された場合に、演出制御基板に搭載された演出制御用マイクロコンピュータ１００によって点灯制御される。さらに、特に図示はしないが、プリペイドカードが挿入されることによって球貸しを可能にするプリペイドカードユニット（以下、「カードユニット」という。）５０が、パチンコ遊技機１に隣接して設置されている。
【００５１】
遊技者の操作により打球発射装置から発射された遊技球は、打球レールを通って遊技領域７に入り、その後、遊技領域７を下りてくる。遊技球が第１始動入賞口１３に入り第１始動口スイッチ１３ａで検出されると、第１特別図柄の可変表示を開始できる状態であれば（例えば、特別図柄の可変表示が終了し、第１の開始条件が成立したこと）、第１特別図柄表示器８ａにおいて第１特別図柄の可変表示（変動）が開始されるとともに、演出表示装置９において演出図柄（飾り図柄）の可変表示が開始される。すなわち、第１特別図柄および演出図柄の可変表示は、第１始動入賞口１３への入賞に対応する。第１特別図柄の可変表示を開始できる状態でなければ、第１保留記憶数が上限値に達していないことを条件として、第１保留記憶数を１増やす。
【００５２】
遊技球が第２始動入賞口１４に入り第２始動口スイッチ１４ａで検出されると、第２特別図柄の可変表示を開始できる状態であれば（例えば、特別図柄の可変表示が終了し、第２の開始条件が成立したこと）、第２特別図柄表示器８ｂにおいて第２特別図柄の可変表示（変動）が開始されるとともに、演出表示装置９において演出図柄（飾り図柄）の可変表示が開始される。すなわち、第２特別図柄および演出図柄の可変表示は、第２始動入賞口１４への入賞に対応する。第２特別図柄の可変表示を開始できる状態でなければ、第２保留記憶数が上限値に達していないことを条件として、第２保留記憶数を１増やす。
【００５３】
第１特別図柄表示器８ａにおける第１特別図柄の可変表示及び第２特別図柄表示器８ｂにおける第２特別図柄の可変表示は、一定時間が経過したときに停止する。停止時の特別図柄（停止図柄）が大当り図柄（特定表示結果）であると「大当り」となり、停止時の特別図柄（停止図柄）が大当り図柄とは異なる所定の小当り図柄（所定表示結果）であると「小当り」となり、停止時の特別図柄（停止図柄）が大当り図柄及び小当り図柄とは異なる特別図柄が停止表示されれば「ハズレ」となる。
【００５４】
特図ゲームでの可変表示結果が「大当り」になった後には、遊技者にとって有利なラウンド（「ラウンド遊技」ともいう）を所定回数実行する特定遊技状態としての大当り遊技状態に制御される。また、特図ゲームでの可変表示結果が「小当り」になった後には、大当り遊技状態とは異なる小当り遊技状態に制御される。
【００５５】
この実施例では、特図ゲームにおける確定特別図柄が「確変大当りＡ」または「通常大当りＣ」に対応する大当り図柄が停止表示された場合には、多ラウンド特定遊技状態としての第１大当り状態（１５ラウンド大当り状態）に移行する。大当り遊技状態（１５ラウンド大当り状態）では、特別可変入賞球装置２０の大入賞口扉が、第１期間となる所定期間（例えば２９．５秒間）あるいは所定個数（例えば８個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。１５ラウンド大当り状態では、大入賞口の開放サイクルであるラウンドの実行回数が、第１ラウンド数（例えば「１５」）となる。ラウンドの実行回数が「１５」となる１５ラウンド大当り状態における遊技は、１５回開放遊技とも称される。このような１５ラウンド大当り状態では、大入賞口に遊技球が入賞するたびに１５個の出球（賞球）が得られる。尚、１５ラウンド大当り状態は、第１特定遊技状態ともいう。
【００５６】
特図ゲームにおける確定特別図柄として「確変大当りＢ」に対応する大当り図柄が停止表示された場合には、多ラウンド特定遊技状態としての第２大当り状態（高速２ラウンド大当り状態）に移行する。第２大当り状態では、特別可変入賞球装置２０の大入賞口扉が、第１大当り状態における第１期間よりも短い第２期間（例えば０．５秒間）あるいは所定個数（例えば３個）の入賞球が発生するまでの期間にて大入賞口を開放状態とすることにより、特別可変入賞球装置２０を遊技者にとって有利な第１状態（開放状態）に変化させるラウンドが実行される。こうしてラウンドの実行中に大入賞口を開放状態とした大入賞口扉は、遊技盤６の表面を落下する遊技球を受け止め、その後に大入賞口を閉鎖状態とすることにより、特別可変入賞球装置２０を遊技者にとって不利な第２状態（閉鎖状態）に変化させて、１回のラウンドを終了させる。第２大当り状態では、大入賞口の開放サイクルであるラウンドの実行回数が、第２ラウンド数（例えば「２」）となる。
【００５７】
このような第２大当り状態では、大入賞口に遊技球が入賞すれば１５個の出球（賞球）が得られるが、大入賞口の開放期間が第２期間（０．５秒間）であって、非常に短い。そのため、第２大当り状態は実質的には出球（賞球）が得られない大当り遊技状態である。尚、第２大当り状態は第２特定遊技状態ともいう。また、第２大当り状態は、本実施例のように、第１大当り状態に比べてラウンドの実行回数が少ないものではなく、同一のラウンド数であって、大入賞口の開放期間が非常に短い（例えば０．１秒間）としたものであってもよい。すなわち、第２大当り状態は、各ラウンドで大入賞口を開放状態に変化させる期間が第１大当り状態における第１期間よりも短い第２期間となることと、ラウンドの実行回数が第１大当り状態における第１ラウンド数よりも少ない第２ラウンド数となることのうち、少なくともいずれか一方となるものであってもよい。
【００５８】
また、非確変大当りである「通常大当りＣ」に対応する大当り図柄が特図ゲームにおける確定特別図柄として停止表示されたことに基づき第１大当り状態が終了した後には、特別遊技状態の１つとして、通常状態に比べて特図ゲームにおける特別図柄の可変表示時間（特図変動時間）が短縮される時間短縮制御（時短制御）が行われる時短状態に制御される。ここで、通常状態とは、大当り遊技状態等の特定遊技状態や確変状態及び時短状態とは異なる遊技状態としての通常遊技状態であり、パチンコ遊技機１の初期設定状態（例えばシステムリセットが行われた場合のように、電源投入後に初期化処理を実行した状態）と同一の制御が行われる。時短状態は、所定回数（例えば１００回等）の特図ゲーム（変動表示）が実行されることと、可変表示結果が「大当り」となることのうち、いずれかの条件が先に成立したときに終了すればよい。このように非確変大当りである「通常大当りＣ」に対応する大当り図柄が特図ゲームにおける確定特別図柄として停止表示されたことに基に対応する大当り図柄特別図柄のように、特図ゲームにおける確定特別図柄として停止表示されたことに基づく第１大当り状態が終了した後に時短状態に制御される大当り図柄は、非確変大当り図柄（「通常大当り図柄」ともいう）と称される。また、大当り図柄のうち非確変大当り図柄が停止表示されて可変表示結果が「大当り」となることは、「非確変大当り」（「通常大当り」ともいう）と称される。
【００５９】
「確変大当りＡ」に対応する大当り図柄が特図ゲームにおける確定特別図柄として停止表示されたことに基づき第１大当り状態が終了した後や、確変状態において「確変大当りＢ」に対応する大当り図柄が特図ゲームにおける確定特別図柄として停止表示されたことに基づき第２大当り状態が終了した後には、時短状態とは異なる特別遊技状態の１つとして、例えば通常状態に比べて特図変動時間が短縮される時短制御とともに、継続して確率変動制御（確変制御）が行われる第１確変状態（高確率状態）に制御される。この確変状態では、各特図ゲームや演出図柄の可変表示において、可変表示結果が「大当り」となって更に大当り遊技状態に制御される確率が、通常状態や時短状態よりも高くなるように向上する。このような確変状態は、特図ゲームの実行回数にかかわりなく、次に可変表示結果が「大当り」となるまで継続する。
【００６０】
こうした「確変大当りＡ」に対応する大当り図柄のように、特図ゲームにおける確定特別図柄として停止表示されたことに基づく第１大当り状態が終了した後に確変状態に制御される大当り図柄は、確変大当り図柄と称される。また、「確変大当りＢ」に対応する大当り図柄のように、特図ゲームにおける確定特別図柄として停止表示されたことに基づく大当り遊技状態が終了した後に確変状態に制御される大当り図柄は、突確大当り図柄と称される。また、大当り図柄のうち確変大当り図柄が停止表示されて可変表示結果が「大当り」となることは、「確変大当り」と称される。突確大当り図柄が停止表示されて可変表示結果が「大当り」となることは、「突確大当り」（「突確大当り」ともいう）と称される。尚、これら大当り図柄は任意であり、例えば、遊技者に大当り図柄であることや、大当り種別を認識されないようにするために、大当り図柄を数字とせずに予め定められた記号等にしてもよい。
【００６１】
「小当り」に対応する特別図柄が特図ゲームにおける確定特別図柄として停止表示された後には、小当り遊技状態に制御される。この小当り遊技状態では、確変大当りＢ（第２大当り状態）と同様に特別可変入賞球装置２０において大入賞口を遊技者にとって有利な第１状態（開放状態）に変化させる可変入賞動作が行われる。すなわち、小当り遊技状態では、例えば特別可変入賞球装置２０を第２期間にわたり第１状態（開放状態）とする動作が、第２回数｛第２ラウンド数に等しい実行回数（本例では２回）｝に達するまで繰り返し実行される。尚、小当り遊技状態では、第２大当り状態と同様に、特別可変入賞球装置２０を第１状態とする期間が第２期間となることと、第１状態とする動作の実行回数が第２回数となることのうち、少なくともいずれか一方が行われるように制御されればよい。小当り遊技状態が終了した後には、遊技状態の変更が行われず、可変表示結果が「小当り」となる以前の遊技状態に継続して制御されることになる。ただし、可変表示結果が「小当り」となる特図ゲームが実行されたときに、特別遊技状態における特図ゲームの実行回数が所定回数に達していれば、小当り遊技状態の終了後には、特別遊技状態が終了して通常状態となることがある。
【００６２】
確変状態や時短状態では、普通図柄表示器１０による普図ゲームにおける普通図柄の変動時間（普図変動時間）を通常状態のときよりも短くする制御や、各回の普図ゲームで普通図柄の可変表示結果が「普図当り」となる確率を通常状態のときよりも向上させる制御、可変表示結果が「普図当り」となったことに基づく可変入賞球装置１５における可動翼片の傾動制御を行う傾動制御時間を通常状態のときよりも長くする制御、その傾動回数を通常状態のときよりも増加させる制御といった、遊技球が第２始動入賞口１４を通過（進入）しやすくして第２始動条件が成立する可能性を高めることで遊技者にとって有利となる制御が行われる。尚、確変状態や時短状態では、これらの制御のいずれか１つが行われるようにしてもよいし、複数の制御が組合せられて行われるようにしてもよい。このように、確変状態や時短状態において第２始動入賞口１４に遊技球が進入しやすくして遊技者にとって有利となる制御は、高開放制御ともいう。高開放制御が行われることにより、第２始動入賞口１４は、高開放制御が行われていないときよりも拡大開放状態となる頻度が高められる。これにより、第２特別図柄表示器８ｂにおける第２特図を用いた特図ゲームを実行するための第２始動条件が成立しやすくなり、特図ゲームが頻繁に実行可能となることで、次に可変表示結果が「大当り」となるまでの時間が短縮される。したがって、確変状態や時短状態では、通常状態に比べて大当り遊技状態となりやすくなる。高開放制御が実行可能となる期間は、高開放制御期間ともいい、この期間は、パチンコ遊技機１における遊技状態が確変状態と時短状態のいずれかに制御されている期間と同一であればよい。また、高開放制御期間であるときには、遊技状態が高ベース中であるともいう。これに対して、高開放制御期間でないときには、遊技状態が低ベース中であるともいう。この実施例における時短状態は、低確高ベース状態とも称される遊技状態であり、通常状態は、低確低ベース状態とも称される遊技状態であり、高開放制御期間ではない確変状態である潜伏確変状態は高確低ベース状態とも称される遊技状態である。
【００６３】
また、この実施例では、通常状態において「確変大当りＢ」の終了後には、確変制御のみが行われて時短制御や高開放制御が行われない第２確変状態（潜伏確変状態；高確低ベース状態）へ移行する。また、確変状態において「突確大当り」となったことに基づく第２大当り状態の終了後には、確変制御とともに時短制御や高開放制御が行われる第１確変状態（高確高ベース状態）へ移行する。
【００６４】
また、通常状態において時短制御や高開放制御が行われる時短状態（低確高ベース状態）及び第２確変状態（潜伏確変状態；高確低ベース状態）において「突確大当り」となったことに基づく第２大当り状態の終了後には、確変制御及び時短制御や高開放制御が行われる第１確変状態（高確高ベース状態）へ移行する。尚、第２確変状態（潜伏確変状態；高確低ベース状態）において「突確大当り」となったことに基づく第２大当り状態の終了後には、所定の確率（例えば、１／２の確率）で第１確変状態に移行するようにしてもよい。
【００６５】
このように確変状態のうちには、確変制御とともに時短制御や高開放制御が行われるものの他に、確変制御のみが行われて時短制御や高開放制御が行われないもの（潜伏確変）が含まれていてもよい。また、例えば、特図ゲームにける可変表示結果が「確変大当り」となったことに基づく第１大当り状態の終了後には、確変制御とともに時短制御や高開放制御が行われる第１確変状態（高確高ベース状態ともいう）に制御され、その後、特図表示結果が「大当り」となることなく、特図ゲームの実行回数が所定回数（例えば１００回）に達したときには、確変制御は継続して行われるものの、時短制御や高開放制御が終了して行われなくなる第２確変状態（高確低ベース状態ともいう）に制御されるようにしてもよい。
【００６６】
次に、パチンコ遊技機１の背面の構造について図２を参照して説明する。図２は、遊技機を背面から見た背面図である。図２に示すように、パチンコ遊技機１の背面側では、演出表示装置９を制御する演出制御用マイクロコンピュータ１００が搭載された演出制御基板８０を含む変動表示制御ユニット４９、遊技制御用マイクロコンピュータ等が搭載された遊技制御基板（主基板）３１、音声制御基板７０および球払出制御を行なう払出制御用マイクロコンピュータ等が搭載された払出制御基板３７等の各種基板が設置されている。尚、遊技制御基板３１は基板収納ケース１８００に収納されている。
【００６７】
さらに、パチンコ遊技機１背面側には、ＤＣ３０Ｖ、ＤＣ２１Ｖ、ＤＣ１２ＶおよびＤＣ５Ｖ等の各種電源電圧を作成する電源回路が搭載された電源基板９９０やタッチセンサ基板（図示略）が設けられている。電源基板９９０には、パチンコ遊技機１における遊技制御基板３１および各電気部品制御基板（演出制御基板８０および払出制御基板３７）やパチンコ遊技機１に設けられている各電気部品（電力が供給されることによって動作する部品）への電力供給を実行あるいは遮断するための電力供給許可手段としての電源スイッチ、遊技制御基板３１の遊技制御用マイクロコンピュータ１５６のＲＡＭ５５をクリアするためのクリアスイッチが設けられている。さらに、電源スイッチの内側（基板内部側）には、交換可能なヒューズが設けられている。
【００６８】
尚、この実施例では、主基板３１は遊技盤側に設けられ、払出制御基板３７は遊技枠側に設けられている。このような構成であっても、後述するように、主基板３１と払出制御基板３７との間の通信をシリアル通信で行うことによって、遊技盤を交換する際の配線の取り回しを容易にしている。
【００６９】
尚、各制御基板には、制御用マイクロコンピュータを含む制御手段が搭載されている。制御手段は、遊技制御手段等からのコマンドとしての指令信号（制御信号）に従って遊技機に設けられている電気部品（遊技用装置：球払出装置９７、演出表示装置９、ランプやＬＥＤなどの発光体、スピーカ２７等）を制御する。以下、主基板３１を制御基板に含めて説明を行うことがある。その場合には、制御基板に搭載される制御手段は、遊技制御手段と、遊技制御手段等からの指令信号に従って遊技機に設けられている電気部品を制御する手段とのそれぞれを指す。また、主基板３１以外のマイクロコンピュータが搭載された基板をサブ基板ということがある。尚、球払出装置９７は、遊技球を誘導する通路とステッピングモータ等により駆動されるスプロケット等によって誘導された遊技球を上皿や下皿に払い出すための装置であって、払い出された賞球や貸し球をカウントする払出個数カウントスイッチ等もユニットの一部として構成されている。尚、この実施例では、払出検出手段は、払出個数カウントスイッチによって実現され、球払出装置９７から実際に賞球や貸し球が払い出されたことを検出する機能を備える。この場合、払出個数カウントスイッチは、賞球や貸し球の払い出しを１球検出するごとに検出信号を出力する。
【００７０】
パチンコ遊技機１の背面には、各種情報をパチンコ遊技機１の外部に出力するための各端子を備えたターミナル基板１６０が設置されている。ターミナル基板１６０には、例えば、大当り遊技状態の発生を示す大当り情報等の情報出力信号（始動口信号、図柄確定回数１信号、大当り１信号、大当り２信号、大当り３信号、時短信号、セキュリティ信号、賞球信号１、遊技機エラー状態信号）を外部出力するための情報出力端子が設けられている。尚、遊技機エラー状態信号に関しては必ずしもパチンコ遊技機１の外部に出力しなくてもよく、該情報出力端子から、この遊技機エラー状態信号の替わりに遊技枠が開放状態であることを示すドア開放信号等を出力するようにしてもよい。
【００７１】
貯留タンク３８に貯留された遊技球は誘導レールを通り、カーブ樋を経て払出ケース４０Ａで覆われた球払出装置９７に至る。球払出装置９７の上方には、遊技媒体切れ検出手段としての球切れスイッチ１８７が設けられている。球切れスイッチ１８７が球切れを検出すると、球払出装置９７の払出動作が停止する。球切れスイッチ１８７が遊技球の不足を検知すると、遊技機設置島に設けられている補給機構からパチンコ遊技機１に対して遊技球の補給が行なわれる。
【００７２】
入賞にもとづく景品としての遊技球や球貸し要求にもとづく遊技球が多数払出されて打球供給皿３が満杯になると、遊技球は、余剰球誘導通路を経て余剰球受皿４に導かれる。さらに遊技球が払出されると、感知レバー（図示略）が貯留状態検出手段としての満タンスイッチ（図示略）を押圧して、貯留状態検出手段としての満タンスイッチがオンする。その状態では、球払出装置内の払出モータの回転が停止して球払出装置の動作が停止するとともに打球発射装置の駆動も停止する。
【００７３】
図３は、主基板（遊技制御基板）３１における回路構成の一例を示すブロック図である。尚、図３には、払出制御基板３７および演出制御基板８０等も示されている。主基板３１には、プログラムに従ってパチンコ遊技機１を制御する遊技制御用マイクロコンピュータ１５６（遊技制御手段に相当）が搭載されている。遊技制御用マイクロコンピュータ１５６は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。この実施例では、ＲＯＭ５４およびＲＡＭ５５は遊技制御用マイクロコンピュータ１５６に内蔵されている。すなわち、遊技制御用マイクロコンピュータ１５６は、１チップマイクロコンピュータである。１チップマイクロコンピュータには、少なくともＲＡＭ５５が内蔵されていればよく、ＲＯＭ５４は外付けであっても内蔵されていてもよい。また、Ｉ／Ｏポート部５７は、外付けであってもよい。遊技制御用マイクロコンピュータ１５６には、さらに、ハードウェア乱数（ハードウェア回路が発生する乱数）を発生する乱数回路５３が内蔵されている。
【００７４】
尚、遊技制御用マイクロコンピュータ１５６においてＣＰＵ５６がＲＯＭ５４に格納されているプログラムに従って制御を実行するので、以下、遊技制御用マイクロコンピュータ１５６（またはＣＰＵ５６）が実行する（または、処理を行う）ということは、具体的には、ＣＰＵ５６がプログラムに従って制御を実行することである。このことは、主基板３１以外の他の基板に搭載されているマイクロコンピュータについても同様である。
【００７５】
また、遊技制御用マイクロコンピュータ１５６には、乱数回路５３が内蔵されている。乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００７６】
乱数回路５３は、特別図柄の可変表示の表示結果により大当りとするか否か判定するための判定用の乱数を発生するために用いられるハードウェア回路である。乱数回路５３は、初期値（例えば、０）と上限値（例えば、６５５３５）とが設定された数値範囲内で、数値データを、設定された更新規則に従って更新し、ランダムなタイミングで発生する始動入賞時が数値データの読出（抽出）時であることにもとづいて、読出される数値データが乱数値となる乱数発生機能を有する。
【００７７】
乱数回路５３は、数値データの更新範囲の選択設定機能（初期値の選択設定機能、および、上限値の選択設定機能）、数値データの更新規則の選択設定機能、および数値データの更新規則の選択切換え機能等の各種の機能を有する。このような機能によって、生成する乱数のランダム性を向上させることができる。
【００７８】
また、遊技制御用マイクロコンピュータ１５６は、乱数回路５３が更新する数値データの初期値を設定する機能を有している。例えば、ＲＯＭ５４等の所定の記憶領域に記憶された遊技制御用マイクロコンピュータ１５６のＩＤナンバ（遊技制御用マイクロコンピュータ１５６の各製品ごとに異なる数値で付与されたＩＤナンバ）を用いて所定の演算を行なって得られた数値データを、乱数回路５３が更新する数値データの初期値として設定する。そのような処理を行うことによって、乱数回路５３が発生する乱数のランダム性をより向上させることができる。
【００７９】
遊技制御用マイクロコンピュータ１５６は、第１始動口スイッチ１３ａまたは第２始動口スイッチ１４ａへの始動入賞が生じたときに乱数回路５３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる。
【００８０】
また、遊技制御用マイクロコンピュータ１５６には、払出制御基板３７（の払出制御用マイクロコンピュータ）や演出制御基板８０（の演出制御用マイクロコンピュータ１００）とシリアル通信で信号を入出力（送受信）するためのシリアル通信回路が内蔵されている。尚、払出制御用マイクロコンピュータや演出制御用マイクロコンピュータ１００にも、遊技制御用マイクロコンピュータ１５６とシリアル通信で信号を入出力するためのシリアル通信回路が内蔵されている（図示略）。
【００８１】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグや保留記憶数カウンタの値など）と未払出賞球数を示すデータ（具体的には、後述する賞球コマンド出力カウンタの値）は、バックアップＲＡＭに保存される。遊技制御手段の制御状態に応じたデータとは、停電等が生じた後に復旧した場合に、そのデータにもとづいて、制御状態を停電等の発生前に復旧させるために必要なデータである。また、制御状態に応じたデータと未払出賞球数を示すデータとを遊技の進行状態を示すデータと定義する。尚、この実施例では、ＲＡＭ５５の全部が、電源バックアップされているとする。
【００８２】
遊技制御用マイクロコンピュータ１５６のリセット端子には、電源基板からのリセット信号が入力される。電源基板には、遊技制御用マイクロコンピュータ１５６等に供給されるリセット信号を生成するリセット回路が搭載されている。尚、リセット信号がハイレベルになると遊技制御用マイクロコンピュータ１５６等は動作可能状態になり、リセット信号がローレベルになると遊技制御用マイクロコンピュータ１５６等は動作停止状態になる。従って、リセット信号がハイレベルである期間は、遊技制御用マイクロコンピュータ１５６等の動作を許容する許容信号が出力されていることになり、リセット信号がローレベルである期間は、遊技制御用マイクロコンピュータ１５６等の動作を停止させる動作停止信号が出力されていることになる。尚、リセット回路をそれぞれの電気部品制御基板（電気部品を制御するためのマイクロコンピュータが搭載されている基板）に搭載してもよい。
【００８３】
さらに、遊技制御用マイクロコンピュータ１５６の入力ポートには、電源基板からの電源電圧が所定値以下に低下したことを示す電源断信号が入力される。すなわち、電源基板には、遊技機において使用される所定電圧（例えば、ＤＣ３０ＶやＤＣ５Ｖなど）の電圧値を監視して、電圧値があらかじめ定められた所定値にまで低下すると（電源電圧の低下を検出すると）、その旨を示す電源断信号を出力する電源監視回路が搭載されている。尚、電源監視回路を電源基板に搭載するのではなく、バックアップ電源によって電源バックアップされる基板（例えば、主基板３１）に搭載するようにしてもよい。また、遊技制御用マイクロコンピュータ１５６の入力ポートには、ＲＡＭの内容をクリアすることを指示するためのクリアスイッチが操作されたことを示すクリア信号が入力される。
【００８４】
また、ゲートスイッチ３２ａ、第１始動口スイッチ１３ａ、第１入賞確認スイッチ１３ｂ、第２始動口スイッチ１４ａ、第２入賞確認スイッチ１４ｂ、カウントスイッチ２３、第３入賞確認スイッチ２３ａおよび各入賞口スイッチ３０ａ，３０ｂからの検出信号を基本回路に与える入力ドライバ回路５８も主基板３１に搭載され、可変入賞球装置１５を開閉するソレノイド１６、特別可変入賞球装置２０を開閉するソレノイド２１を基本回路からの指令に従って駆動する出力回路５９も主基板３１に搭載され、電源投入時に遊技制御用マイクロコンピュータ１５６をリセットするためのシステムリセット回路（図示せず）や、大当り遊技状態の発生を示す大当り情報等の情報出力信号を、ターミナル基板１６０を介して、ホールコンピュータ等の外部装置に対して出力する情報出力回路６４も主基板３１に搭載されている。
【００８５】
この実施例では、演出制御基板８０に搭載されている演出制御手段（演出制御用マイクロコンピュータ１００で構成される。）が、中継基板７７を介して遊技制御用マイクロコンピュータ１５６から演出内容を指示する演出制御コマンドを受信し、演出図柄を可変表示する演出表示装置９との表示制御を行う。
【００８６】
演出制御基板８０は、演出制御用ＣＰＵ１２０およびＲＡＭを含む演出制御用マイクロコンピュータ１００を搭載している。尚、ＲＡＭは外付けであってもよい。演出制御基板８０において、演出制御用ＣＰＵ１２０は、内蔵または外付けのＲＯＭ（図示略）に格納されたプログラムに従って動作し、中継基板７７を介して入力される主基板３１からの取込信号（演出制御ＩＮＴ信号）に応じて、入力ドライバおよび入力ポートを介して演出制御コマンドを受信する。また、演出制御用ＣＰＵ１２０は、演出制御コマンドにもとづいて、ＶＤＰ（ビデオディスプレイプロセッサ）に演出表示装置９の表示制御を行わせる。
【００８７】
演出制御用ＣＰＵ１２０は、受信した演出制御コマンドに従ってキャラクタＲＯＭ（図示せず）から必要なデータを読み出す。キャラクタＲＯＭは、演出表示装置９に表示されるキャラクタ画像データ、具体的には、人物、文字、図形または記号等（演出図柄を含む）をあらかじめ格納しておくためのものである。演出制御用ＣＰＵ１２０は、キャラクタＲＯＭから読み出したデータをＶＤＰに出力する。ＶＤＰは、演出制御用ＣＰＵ１２０から入力されたデータにもとづいて表示制御を実行する。
【００８８】
演出制御コマンドおよび演出制御ＩＮＴ信号は、演出制御基板８０において、まず、入力ドライバに入力する。入力ドライバは、中継基板７７から入力された信号を演出制御基板８０の内部に向かう方向にしか通過させない（演出制御基板８０の内部から中継基板７７への方向には信号を通過させない）信号方向規制手段としての単方向性回路でもある。
【００８９】
中継基板７７には、主基板３１から入力された信号を演出制御基板８０に向かう方向にしか通過させない（演出制御基板８０から中継基板７７への方向には信号を通過させない）信号方向規制手段としての単方向性回路（図示略）が搭載されている。単方向性回路として、例えばダイオードやトランジスタが使用される。さらに、単方向性回路であるＩ／Ｏポート部を介して主基板３１から演出制御コマンドおよび演出制御ＩＮＴ信号が出力されるので、中継基板７７から主基板３１の内部に向かう信号が規制される。すなわち、中継基板７７からの信号は主基板３１の内部（遊技制御用マイクロコンピュータ１５６側）に入り込まない。
【００９０】
また、演出制御基板８０に搭載されている演出制御手段である演出制御用ＣＰＵ１２０が、遊技盤６に設けられているステージＬＥＤ（図示略）の表示制御を行うとともに、枠側に設けられている賞球ＬＥＤ５１、球切れＬＥＤ５２、左枠ＬＥＤ２８ｂ、右枠ＬＥＤ２８ｃ並びに天ランプモジュール５３０内の各ＬＥＤの表示制御を行う。
【００９１】
遊技盤６側には、シリアルデータをパラレルデータに変換するためのシリアル−パラレル変換ＩＣが搭載された盤側ＩＣ基板としての装飾基板９８、ステージ装飾基板９９が設けられている。盤側ＩＣ基板９８，９９は、中継基板８８を介して演出制御基板８０と接続される。また、前面枠１０１側には、シリアルデータをパラレルデータに変換するためのシリアル−パラレル変換ＩＣが搭載された各枠側ＩＣ基板としての天ランプモジュール基板５４２、左前板天基板４７３ｂ、右前板天基板４７３ｃ、操作台基板５０８、枠ボタン基板５０９が設けられている。これら各枠側ＩＣ基板５４２、４７３ｂ、４７３ｃ、５０８、５０９は、中継基板８８，８９を介して演出制御基板８０と接続される。
【００９２】
操作台基板５０８には、操作レバー６００に設けられ、該操作レバー６００の前後左右方向の傾倒操作を検出するレバースイッチ５１０ａ〜５１０ｄ、操作杆に設けられたトリガの操作を検出するトリガースイッチ５１２ａ、タッチセンサ５１３から出力される信号を検出し、信号入力に対応した所定の検知信号を出力するセンサ監視ＩＣ（図示略）と、該センサ監視ＩＣによる検知信号が入力されるパラレル−シリアル変換ＩＣ（図示略）が搭載されており、操作レバー６００の操作を演出制御用マイクロコンピュータ１００（演出制御用ＣＰＵ１２０）が検知できるようになっている。
【００９３】
同様に、枠ボタン基板５０９には、プッシュボタン５１６の操作を検出するボタンスイッチ５１６ａからの出力信号をラッチし、シリアルデータ方式として中継基板８９を介して演出制御用マイクロコンピュータ１００（演出制御用ＣＰＵ１２０）に出力するパラレル−シリアル変換ＩＣが実装されており、これらプッシュボタン５１６の操作を演出制御用マイクロコンピュータ１００（演出制御用ＣＰＵ１２０）が検知できるようになっている。
【００９４】
音声制御基板７０において、音番号データは、入力ドライバ（図示略）を介して音声合成用ＩＣ（図示略）に入力される。音声合成用ＩＣは、音番号データに応じた音声や効果音を発生し増幅回路（図示略）に出力する。増幅回路は、音声合成用ＩＣの出力レベルを、ボリュームで設定されている音量に応じたレベルに増幅した音声信号をスピーカ２７に出力する。音声データＲＯＭ（図示略）には、音番号データに応じた制御データが格納されている。音番号データに応じた制御データは、所定期間（例えば演出図柄の変動期間）における効果音または音声の出力態様を時系列的に示すデータの集まりである。
【００９５】
次に、遊技機の動作について説明する。図４は、主基板３１における遊技制御用マイクロコンピュータ１５６が実行するメイン処理を示すフローチャートである。遊技機に対して電源が投入され電力供給が開始されると、リセット信号が入力されるリセット端子の入力レベルがハイレベルになり、遊技制御用マイクロコンピュータ１５６（具体的には、ＣＰＵ５６）は、プログラムの内容が正当か否か確認するための処理であるセキュリティチェック処理を実行した後、ステップＳ１以降のメイン処理を開始する。メイン処理において、ＣＰＵ５６は、まず、必要な初期設定を行う。
【００９６】
初期設定処理において、ＣＰＵ５６は、まず、割込禁止に設定する（ステップＳ１）。次に、割込モードを割込モード２に設定し（ステップＳ２）、スタックポインタにスタックポインタ指定アドレスを設定する（ステップＳ３）。そして、内蔵デバイスの初期化（内蔵デバイス（内蔵周辺回路）であるＣＴＣ（カウンタ／タイマ）およびＰＩＯ（パラレル入出力ポート）の初期化など）を行った後（ステップＳ４）、ＲＡＭをアクセス可能状態に設定する（ステップＳ５）。尚、割込モード２は、ＣＰＵ５６が内蔵する特定レジスタ（Ｉレジスタ）の値（１バイト）と内蔵デバイスが出力する割込ベクタ（１バイト：最下位ビット０）とから合成されるアドレスが、割込番地を示すモードである。
【００９７】
次いで、ＣＰＵ５６は、入力ポートを介して入力されるクリアスイッチ（例えば、電源基板に搭載されている。）の出力信号（クリア信号）の状態を確認する（ステップＳ６）。その確認においてオンを検出した場合には、ＣＰＵ５６は、通常の初期化処理（ステップＳ１０〜Ｓ１５）を実行する。
【００９８】
クリアスイッチがオンの状態でない場合には、遊技機への電力供給が停止したときにバックアップＲＡＭ領域のデータ保護処理（例えばパリティデータの付加等の電力供給停止時処理）が行われたか否か確認する（ステップＳ７）。そのような保護処理が行われていないことを確認したら、ＣＰＵ５６は初期化処理を実行する。バックアップＲＡＭ領域にバックアップデータがあるか否かは、例えば、電力供給停止時処理においてバックアップＲＡＭ領域に設定されるバックアップフラグの状態によって確認される。
【００９９】
電力供給停止時処理が行われたことを確認したら、ＣＰＵ５６は、バックアップＲＡＭ領域のデータチェックを行う（ステップＳ８）。この実施例では、データチェックとしてパリティチェックを行う。よって、ステップＳ８では、算出したチェックサムと、電力供給停止時処理で同一の処理によって算出され保存されているチェックサムとを比較する。不測の停電等の電力供給停止が生じた後に復旧した場合には、バックアップＲＡＭ領域のデータは保存されているはずであるから、チェック結果（比較結果）は正常（一致）になる。チェック結果が正常でないということは、バックアップＲＡＭ領域のデータが、電力供給停止時のデータとは異なっていることを意味する。そのような場合には、内部状態を電力供給停止時の状態に戻すことができないので、電力供給の停止からの復旧時でない電源投入時に実行される初期化処理を実行する。
【０１００】
チェック結果が正常であれば、ＣＰＵ５６は、遊技制御手段の内部状態と演出制御手段等の電気部品制御手段の制御状態を電力供給停止時の状態に戻すための遊技状態復旧処理（ステップＳ４１〜Ｓ４３の処理）を行う。具体的には、ＲＯＭ５４に格納されているバックアップ時設定テーブルの先頭アドレスをポインタに設定し（ステップＳ４１）、バックアップ時設定テーブルの内容を順次作業領域（ＲＡＭ５５内の領域）に設定する（ステップＳ４２）。作業領域はバックアップ電源によって電源バックアップされている。バックアップ時設定テーブルには、作業領域のうち初期化してもよい領域についての初期化データが設定されている。ステップＳ４１およびＳ４２の処理によって、作業領域のうち初期化してはならない部分については、保存されていた内容がそのまま残る。初期化してはならない部分とは、例えば、電力供給停止前の遊技状態を示すデータ（特別図柄プロセスフラグ、確変フラグ、時短フラグなど）、出力ポートの出力状態が保存されている領域（出力ポートバッファ）、未払出賞球数を示すデータが設定されている部分などである。
【０１０１】
また、ＣＰＵ５６は、電力供給復旧時の初期化コマンドとしての停電復旧指定コマンドを送信する（ステップＳ４３）。そして、ステップＳ１４に移行する。尚、この実施例では、ＣＰＵ５６は、ステップＳ４３の処理において、バックアップＲＡＭに保存されていた合算保留記憶数カウンタの値を設定した合算保留記憶数指定コマンドも演出制御基板８０に対して送信する。
【０１０２】
尚、この実施例では、バックアップフラグとチェックデータとの双方を用いてバックアップＲＡＭ領域のデータが保存されているか否か確認しているが、いずれか一方のみを用いてもよい。すなわち、バックアップフラグとチェックデータとのいずれかを、遊技状態復旧処理を実行するための契機としてもよい。
【０１０３】
初期化処理では、ＣＰＵ５６は、まず、ＲＡＭクリア処理を行う（ステップＳ１０）。尚、ＲＡＭクリア処理によって、所定のデータ（例えば、普通図柄当り判定用乱数を生成するためのカウンタのカウント値のデータ）は０に初期化されるが、任意の値またはあらかじめ決められている値に初期化するようにしてもよい。また、ＲＡＭ５５の全領域を初期化せず、所定のデータ（例えば、普通図柄当り判定用乱数を生成するためのカウンタのカウント値のデータ）をそのままにしてもよい。また、ＲＯＭ５４に格納されている初期化時設定テーブルの先頭アドレスをポインタに設定し（ステップＳ１１）、初期化時設定テーブルの内容を順次作業領域に設定する（ステップＳ１２）。
【０１０４】
ステップＳ１１およびＳ１２の処理によって、例えば、普通図柄当り判定用乱数カウンタ、特別図柄バッファ、総賞球数格納バッファ、特別図柄プロセスフラグなど制御状態に応じて選択的に処理を行うためのフラグに初期値が設定される。
【０１０５】
また、ＣＰＵ５６は、サブ基板（主基板３１以外のマイクロコンピュータが搭載された基板。）を初期化するための初期化指定コマンド（遊技制御用マイクロコンピュータ１５６が初期化処理を実行したことを示すコマンドでもある。）をサブ基板に送信する（ステップＳ１３）。例えば、演出制御用マイクロコンピュータ１００は、初期化指定コマンドを受信すると、演出表示装置９において、遊技機の制御の初期化がなされたことを報知するための画面表示、すなわち初期化報知を行う。
【０１０６】
また、ＣＰＵ５６は、乱数回路５０３を初期設定する乱数回路設定処理を実行する（ステップＳ１４）。ＣＰＵ５６は、例えば、乱数回路設定プログラムに従って処理を実行することによって、乱数回路５０３にランダムＲの値を更新させるための設定を行う。
【０１０７】
そして、ステップＳ１５において、ＣＰＵ５６は、所定時間（例えば２ｍｓ）毎に定期的にタイマ割込がかかるように遊技制御用マイクロコンピュータ１５６に内蔵されているＣＴＣのレジスタの設定を行う。すなわち、初期値として例えば２ｍｓに相当する値が所定のレジスタ（時間定数レジスタ）に設定される。この実施例では、２ｍｓ毎に定期的にタイマ割込がかかるとする。
【０１０８】
初期化処理の実行（ステップＳ１０〜Ｓ１５）が完了すると、ＣＰＵ５６は、メイン処理で、表示用乱数更新処理（ステップＳ１７）および初期値用乱数更新処理（ステップＳ１８）を繰り返し実行する。表示用乱数更新処理および初期値用乱数更新処理を実行するときには割込禁止状態に設定し（ステップＳ１６）、表示用乱数更新処理および初期値用乱数更新処理の実行が終了すると割込許可状態に設定する（ステップＳ１９）。この実施例では、表示用乱数とは、大当りとしない場合の特別図柄の停止図柄を決定するための乱数や大当りとしない場合にリーチとするか否かを決定するための乱数であり、表示用乱数更新処理とは、表示用乱数を発生するためのカウンタのカウント値を更新する処理である。また、初期値用乱数更新処理とは、初期値用乱数を発生するためのカウンタのカウント値を更新する処理である。この実施例では、初期値用乱数とは、普通図柄に関して当りとするか否か決定するための乱数を発生するためのカウンタ（普通図柄当り判定用乱数発生カウンタ）のカウント値の初期値を決定するための乱数である。後述する遊技の進行を制御する遊技制御処理（遊技制御用マイクロコンピュータ１５６が、遊技機に設けられている演出表示装置、可変入賞球装置、球払出装置等の遊技用の装置を、自身で制御する処理、または他のマイクロコンピュータに制御させるために指令信号を送信する処理、遊技装置制御処理ともいう）において、普通図柄当り判定用乱数のカウント値が１周（普通図柄当り判定用乱数の取りうる値の最小値から最大値までの間の数値の個数分歩進したこと）すると、そのカウンタに初期値が設定される。
【０１０９】
尚、この実施例では、リーチ演出は、演出表示装置９において可変表示される演出図柄（飾り図柄）を用いて実行される。また、特別図柄の表示結果を大当り図柄にする場合には、リーチ演出は常に実行される。特別図柄の表示結果を大当り図柄にしない場合には、遊技制御用マイクロコンピュータ１５６は、乱数を用いた抽選によって、リーチ演出を実行するか否か決定する。ただし、実際にリーチ演出の制御を実行するのは、演出制御用マイクロコンピュータ１００である。
【０１１０】
タイマ割込が発生すると、ＣＰＵ５６は、図５に示すステップＳ２０〜Ｓ３４のタイマ割込処理を実行する。タイマ割込処理において、まず、電源断信号が出力されたか否か（オン状態になったか否か）を検出する電源断検出処理を実行する（ステップＳ２０）。電源断信号は、例えば電源基板に搭載されている電源監視回路が、遊技機に供給される電源の電圧の低下を検出した場合に出力する。そして、電源断検出処理において、ＣＰＵ５６は、電源断信号が出力されたことを検出したら、必要なデータをバックアップＲＡＭ領域に保存するための電力供給停止時処理を実行する。次いで、入力ドライバ回路５８を介して、ゲートスイッチ３２ａ、第１始動口スイッチ１３ａ、第２始動口スイッチ１４ａおよびカウントスイッチ２３、２４の検出信号を入力し、それらの状態判定を行う（スイッチ処理：ステップＳ２１）。
【０１１１】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行う表示制御処理を実行する（ステップＳ２２）。第１特別図柄表示器８ａ、第２特別図柄表示器８ｂおよび普通図柄表示器１０については、ステップＳ３２，Ｓ３３で設定される出力バッファの内容に応じて各表示器に対して駆動信号を出力する制御を実行する。
【０１１２】
また、遊技制御に用いられる普通図柄当り判定用乱数等の各判定用乱数を生成するための各カウンタのカウント値を更新する処理を行う（判定用乱数更新処理：ステップＳ２３）。ＣＰＵ５６は、さらに、初期値用乱数および表示用乱数を生成するためのカウンタのカウント値を更新する処理を行う（初期値用乱数更新処理，表示用乱数更新処理：ステップＳ２４，Ｓ２５）。
【０１１３】
さらに、ＣＰＵ５６は、特別図柄プロセス処理を行う（ステップＳ２６）。特別図柄プロセス処理では、第１特別図柄表示器８ａ、第２特別図柄表示器８ｂおよび大入賞口を所定の順序で制御するための特別図柄プロセスフラグに従って該当する処理を実行する。ＣＰＵ５６は、特別図柄プロセスフラグの値を、遊技状態に応じて更新する。
【０１１４】
次いで、普通図柄プロセス処理を行う（ステップＳ２７）。普通図柄プロセス処理では、ＣＰＵ５６は、普通図柄表示器１０の表示状態を所定の順序で制御するための普通図柄プロセスフラグに従って該当する処理を実行する。ＣＰＵ５６は、普通図柄プロセスフラグの値を、遊技状態に応じて更新する。
【０１１５】
また、ＣＰＵ５６は、演出制御用マイクロコンピュータ１００に演出制御コマンドを送出する処理を行う（演出制御コマンド制御処理：ステップＳ２８）。
【０１１６】
さらに、ＣＰＵ５６は、例えばホール管理用コンピュータに供給される大当り情報、始動情報、確率変動情報などのデータを出力する情報出力処理を行う（ステップＳ２９）。
【０１１７】
また、ＣＰＵ５６は、第１始動口スイッチ１３ａ、第２始動口スイッチ１４ａおよびカウントスイッチ２３の検出信号にもとづく賞球個数の設定などを行う賞球処理を実行する（ステップＳ３０）。具体的には、第１始動口スイッチ１３ａ、第２始動口スイッチ１４ａおよびカウントスイッチ２３のいずれかがオンしたことにもとづく入賞検出に応じて、払出制御基板３７に搭載されている払出制御用マイクロコンピュータに賞球個数を示す払出制御コマンド（賞球個数信号）を出力する。払出制御用マイクロコンピュータは、賞球個数を示す払出制御コマンドに応じて球払出装置９７を駆動する。
【０１１８】
この実施例では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（ステップＳ３１：出力処理）。
【０１１９】
また、ＣＰＵ５６は、特別図柄プロセスフラグの値に応じて特別図柄の演出表示を行うための特別図柄表示制御データを特別図柄表示制御データ設定用の出力バッファに設定する特別図柄表示制御処理を行う（ステップＳ３２）。ＣＰＵ５６は、例えば、特別図柄プロセス処理でセットされる開始フラグがセットされると終了フラグがセットされるまで、変動速度が１コマ／０．２秒であれば、０．２秒が経過する毎に、出力バッファに設定される表示制御データの値を＋１する。また、ＣＰＵ５６は、出力バッファに設定された表示制御データに応じて、ステップＳ２２において駆動信号を出力することによって、第１特別図柄表示器８ａおよび第２特別図柄表示器８ｂにおける第１特別図柄および第２特別図柄の可変表示を実行する。
【０１２０】
さらに、ＣＰＵ５６は、普通図柄プロセスフラグの値に応じて普通図柄の演出表示を行うための普通図柄表示制御データを普通図柄表示制御データ設定用の出力バッファに設定する普通図柄表示制御処理を行う（ステップＳ３３）。ＣＰＵ５６は、例えば、普通図柄の変動に関する開始フラグがセットされると終了フラグがセットされるまで、普通図柄の変動速度が０．２秒ごとに表示状態（「○」および「×」）を切り替えるような速度であれば、０．２秒が経過する毎に、出力バッファに設定される表示制御データの値（例えば、「○」を示す１と「×」を示す０）を切り替える。また、ＣＰＵ５６は、出力バッファに設定された表示制御データに応じて、ステップＳ２２において駆動信号を出力することによって、普通図柄表示器１０における普通図柄の演出表示を実行する。
【０１２１】
その後、割込許可状態に設定し（ステップＳ３４）、処理を終了する。
【０１２２】
以上の制御によって、この実施例では、遊技制御処理は２ｍｓ毎に起動されることになる。尚、遊技制御処理は、タイマ割込処理におけるステップＳ２１〜Ｓ３３（ステップＳ２９を除く。）の処理に相当する。また、この実施例では、タイマ割込処理で遊技制御処理が実行されているが、タイマ割込処理では例えば割込が発生したことを示すフラグのセットのみがなされ、遊技制御処理はメイン処理において実行されるようにしてもよい。
【０１２３】
演出表示装置９の表示領域では、第１特別図柄表示器８ａや第２特別図柄表示器８ｂによる特別図柄の可変表示に対応して、演出図柄の可変表示が行われる。すなわち、演出表示装置９の表示領域では、第１開始条件と第２開始条件のいずれか一方が成立したことに基づいて、「左」、「中」、「右」の各演出図柄表示エリア９Ｌ，９Ｃ，９Ｒにて演出図柄の変動を開始させ、例えば「左」、「右」、「中」といった所定順序で演出図柄の可変表示結果となる確定演出図柄を停止表示（導出表示）する。尚、確定演出図柄を停止表示する手順としては、「左」、「中」、「右」の演出図柄表示エリア９Ｌ，９Ｃ，９Ｒにおいて所定順序で演出図柄を停止表示するものに限定されず、「左」、「中」、「右」の各演出図柄表示エリア９Ｌ，９Ｃ，９Ｒにおいて同時に確定演出図柄となる演出図柄を停止表示するものが含まれていてもよい。
【０１２４】
演出図柄の可変表示が開始されてから「左」、「中」、「右」の各演出図柄表示エリア９Ｌ，９Ｃ，９Ｒにおける確定演出図柄の停止表示により可変表示が終了するまでの期間では、演出図柄の可変表示状態が所定のリーチ状態となることがある。ここで、リーチ状態とは、演出表示装置９の表示領域にて停止表示された演出図柄が大当り組合せの一部を構成しているときに未だ停止表示されていない演出図柄（「リーチ変動図柄」ともいう）については変動が継続している表示状態、あるいは、全部または一部の演出図柄が大当り組合せの全部または一部を構成しながら同期して変動している表示状態のことである。具体的には、「左」、「中」、「右」の演出図柄表示エリア９Ｌ，９Ｃ，９Ｒにおける一部（例えば「左」及び「右」の演出図柄表示エリア９Ｌ，９Ｒなど）では予め定められた大当り組合せを構成する演出図柄（例えば「７」の英数字を示す演出図柄）が停止表示されているときに未だ停止表示していない残りの演出図柄表示エリア（例えば「中」の演出図柄表示エリア９Ｃなど）では演出図柄が変動している表示状態、あるいは、「左」、「中」、「右」の演出図柄表示エリア９Ｌ，９Ｃ，９Ｒにおける全部または一部で演出図柄が大当り組合せの全部または一部を構成しながら同期して変動している表示状態である。また、リーチ状態となったことに対応して、演出表示装置９の表示領域に演出図柄とは異なるキャラクタ画像（人物等を模した演出画像）を表示させたり、背景画像の表示態様を変化させたり、演出図柄の変動態様を変化させたりすることがある。このようなキャラクタ画像の表示や背景画像の表示態様の変化、演出図柄の変動態様の変化を、リーチ演出表示（あるいは単にリーチ演出）という。
【０１２５】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態にならずに、リーチにならない所定の演出図柄の組合せが停止表示されることがある。このような演出図柄の可変表示態様を、可変表示結果がはずれ図柄になる場合における「非リーチ」（「通常はずれ」ともいう）の可変表示態様という。
【０１２６】
第１特別図柄表示器８ａまたは第２特別図柄表示器８ｂおよび演出表示装置９にはずれ図柄が停止表示される場合には、演出図柄の可変表示が開始されてから、演出図柄の可変表示状態がリーチ状態となった後にリーチ演出が実行され、最終的に大当り図柄とはならない所定の演出図柄の組合せが停止表示されることがある。このような演出図柄の可変表示結果を、可変表示結果が「はずれ」となる場合における「リーチ」（「リーチはずれ」ともいう）の可変表示態様という。
【０１２７】
この実施例では、第１特別図柄表示器８ａまたは第２特別図柄表示器８ｂに大当り図柄が停止表示される場合には、演出図柄の可変表示状態がリーチ状態になった後にリーチ演出が実行され、最終的に演出表示装置９における「左」、「中」、「右」の各演出図柄表示エリア９Ｌ，９Ｃ，９Ｒに、演出図柄が揃って停止表示される。
【０１２８】
第１特別図柄表示器８ａまたは第２特別図柄表示器８ｂに小当りである所定の図柄（小当りの種別に対応する所定記号）が停止表示される場合には、演出表示装置９において、演出図柄の可変表示態様が後述する「確変大当りＢ」である場合と同様に演出図柄の可変表示が行われた後、所定の小当り図柄（確変大当りＢ図柄と同じ図柄。例えば「３５５」等）が停止表示されることがある。第１特別図柄表示器８ａまたは第２特別図柄表示器８ｂに小当り図柄である所定の図柄（記号）が停止表示されることに対応する演出表示装置９における表示演出を「小当り」の可変表示態様という。
【０１２９】
また、演出図柄の可変表示中には、リーチ演出とは異なり、演出図柄の可変表示状態がリーチ状態となる可能性があることや、可変表示結果が「大当り」となる可能性があることを、演出図柄の可変表示態様などにより遊技者に報知するための特定演出が実行されることがある。この実施例では、「滑り」や「擬似連」といった特定演出が実行可能に設定されている。
【０１３０】
「滑り」の特定演出では、「左」、「中」、「右」の演出図柄表示エリア９Ｌ，９Ｃ，９Ｒにおける全部にて演出図柄を変動させてから、２つ以上の演出図柄表示エリア（例えば「左」及び「右」の演出図柄表示エリア９Ｌ，９Ｒなど）にて演出図柄を仮停止表示させた後、その仮停止表示した演出図柄表示エリアのうち所定数（例えば「１」または「２」）の演出図柄表示エリア（例えば「左」の演出図柄表示エリア９Ｌと「右」の演出図柄表示エリア９Ｒのいずれか一方または双方）にて演出図柄を再び変動させた後に停止表示させることで、停止表示する演出図柄を変更させる演出表示が行われる。尚、仮停止表示では、演出図柄が停留して表示される一方で、例えば揺れ変動表示を行うことや短時間の停留だけで直ちに演出図柄を再変動させることなどによって、遊技者に停止表示された演出図柄が確定しない旨を報知すればよい。あるいは、仮停止表示でも、停止表示された演出図柄が確定したと遊技者が認識する程度に演出図柄を停留させてから、演出図柄を再変動させるようにしてもよい。
【０１３１】
「擬似連」の特定演出では、「左」、「中」、「右」の演出図柄表示エリア９Ｌ，９Ｃ，９Ｒにおける全部にて演出図柄を変動させてから、全部の演出図柄表示エリア９Ｌ，９Ｃ，９Ｒにて演出図柄を仮停止表示させた後、全部の演出図柄表示エリア９Ｌ，９Ｃ，９Ｒにて演出図柄を再び変動（擬似連変動）させる演出表示を、所定回（例えば最大３回まで）行うことができる。一例として、「擬似連」の特定演出では、「左」、「中」、「右」の演出図柄表示エリア９Ｌ，９Ｃ，９Ｒにて、所定の擬似連チャンス目（例えば、「７７８」等）のいずれかを構成する演出図柄が仮停止表示される。ここで、「左図柄」は「左」の演出図柄表示エリア９Ｌに表示（停止表示または仮停止表示）される演出図柄であり、「中図柄」は「中」の演出図柄表示エリア９Ｃに表示される演出図柄であり、「右図柄」は「右」の演出図柄表示エリア９Ｒに表示される演出図柄である。尚、擬似連チャンス目は、特殊組合せに含まれる演出図柄の組合せとして、予め定められていればよい。
【０１３２】
また、演出制御用ＣＰＵ１２０は、「左」、「中」、「右」の演出図柄表示エリア９Ｌ，９Ｃ，９Ｒに表示結果が導出表示される前に、各演出図柄表示エリア９Ｌ，９Ｃ，９Ｒにいずれの演出図柄が仮停止表示または最終停止表示されるかを予告する停止図柄予告演出を実行するか否かを抽選により決定するとともに、実行する場合には、決定された変動パターンに応じて決定された最終停止図柄や仮停止図柄に基づいて、「左」、「中」、「右」の演出図柄表示エリア９Ｌ，９Ｃ，９Ｒのうち予告の対象とする演出図柄表示エリアを「左」／「中」／「右」／「左」「右」／「右」「中」のうちからいずれかに決定する。
【０１３３】
停止図柄予告演出では、各演出図柄表示エリア９Ｌ，９Ｃ，９Ｒに表示結果が導出される前に、各演出図柄を特定可能な予告図柄画像（例えば、図２８（Ｃ）中に点線で示す白図柄）が、可変表示中の「左」、「中」、「右」の各演出図柄表示エリア９Ｌ，９Ｃ，９Ｒに表示され、該表示された白図柄により最終停止表示または仮停止表示される演出図柄が予告される。
【０１３４】
予告の対象とする演出図柄表示エリアとして「左」、「中」、「右」のいずれか１つの演出図柄表示エリアが決定された場合は、「左」、「中」、「右」の各演出図柄表示エリア９Ｌ，９Ｃ，９Ｒで演出図柄が可変表示されている間に、対象とされた可変表示部において停止表示（最終停止表示及び仮停止表示を含む）される演出図柄を予告する予告図柄が表示される。
【０１３５】
尚、本実施例では、予告図柄は、受信した変動パターンに基づいて決定される最終停止図柄や仮停止図柄と同じ図柄が予告図柄として決定されるようになっているため、予告図柄が表示された後、該予告図柄と同じ演出図柄が仮停止表示または最終停止表示されることになるが、最終停止図柄や仮停止図柄とは異なる予告図柄（ガセ予告図柄）を決定するようにしてもよい。
【０１３６】
また、予告の対象とする演出図柄表示エリアとして「左」「右」、「右」「中」の２つの演出図柄表示エリアが決定された場合は、２つの図柄表示エリア（可変表示部）に仮停止表示される演出図柄を時間差をおいて順次予告する。
【０１３７】
具体的には、「左」、「中」、「右」の各演出図柄表示エリア９Ｌ，９Ｃ，９Ｒで演出図柄が可変表示されている場合に、まず複数の可変表示部（例えば「左」、「中」、「右」の各演出図柄表示エリア９Ｌ，９Ｃ，９Ｒ）のうち一の可変表示部（例えば「左」の演出図柄表示エリア９Ｌ）において停止表示される演出図柄を予告する予告図柄が表示された後、所定期間（例えば、１、３、５秒のいずれか）が経過してから、他の可変表示部（例えば「右」の演出図柄表示エリア９Ｒ）において停止表示される演出図柄を予告する予告図柄が表示される。
【０１３８】
その後、例えば特定演出が「滑り」の場合には、一の可変表示部及び他の可変表示部（「左」「右」の演出図柄表示エリア９Ｌ，９Ｒ）のいずれかにおいて表示された予告図柄とは異なる演出図柄が仮停止表示された後、仮停止表示された演出図柄が再変動し、最終的に表示された予告図柄に対応する演出図柄が仮停止表示されたときにはリーチ演出に発展する（図２８参照）。また、特定演出が「擬似連」の場合には、一の可変表示部（例えば「左」の演出図柄表示エリア９Ｌ）において表示された予告図柄に対応する演出図柄が仮停止表示され、さらに他の可変表示部（例えば「右」の演出図柄表示エリア９Ｒ）に表示された予告図柄に対応する演出図柄が仮停止表示されたときには、全部の演出図柄表示エリア９Ｌ，９Ｃ，９Ｒにて演出図柄の再変動が開始される（図２９参照）。
【０１３９】
本実施例では、予告の対象となる２つの演出図柄表示エリア及び予告図柄の表示順序を、「左」、「右」／「右」、「左」／「右」、「中」／「中」、「右」のうちからいずれかに決定し、該決定された図柄表示エリアに決定された順序に従って予告図柄を表示する。
【０１４０】
また、本実施例では、一の可変表示部（例えば「左」の演出図柄表示エリア９Ｌ）に停止表示される演出図柄を特定可能な予告図柄を表示した後、他の可変表示部（例えば「右」の演出図柄表示エリア９Ｒ）に表示される演出図柄を特定可能な予告図柄を表示するまでの期間として、０秒（同時表示）、１秒、３秒、５秒のうちからいずれかに決定するようになっている。
【０１４１】
さらに、演出図柄の可変表示中には、リーチ演出や特定演出とは異なり、例えば所定のキャラクタ画像やメッセージ画像を表示することなどといった、演出図柄の可変表示態様以外の表示態様により、演出図柄の可変表示状態がリーチ状態となる可能性があることや、可変表示結果が「大当り」となる可能性があることを、遊技者に報知するための予告演出が実行されることがある。この実施例では、「キャラクタ表示」、「ステップアップ画像」、「メール表示」といった予告演出が実行可能に設定されている。
【０１４２】
例えば「キャラクタ表示」の予告演出では、「左」、「中」、「右」の各演出図柄表示エリア９Ｌ，９Ｃ，９Ｒにおける全部にて演出図柄を変動させてから、２つ以上の演出図柄表示エリア（例えば「左」及び「右」の演出図柄表示エリア９Ｌ，９Ｒなど）にて演出図柄を仮停止表示させる以前に、演出表示装置９の表示領域における所定位置に予め用意されたキャラクタ画像を表示させる演出表示が行われる。
【０１４３】
「ステップアップ画像」の予告演出では、「左」、「中」、「右」の各演出図柄表示エリア９Ｌ，９Ｃ，９Ｒにおける全部にて演出図柄を変動させてから、２つ以上の演出図柄表示エリアにて演出図柄を仮停止表示させる以前に、演出表示装置９の表示領域にて、予め用意された複数種類の演出画像を所定の順番に従って切り替えて表示させる演出表示が行われることがある。尚、「ステップアップ画像」の予告演出では、予め用意された複数種類の演出画像のうちいずれか１つ（例えば所定の順番において最初に表示される演出画像など）が表示された後、演出画像が切り替えられることなく、予告演出における演出表示を終了させることがあるようにしてもよい。
【０１４４】
「メール表示」の予告演出では、「左」、「中」、「右」の各演出図柄表示エリア９Ｌ，９Ｃ，９Ｒにおける全部にて演出図柄を変動させてから、２つ以上の演出図柄表示エリアにて演出図柄を仮停止表示させる以前に、遊技者により操作ボタン３０が操作されたことに応じて、例えば演出表示装置９の表示領域における演出画像の表示を変更させるといった、演出動作が変化する演出表示が行われる。
【０１４５】
図６は、あらかじめ用意された演出図柄の変動パターンを示す説明図である。図６に示すように、この実施例では、可変表示結果が「はずれ」であり演出図柄の可変表示態様が「非リーチ」である場合に対応した変動パターンとして、非リーチＰＡ１−０〜非リーチＰＡ１−４の変動パターンが用意されている。また、可変表示結果が「はずれ」であり演出図柄の可変表示態様が「リーチ」である場合に対応した変動パターンとして、ノーマルＰＡ２−１（ノーマルリーチＡ）〜ノーマルＰＡ２−２（ノーマルリーチＢ）、ノーマルＰＢ２−１〜ノーマルＰＢ２−２（ノーマルリーチＣ）、スペシャルＰＡ３−１（ノーマルリーチＤ）、スーパーＰＢ３−１〜スーパーＰＢ３−３の変動パターンが用意されている。
【０１４６】
また、この実施例では、特別図柄の可変表示結果が大当り図柄または小当り図柄になる場合に対応した変動パターンとして、ノーマルＰＡ２−３（ノーマルリーチＡ）〜ノーマルＰＡ２−４（ノーマルリーチＢ）、ノーマルＰＢ２−３〜ノーマルＰＢ２−４（ノーマルリーチＣ）、スペシャルＰＡ３−２（ノーマルリーチＤ）、スーパーＰＢ３−４〜スーパーＰＢ３−６、特殊ＰＧ１−１〜特殊ＰＧ１−３、特殊ＰＧ２−１（ノーマルリーチＡ）〜特殊ＰＧ２−２（ノーマルリーチＢ）の変動パターンが用意されている。
【０１４７】
尚、特殊ＰＧ１−１〜特殊ＰＧ１−３、特殊ＰＧ２−１〜特殊ＰＧ２−２の変動パターンは、確変大当りＢまたは小当りとなる場合に使用される変動パターンであり、確変大当りＢまたは小当りとなる場合には、ノーマルリーチＡのリーチ演出を含む特殊ＰＧ２−１や、ノーマルリーチＢのリーチ演出を含む特殊ＰＧ２−２の変動パターンが決定される場合がある。
【０１４８】
また、これら変動パターンのうち、非リーチＰＡ１−３、ノーマルＰＡ２−２，２−４、スーパーＰＢ３−３，３−６、特殊ＰＧ１−２，２−１は、特定演出としての「滑り」が実行される変動パターンであり、非リーチＰＡ１−４、ノーマルＰＢ２−１，２−２，２−３，２−４、スペシャルＰＡ３−１，３−２、スーパーＰＢ３−３，３−６、特殊ＰＧ１−３，２−２は、特定演出としての「擬似連」が実行される変動パターンである。
【０１４９】
また、この実施例では、図６に示すように、変動パターンの種類に応じて変動時間が固定的に定められている場合（例えば、非リーチ短縮なしの場合は６．７５秒で固定であり、擬似連なしのスーパーリーチＡの場合には変動時間が２２．７５秒で固定である）を示しているが、例えば、同じ種類のスーパーリーチの場合であっても、合算保留記憶数に応じて、変動時間を異ならせるようにしてもよい。例えば、同じ種類のスーパーリーチを伴う場合であっても、合算保留記憶数が多くなるに従って、変動時間が短くなるようにしてもよい。また、例えば、同じ種類のスーパーリーチの場合であっても、第１特別図柄の変動表示を行う場合には、第１保留記憶数に応じて、変動時間を異ならせるようにしてもよく、第２特別図柄の変動表示を行う場合には、第２保留記憶数に応じて、変動時間を異ならせるようにしてもよい。この場合、第１保留記憶数や第２保留記憶数の値ごとに別々の判定テーブルを用意しておき（例えば、保留記憶数０〜２用の変動パターン種別判定テーブルと保留記憶数３，４用の変動パターン種別判定テーブルとを用意しておき）、第１保留記憶数または第２保留記憶数の値に応じて判定テーブルを選択して、変動時間を異ならせるようにしてもよい。
【０１５０】
また、この実施例では、非リーチＰＡ１−３が特殊ＰＧ１−２と、非リーチＰＡ１−４が特殊ＰＧ１−３と同一の変動パターンを含むものとされており、はずれにおいても、確変大当りＢや小当り時と同様の変動演出態様が実施される場合があるため、確変大当りＢや小当りが発生したことを遊技者が認識し難くされている。
【０１５１】
このように、確変大当りＢまたは小当りの当選時に選択される複数の変動パターン（特殊ＰＧ１−１〜３、２−１〜２）のうちの２つの変動パターン（特殊ＰＧ１−２，１−３）の演出態様および確変大当りＢ遊技状態／小当り遊技状態において実行される演出態様からなる一連の演出態様が、はずれの時に選択される複数の変動パターンのいずれか（非リーチＰＡ１−３，４）の演出態様と同じとされているため、非リーチＰＡ１−３，４または特殊ＰＧ１−２，３のいずれの変動パターンにもとづく演出態様であるかを特定することを困難とすることができる。言い換えると、非リーチＰＡ１−３，４、特殊ＰＧ１−２，３にもとづく変動パターンは、確変大当りＢ、小当り、はずれのいずれの場合にも選択される変動パターンであるため、確変大当りＢや小当りが発生した場合でも、確変大当りＢや小当りが発生したことを遊技者に悟られ難くでき、その結果、確変大当りＢや小当りのみを発生させる場合に比較して、確変大当りＢが発生に伴って遊技状態が確変状態に移行していることを、より一層、遊技者に悟られ難くできるようになっている。
【０１５２】
尚、この実施例では、非リーチＰＡ１−３および特殊ＰＧ１−２、非リーチＰＡ１−４および特殊ＰＧ１−３のみが変動演出態様が同じ変動パターンとされていたが、他の変動パターンにおいても、はずれ時と確変大当りＢまたは小当り時とで同じ変動パターンを設定してもよい。
【０１５３】
また、この実施例では、はずれ時において、確変大当りＢまたは小当り時に選択される複数の変動パターンのうちいずれかと同じ演出態様の変動パターンが選択されるようにしていたが、必ずしも同じ演出態様の変動パターンが選択されるようにしなくてもよい。すなわち、はずれ時において確変大当りＢまたは小当り時に選択される変動パターンと同じ演出態様の変動パターンが選択されなくても、特殊ＰＧ１−１〜３、２−１〜２を、確変大当りＢまたは小当り時に選択される変動パターンとしていることで、特殊ＰＧ１−１〜３、２−１〜２のいずれかの変動パターンが選択された場合、少なくとも遊技者が確変大当りＢの発生を特定することは困難となるため、確変大当りＢが発生してその後の遊技状態が確変状態に移行することを遊技者に悟られないようにすることができる。
【０１５４】
図７は、各乱数を示す説明図である。各乱数は、以下のように使用される。
（１）ランダム１（ＭＲ１）：大当りの種類（後述する確変大当りＡ、確変大当りＢ、通常大当りＣ）を決定する（大当り種別判定用）
（２）ランダム２（ＭＲ２）：変動パターンの種類（種別）を決定する（変動パターン種別判定用）
（３）ランダム３（ＭＲ３）：変動パターン（変動時間）を決定する（変動パターン判定用）
（４）ランダム４（ＭＲ４）：普通図柄にもとづく当りを発生させるか否か決定する（普通図柄当り判定用）
（５）ランダム５（ＭＲ５）：ランダム４の初期値を決定する（ランダム４初期値決定用）
（６）ランダム６（ＭＲ６）：確変大当りＢまたは小当りの種類（種別）を決定する（当り種別判定用）
【０１５５】
尚、この実施例では、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施例では、２段階の抽選処理によって変動パターンが決定される。
【０１５６】
尚、変動パターン種別とは、複数の変動パターンをその変動態様の特徴に従ってグループ化したものである。例えば、複数の変動パターンをリーチの種類でグループ化して、各種ノーマルリーチを伴う変動パターンを含む変動パターン種別と、スーパーリーチＡを伴う変動パターンを含む変動パターン種別と、スーパーリーチＢを伴う変動パターンを含む変動パターン種別とに分けてもよい。また、例えば、複数の変動パターンを擬似連の再変動の回数でグループ化して、擬似連を伴わない変動パターンを含む変動パターン種別と、再変動２回未満の変動パターンを含む変動パターン種別と、再変動３回の変動パターンを含む変動パターン種別とに分けてもよい。また、例えば、複数の変動パターンを擬似連や滑り演出などの特定演出の有無でグループ化してもよい。
【０１５７】
尚、この実施例では、確変大当りＡ及び通常大当りＣである場合には、各種ノーマルリーチのみを伴う変動パターンを含む変動パターン種別であるノーマルＣＡ３−１と、ノーマルリーチＣおよび擬似連を伴う変動パターンを含む変動パターン種別であるノーマルＣＡ３−２と、ノーマルリーチとスペシャルリーチおよびスーパーリーチを伴う変動パターン種別であるスーパーＣＡ３−３とに種別分けされている。また、確変大当りＢである場合には、擬似連を伴う変動パターンを含まない変動パターン種別である特殊ＣＡ４−１と、擬似連を伴う変動パターンを含む変動パターン種別である特殊ＣＡ４−２とに種別分けされている。また、小当りである場合にも、確変大当りＢである場合と同じく、擬似連を伴う変動パターンを含まない変動パターン種別である特殊ＣＡ４−１と、擬似連を伴う変動パターンを含む変動パターン種別である特殊ＣＡ４−２とに種別分けされている。また、「はずれ」である場合には、リーチも特定演出も伴わない変動パターンを含む変動パターン種別である非リーチＣＡ２−１と、リーチを伴わないが特定演出を伴う変動パターンを含む変動パターン種別である非リーチＣＡ２−２と、リーチも特定演出も伴わない短縮変動の変動パターンを含む変動パターン種別である非リーチＣＡ２−３と、各種ノーマルリーチのみを伴う変動パターンを含む変動パターン種別であるノーマルＣＡ２−４と、ノーマルリーチＣおよび再変動３回の擬似連を伴う変動パターンを含む変動パターン種別であるノーマルＣＡ２−５と、ノーマルリーチＣおよび再変動２回の擬似連を伴う変動パターンを含む変動パターン種別であるノーマルＣＡ２−６と、ノーマルリーチとスペシャルリーチおよびスーパーリーチＣ以外のスーパーリーチを伴う変動パターン種別であるスーパーＣＡ２−７と、全てのスーパーリーチを伴う変動パターン種別であるスーパーＣＡ２−８とに種別分けされている。
【０１５８】
図５に示された遊技制御処理におけるステップＳ２３では、遊技制御用マイクロコンピュータ１５６は、（１）の大当り種別判定用乱数、（４）の普通図柄当り判定用乱数および（６）の当り種別判定用乱数を生成するためのカウンタのカウントアップ（１加算）を行う。すなわち、それらが判定用乱数であり、それら以外の乱数が表示用乱数（ランダム２、ランダム３）または初期値用乱数（ランダム５）である。尚、遊技効果を高めるために、上記の乱数以外の乱数も用いてもよい。また、この実施例では、大当り判定用乱数として、遊技制御用マイクロコンピュータ１５６に内蔵されたハードウェア（遊技制御用マイクロコンピュータ１５６の外部のハードウェアでもよい。）が生成する乱数を用いる。
【０１５９】
図８（ａ）は、大当り判定テーブル１３０ａを示す説明図である。大当り判定テーブルとは、ＲＯＭ５４に記憶されているデータの集まりであって、ランダムＲと比較される大当り判定値が設定されているテーブルである。大当り判定テーブルには、通常状態（確変状態でない遊技状態）において用いられる通常時大当り判定テーブルと、確変状態において用いられる確変時大当り判定テーブルとがある。通常時大当り判定テーブルには、図８（ａ）の左欄に記載されている各数値が設定され、確変時大当り判定テーブルには、図８（ａ）の右欄に記載されている各数値が設定されている。図８（ａ）に記載されている数値が大当り判定値である。
【０１６０】
図８（ｂ），（ｃ）は、小当り判定テーブル１３０ｂ，１３０ｃを示す説明図である。小当り判定テーブルとは、ＲＯＭ５４に記憶されているデータの集まりであって、ランダムＲと比較される小当り判定値が設定されているテーブルである。小当り判定テーブルには、第１特別図柄の変動表示を行うときに用いられる小当り判定テーブル（第１特別図柄用）１３０ｂと、第２特別図柄の変動表示を行うときに用いられる小当り判定テーブル（第２特別図柄用）１３０ｃとがある。小当り判定テーブル（第１特別図柄用）１３０ｂには、図８（ｂ）に記載されている各数値が設定され、小当り判定テーブル（第２特別図柄用）１３０ｃには、図８（ｃ）に記載されている各数値が設定されている。また、図８（ｂ），（ｃ）に記載されている数値が小当り判定値である。
【０１６１】
ＣＰＵ５６は、所定の時期に、乱数回路５０３のカウント値を抽出して抽出値を大当り判定用乱数（ランダムＲ）の値とするのであるが、大当り判定用乱数値が図８（ａ）に示すいずれかの大当り判定値に一致すると、特別図柄に関して大当り（後述する確変大当りＡ、確変大当りＢ）にすることに決定する。また、大当り判定用乱数値が図８（ｂ），（ｃ）に示すいずれかの小当り判定値に一致すると、特別図柄に関して小当りにすることに決定する。尚、図８（ａ）に示す「確率」は、大当りになる確率（割合）を示す。また、図８（ｂ），（ｃ）に示す「確率」は、小当りになる確率（割合）を示す。また、大当りにするか否か決定するということは、大当り遊技状態に移行させるか否か決定するということであるが、第１特別図柄表示器８ａまたは第２特別図柄表示器８ｂにおける停止図柄を大当り図柄にするか否か決定するということでもある。また、小当りにするか否か決定するということは、小当り遊技状態に移行させるか否か決定するということであるが、第１特別図柄表示器８ａまたは第２特別図柄表示器８ｂにおける停止図柄を小当り図柄にするか否か決定するということでもある。
【０１６２】
尚、この実施例では、図８（ｂ），（ｃ）に示すように、小当り判定テーブル（第１特別図柄用）１３０ｂを用いる場合には７０分の１の割合で小当りと決定されるのに対して、小当り判定テーブル（第２特別図柄）１３０ｃを用いる場合には１２０分の１の割合で小当りと決定される場合を説明する。従って、この実施例では、第１始動入賞口１３に始動入賞して第１特別図柄の変動表示が実行される場合には、第２始動入賞口１４に始動入賞して第２特別図柄の変動表示が実行される場合と比較して、「小当り」と決定される割合が高い。
【０１６３】
つまり、第１特別図柄表示器８ａの変動表示が実行されるのは、遊技状態が通常状態または確変状態（高確低ベース状態）のときであり、確変大当りＢにより遊技状態が確変状態（高確低ベース状態）に移行したことを遊技者に悟られないようにするために小当りの発生確率を高めているのに対し、第２特別図柄表示器８ｂの変動表示が実行されるのは、遊技状態が確変・時短状態（高確高ベース状態）のときであり、この場合は確変大当りＢにより遊技状態が確変状態（高確低ベース状態）に移行したことを遊技者に悟られないようにする必要はないので、小当りの発生確率を抑えている。
【０１６４】
また、本実施例では、第１特別図柄表示器８ａおよび第２特別図柄表示器８ｂの変動表示結果として小当り図柄が導出されるようになっているが、第２特別図柄表示器８ｂの変動表示結果として小当り図柄が導出されないようにしてもよい。
【０１６５】
また、小当り判定テーブル（第１特別図柄用）１３０ｂを用いる場合に小当りと決定される割合（１／７０）は、確変大当りＢに決定する割合（１／１５９６（低確時）、１／１６０（高確時））に比較して高く、小当りが確変大当りＢよりも高頻度にて発生するようになっている。
【０１６６】
図８（ｄ）は、ＲＯＭ５４に記憶されている大当り種別判定テーブル１３１ａを示す説明図である。大当り種別判定テーブル１３１ａは、遊技球が第１始動入賞口１３に入賞したことにもとづく保留記憶（すなわち、第１特別図柄の変動表示が行われるとき）および遊技球が第２始動入賞口１４に入賞したことにもとづく保留記憶（すなわち、第２特別図柄の変動表示が行われるとき）を用いて大当り種別を決定する場合の大当り種別判定テーブルである。つまり、第１特別図柄表示器８ａにおける第１特別図柄の変動表示においても、第２特別図柄表示器８ｂにおける第２特別図柄の変動表示においても、同一の大当り種別判定テーブル１３１ａが使用されて、大当り種別が決定される。
【０１６７】
大当り種別判定テーブル１３１ａは、可変表示結果を大当り図柄にする旨の判定がなされたときに、大当り種別判定用の乱数（ランダム１）にもとづいて、大当りの種別を「確変大当りＡ」、「確変大当りＢ」、「通常大当りＣ」のうちのいずれかに決定するために参照されるテーブルである。尚、この実施例では、「確変大当りＡ」に対して５個の判定値が割り当てられ（４０分の５の割合で確変大当りＡと決定される）、「確変大当りＢ」に対して１５個の判定値が割り当てられている（４０分の１５の割合で確変大当りＢと決定される）、「通常大当りＣ」に対して２０個の判定値が割り当てられている（４０分の２０の割合で通常大当りＣと決定される）。従って、この実施例では、可変表示結果を大当り図柄にする旨の判定がなされたときに、「確変大当りＡ」となる確率は「確変大当りＢ」となる確率よりも低いが、第１始動入賞口１３に始動入賞して第１特別図柄の変動表示が実行される場合と、第２始動入賞口１４に始動入賞して第２特別図柄の変動表示が実行される場合とで、「確変大当りＡ」または「確変大当りＢ」または「確変大当りＣ」と決定される割合は同じである。尚、第１始動入賞口１３に始動入賞して第１特別図柄の変動表示が実行される場合と、第２始動入賞口１４に始動入賞して第２特別図柄の変動表示が実行される場合とで、「確変大当りＢ」と決定される割合を異ならせてもよい。
【０１６８】
また、この実施例では、図８（ｄ）に示すように、第２特定遊技状態としての２ラウンドの確変大当りＢと、この確変大当りＢと比較して、ラウンド数を多くした第１特定遊技状態としての確変大当りＡと、を決定する場合を説明するが、付与される遊技価値は、この実施例で示したようなラウンド数に限られない。例えば、第２特定遊技状態と比較して、大当り中の１回あたりの大入賞口の開放時間を長くした第１特定遊技状態を決定するようにしてもよい。また、例えば、第２特定遊技状態と比較して、遊技価値として１ラウンドあたりの大入賞口への遊技球の入賞数（カウント数）の許容量を多くした第１特定遊技状態を決定するようにしてもよい。また、例えば、第１特定遊技状態と第２特定遊技状態とでラウンド数が同じ５ラウンドであっても、１ラウンドあたり大入賞口を１回開放する第２特定遊技状態と、１ラウンドあたり大入賞口を複数回開放する第１特定遊技状態とを用意し、大入賞口の開放回数が実質的に多くなるようにして第１特定遊技状態の遊技価値を高めるようにしてもよい。この場合、例えば、第１特定遊技状態または第２特定遊技状態いずれの場合であっても、大入賞口を５回開放したときに（この場合、第２特定遊技状態の場合には５ラウンド全てを終了し、第１特定遊技状態の場合には未消化のラウンドが残っていることになる）、大当りがさらに継続するか否かを煽るような態様の演出（いわゆるランクアップボーナスの演出）を実行するようにしてもよい。そして、第２特定遊技状態の場合には内部的に５ラウンド全てを終了していることから大当り遊技を終了し、第１特定遊技状態の場合には内部的に未消化のラウンドが残っていることから、大当り遊技が継続する（恰も５回開放の大当りを終了した後にさらにボーナスで大入賞口の開放が追加で始まったような演出）ようにしてもよい。
【０１６９】
「確変大当りＡ」とは、１５ラウンドの大当り遊技状態に制御し、その大当り遊技状態の終了後に確変状態および時短状態（確変・時短状態、高確高ベース状態）に移行させる大当りである。大当り終了後、次の大当りが発生するまで確変状態並びに時短状態が継続する。
【０１７０】
「確変大当りＢ」とは、１ラウンドあたりの大入賞口の開放時間が「確変大当りＡ」に比べて短くかつラウンド数も少ない２ラウンドの大当り遊技状態に制御し、その大当り遊技状態の終了後に確変状態にのみ移行させる大当りである。大当り終了後、次の大当りの発生まで確変状態が継続する。ただし、大当り終了後に時短状態には移行せずに低ベース状態に移行される。従って、この実施例では、確変大当りＢの終了後、次の大当りが発生するまでは高確率状態のみとされ、高ベース状態には移行されない（高確低ベース状態）。
【０１７１】
つまり、「確変大当りＡ」では、１ラウンドあたりの大入賞口の開放時間が２９秒と長くラウンド数も１５ラウンドと多いのに対して、「確変大当りＢ」では１ラウンドあたりの大入賞口の開放時間が０．５秒と短いとともに、ラウンド数も２ラウンドと少なく、大当り遊技中に大入賞口に遊技球が入賞することは殆ど期待できない。そして、この実施例では、その確変大当りＢの大当り遊技状態の終了後には確変状態に移行されるが高ベース状態には移行しない。
【０１７２】
尚、この実施例では、「小当り」となった場合にも、大入賞口の開放が０．１秒間ずつ２回（２ラウンド）行われ、「確変大当りＢ」による大当り遊技状態と同様の制御が行われる。そして、「小当り」となった場合には、大入賞口の２回の高速開放が終了した後、遊技状態は変化せず、「小当り」となる前の遊技状態が維持される。そのようにすることによって、例え遊技者が大入賞口の開放を確認できたとしても、「確変大当りＢ」または「小当り」のいずれにもとづく開放なのかを特定しにくく、しかもその後の遊技状態が確変状態または通常状態のいずれに移行したかを特定することもできなくなるため、遊技者にわからないように、確変大当りＢを発生させ、かつ、該大当りの終了後に遊技状態を確変状態に移行させる、つまり確変状態を潜伏させることができる。また、逆に、低確状態において確変大当りＢと同様の演出制御が実施される小当りを発生させることで、該小当りの終了後は遊技状態が確変状態に移行しないので、低確状態を潜伏させることができる。
【０１７３】
「通常大当りＣ」とは、確変大当りＡと同じく１５ラウンドの大当り遊技状態に制御し、その大当り遊技状態の終了後に確変状態とはならずに、変動表示を１００回終了するまで（始動回数が１００回となるまで）、時短状態のみの低確高ベース状態に移行させる大当りである。つまり、大当り終了後、変動表示が１００回となるまで時短状態が継続する。
【０１７４】
図９（ａ）は、大当りＡ・Ｃ用変動パターン種別判定テーブル１３２ａを示す説明図である。大当りＡ・Ｃ用変動パターン種別判定テーブル１３２ａは、可変表示結果を大当り図柄にする旨の判定がなされたときに、大当り種別の判定結果に応じて、変動パターン種別を、変動パターン種別判定用の乱数（ランダム２）にもとづいて複数種類のうちのいずれかに決定するために参照されるテーブルである。
【０１７５】
大当りＡ・Ｃ用変動パターン種別判定テーブル１３２ａには、変動パターン種別判定用の乱数（ランダム２）の値と比較される数値（判定値）であって、ノーマルＣＡ３−１〜ノーマルＣＡ３−２、スーパーＣＡ３−３の変動パターン種別のいずれかに対応する判定値が、大当りの種別毎に設定されている。
【０１７６】
これら判定値の数としては、図９（ａ）に示すように、大当りの種別が「確変大当りＡ」である場合には、ノーマルＣＡ３−１〜ノーマルＣＡ３−２に比較してスーパーＣＡ３−３の判定値の数が多くなるように設定されており、「確変大当りＡ」となる場合には、変動パターンとしてスーパーリーチ、プレミアムリーチ（スーパーリーチＣ）またはスペシャルリーチが多く決定されるように設定されている。
【０１７７】
一方、大当りの種別が「通常大当りＣ」である場合には、スーパーＣＡ３−３に比較してノーマルＣＡ３−１〜ノーマルＣＡ３−２の判定値の数が多くなるように設定されており、「通常大当りＣ」となる場合には、変動パターンとしてノーマルリーチが多く決定されるように設定されている。
【０１７８】
また、図９（ｂ）は、確変大当りＢ／小当り用変動パターン種別判定テーブル１３２ｂを示す説明図である。確変大当りＢ／小当り用変動パターン種別判定テーブル１３２ｂは、ランダムＲ並びにランダム１に基づく当り種別の判定において、確変大当りＢ及び小当りが決定されたときに、変動パターン種別を、変動パターン種別判定用の乱数（ランダム２）にもとづいて複数種類のうちのいずれかに決定するために参照されるテーブルである。尚、この実施例では、図９（ｂ）に示すように、確変大当りＢまたは小当りとすることに決定されている場合には、変動パターン種別として、擬似連の演出を伴わない変動パターンを含む特殊ＣＡ４−１と、擬似連の演出を伴う変動パターンを含む特殊ＣＡ４−２のうちいずれかが決定される場合が示されている。
【０１７９】
また、確変大当りＢでは、擬似連の演出を伴わない変動パターンを含む特殊ＣＡ４−１に対して１〜５１の判定値が割り当てられているのに対し、擬似連の演出を伴う変動パターンを含む特殊ＣＡ４−２に対して５２〜２５１の判定値が割り当てられており、確変大当りＢとすることに決定されている場合には、変動パターンとして、リーチ演出としてノーマルリーチＢを含む特殊ＰＧ２−２等の擬似連の演出を伴う変動パターンが多く決定されるようになっている。
【０１８０】
尚、これらノーマルリーチＢのリーチ演出を含む特殊ＰＧ２−２の変動パターンにおいては、リーチ演出が実施され、該リーチがはずれとなる演出が実施された後、再変動が２回実施されて、停止図柄として後述する確変大当りＢや小当りに対応した演出図柄の組合せ（チャンス目図柄）が表示される。
【０１８１】
また、小当りについては、該小当りとすることに決定された時点の遊技状態が、高確状態であるか、低確状態であるか、つまり、確変フラグがセットされているか否かに応じて、判定値の割り当てが異なっている。
【０１８２】
具体的には、高確時の小当りでは、確変大当りＢと同様に、擬似連の演出を伴わない変動パターンを含む特殊ＣＡ４−１に対して１〜５１の判定値が割り当てられているのに対し、擬似連の演出を伴う変動パターンを含む特殊ＣＡ４−２に対して５２〜２５１の判定値が割り当てられており、高確時において小当りとすることに決定されている場合には、変動パターンとして擬似連の演出を伴う変動パターンが多く決定されるようになっている。
【０１８３】
一方、低確時の小当りでは、確変大当りＢとは逆に、擬似連の演出を伴わない変動パターンを含む特殊ＣＡ４−１に対して１〜２０１の判定値が割り当てられているのに対し、擬似連の演出を伴う変動パターンを含む特殊ＣＡ４−２に対して２０２〜２５１の判定値が割り当てられており、低確時において小当りとすることに決定されている場合には、変動パターンとして、リーチ演出としてノーマルリーチＡを含む特殊ＰＧ２−１等の滑りの演出を伴う変動パターンが多く決定されるようになっている。
【０１８４】
尚、これらノーマルリーチＡのリーチ演出を含む特殊ＰＧ２−１の変動パターンにおいては、リーチ演出が実施され、該リーチがはずれとなる演出が実施された後、滑り変動が実施されて、停止図柄として後述する確変大当りＢや小当りに対応した演出図柄の組合せ（チャンス目図柄）が表示される。
【０１８５】
このように、この実施例では、高確状態に移行する確変大当りＢの場合には、ノーマルリーチＢのリーチ演出を伴う変動パターンや、擬似連の演出を伴う変動パターンが多く決定され、高確状態に移行しない小当りの場合には、ノーマルリーチＡのリーチ演出を伴う変動パターンや、擬似連の演出を伴わない滑りの変動パターンが多く決定されることで、ノーマルリーチＢや擬似連の演出を伴う変動パターンの実施後に確変大当りＢの遊技状態（小当りの遊技状態と同一）が実施されたときには、遊技者に対して、発生したのが高確状態に移行する確変大当りＢである可能性が高いのではとの期待感を与えることができるようになっている。
【０１８６】
つまり、潜伏条件が成立する確変大当りＢや小当りが発生するときにおいては、変動パターンとしてノーマルリーチＡのリーチ演出を含む特殊ＰＧ２−１の変動パターンが、遊技状態が高確（確変）状態に移行する確変大当りＢのときよりも高確（確変）状態に移行しない小当りのときにおいて多く決定され、変動パターンとしてノーマルリーチＢのリーチ演出を含む特殊ＰＧ２−２の変動パターンが、遊技状態が高確（確変）状態に移行しない小当りのときよりも高確（確変）状態に移行する確変大当りＢのときにおいて多く決定される。
【０１８７】
尚、この実施例では、高確状態に移行する確変大当りＢのときと、高確状態に移行しない小当りのときとで、決定される変動パターンの種別が異なるようにしているが、本発明はこれに限定されるものではなく、これら高確状態に移行する確変大当りＢであるか高確状態に移行しない小当りであるかにかかわらずに、変動パターンを選択して決定するようにしても良い。
【０１８８】
また、この実施例では、高確状態における小当りの場合には、確変大当りＢの場合と同様に、擬似連の演出を伴う変動パターンが多く決定されるので、擬似連の演出を伴う変動パターンの実施後に小当りの遊技状態（確変大当りＢの遊技状態と同一）が実施されたときには、遊技者に対して、確変大当りＢと同じく、その後の遊技状態が高確状態となっている可能性が高いのではとの期待感を与えることができる。
【０１８９】
尚、この実施例では、高確状態における小当りの場合には、確変大当りＢの場合と同様に、ノーマルリーチＢのリーチ演出を伴う変動パターンや、擬似連の演出を伴う変動パターンが多く決定されるようにしているが、本発明はこれに限定されるものではなく、これら高確状態における小当りの場合にも、低確状態における小当りと同様に、擬似連の演出を伴わない滑り変動パターン種別である特殊ＣＡ４−１が多く決定されるようにしても良い。
【０１９０】
図１０（ａ），（ｂ）は、はずれ用変動パターン種別判定テーブルＡ〜Ｂを示す説明図である。はずれ用変動パターン種別判定テーブルＡ〜Ｂは、可変表示結果をはずれ図柄にする旨の判定がなされたときに、変動パターン種別を、変動パターン種別判定用の乱数（ランダム２）にもとづいて複数種類のうちのいずれかに決定するために参照されるテーブルである。
【０１９１】
各はずれ用変動パターン種別判定テーブルＡ，Ｂには、変動パターン種別判定用の乱数（ランダム２）の値と比較される数値（判定値）であって、非リーチＣＡ２−１〜非リーチＣＡ２−３、ノーマルＣＡ２−４〜ノーマルＣＡ２−６、スーパーＣＡ２−８の変動パターン種別のいずれかに対応する判定値が設定されている。
【０１９２】
尚、図１０（ａ）〜（ｂ）に示すように、この実施例では、はずれである場合には、変動パターン種別判定用の乱数（ランダム２）の値が２３０〜２５１であれば、遊技状態や合算保留記憶数にかかわらず、少なくともスーパーリーチ（スーパーリーチＡ、スーパーリーチＢ、スーパーリーチＣのいずれか）を伴う変動表示が実行されることがわかる。
【０１９３】
また、図１０（ａ）示す通常用のはずれ用変動パターン種別判定テーブルＡ１３５ａにおいては、超短縮変動の変動パターンである非リーチＰＡ１−０（変動時間１．２５秒）や、短縮変動の変動パターンである非リーチＰＡ１−２（変動時間２．５秒）を含む非リーチＣＡ２−３や、擬似連３回よりも変動時間が短い擬似連２回の演出を伴う変動パターンを含むノーマルＣＡ２−６に対して判定値の割り当てがないのに対し、短縮用のはずれ用変動パターン種別判定テーブルＢ１３５ｂでは、該非リーチＣＡ２−３に対して１００〜１９９の判定値が割り当てられているとともに、擬似連３回の演出を伴う変動パターンを含むノーマルＣＡ２−５に代えて擬似連２回の演出を伴う変動パターンを含むノーマルＣＡ２−６に判定値が割り当てられていることにより、変動時間が短い非リーチＰＡ１−０（変動時間１．２５秒）や非リーチＰＡ１−２（変動時間２．５秒）が決定されるようになるため、変動時間の平均時間が通常よりも短縮されることで、単位時間当たりに実施される変動回数が多くなる。
【０１９４】
尚、図１０に示す例では、遊技状態が時短状態である場合と合算保留記憶数が３以上である場合とで共通のはずれ用変動パターン種別判定テーブルＢ１３５ｂを用いる場合を示しているが、時短状態である場合と合算保留記憶数が３以上である場合とで、別々に用意されたはずれ用変動パターン種別判定テーブルを用いるように構成してもよい。また、さらに、時短状態用のはずれ用変動パターン種別判定テーブルとして合算保留記憶数に応じた複数のはずれ用変動パターン判定テーブル（判定値の割合を異ならせたテーブル）を用いるようにしてもよい。
【０１９５】
尚、この実施例では、合算保留記憶数が３未満である場合に用いるはずれ用変動パターン種別判定テーブルＡ１３５ａと、合算保留記憶数が３以上である場合に用いるはずれ用変動パターン種別判定テーブルＢ１３５ｂとの２種類のテーブルを用いた例を示しているが、この実施例で示したものにかぎられない。例えば、合算保留記憶数の値ごとに別々のはずれ用変動パターン種別判定テーブルをそれぞれ備えてもよい（すなわち、合算保留記憶数０個用、合算保留記憶数１個用、合算保留記憶数２個用、合算保留記憶数３個用、合算保留記憶数４個用・・・のはずれ用変動パターン種別判定テーブルをそれぞれ別々に用いるようにしてもよい）。また、例えば、合算保留記憶数の他の複数の値の組合せに対応したはずれ用変動パターン種別判定テーブルを用いるようにしてもよい。例えば、合算保留記憶数０〜２用、合算保留記憶数３用、合算保留記憶数４用・・・のはずれ用変動パターン種別判定テーブルを用いるようにしてもよい。
【０１９６】
また、この実施例では、合算保留記憶数に応じてはずれ用変動パターン種別判定テーブルを複数備える場合を示しているが、第１保留記憶数や第２保留記憶数に応じてはずれ用変動パターン種別判定テーブルを複数備えるようにしてもよい。例えば、第１特別図柄の変動表示を行う場合には、第１保留記憶数の値ごとに別々に用意されたはずれ用変動パターン種別判定テーブルを用いるようにしてもよい（すなわち、第１保留記憶数０個用、第１保留記憶数１個用、第１保留記憶数２個用、第１保留記憶数３個用、第１保留記憶数４個用・・・のはずれ用変動パターン種別判定テーブルをそれぞれ別々に用いるようにしてもよい）。また、例えば、第１保留記憶数の他の複数の値の組合せに対応したはずれ用変動パターン種別判定テーブルを用いるようにしてもよい。例えば、第１保留記憶数０〜２用、第１保留記憶数３用、第１保留記憶数４用・・・のはずれ用変動パターン種別判定テーブルを用いるようにしてもよい。この場合であっても、第１保留記憶数や第２保留記憶数が多い場合（例えば３以上）には、変動時間が短い変動パターンを含む変動パターン種別が選択されやすいように構成すればよい。
【０１９７】
尚、この実施例では、図１０に示すように、現在の遊技状態にかかわらず、共通のはずれ用変動パターン種別判定テーブルを用いる場合を示したが、現在の遊技状態が確変状態であるか時短状態であるか通常状態であるかに応じて、それぞれ別々に用意された大当り用変動パターン種別判定テーブルやはずれ用変動パターン種別判定テーブルを用いるようにしてもよい。また、この実施例では、合算保留記憶数が３以上である場合に、図１０（ｂ）に示す短縮用のはずれ用変動パターン種別判定テーブルを選択して短縮変動の変動パターンが決定される場合があるように構成する場合を示しているが、現在の遊技状態に応じて短縮変動の変動パターンが選択されうる場合の合算保留記憶数（第１保留記憶数や第２保留記憶数でもよい）の閾値を異ならせてもよい。例えば、遊技状態が通常状態である場合には、合算保留記憶数が３である場合に（または、例えば、第１保留記憶数や第２保留記憶数が２である場合に）、短縮用のはずれ用変動パターン種別判定テーブルを選択して短縮変動の変動パターンが決定される場合があるようにし、遊技状態が時短状態や確変状態である場合には、合算保留記憶数がより少ない１や２の場合でも（または、例えば、第１保留記憶数や第２保留記憶数がより少ない０や１の場合でも）、短縮用のはずれ用変動パターン種別判定テーブルを選択して短縮変動の変動パターンが決定される場合があるようにしてもよい。
【０１９８】
図１１（ａ），（ｂ）は、ＲＯＭ５４に記憶されている当り変動パターン判定テーブル１３７ａ〜１３７ｂを示す説明図である。当り変動パターン判定テーブル１３７ａ〜１３７ｂは、可変表示結果を「大当り」や「小当り」にする旨の判定がなされたときに、大当り種別や変動パターン種別の決定結果などに応じて、変動パターン判定用の乱数（ランダム３）にもとづいて、変動パターンを複数種類のうちのいずれかに決定するために参照されるテーブルである。各当り変動パターン判定テーブル１３７ａ〜１３７ｂは、変動パターン種別の決定結果に応じて、使用テーブルとして選択される。すなわち、変動パターン種別をノーマルＣＡ３−１〜ノーマルＣＡ３−２、スーパーＣＡ３−３のいずれかにする旨の決定結果に応じて当り変動パターン判定テーブル１３７ａが使用テーブルとして選択され、変動パターン種別を特殊ＣＡ４−１、特殊ＣＡ４−２のいずれかにする旨の決定結果に応じて当り変動パターン判定テーブル１３７ｂが使用テーブルとして選択される。各当り変動パターン判定テーブル１３７ａ〜１３７ｂは、変動パターン種別に応じて、変動パターン判定用の乱数（ランダム３）の値と比較される数値（判定値）であって、演出図柄の可変表示結果が「大当り」や「小当り」である場合に対応した複数種類の変動パターンのいずれかに対応するデータ（判定値）を含む。
【０１９９】
尚、図１１（ａ）に示す例では、変動パターン種別として、各種のノーマルリーチのみを伴う変動パターンを含む変動パターン種別であるノーマルＣＡ３−１と、ノーマルリーチＣおよび擬似連を伴う変動パターンを含む変動パターン種別であるノーマルＣＡ３−２と、スーパーリーチを伴う（スーパーリーチとともに擬似連を伴う場合もある）変動パターンを含む変動パターン種別であるスーパーＣＡ３−３とに種別分けされている場合が示されている。また、図１１（ｂ）に示す例では、変動パターン種別として、擬似連の演出を伴う変動パターンを含まない変動パターン種別である特殊ＣＡ４−１と、擬似連の演出を伴う変動パターンを含む変動パターン種別である特殊ＣＡ４−２とに種別分けされている場合が示されている。尚、図１１（ｂ）において、擬似連の演出の有無によって変動パターン種別を分けるのではなく、リーチ演出の有無や滑り演出などの特定演出の有無によって変動パターン種別を分けてもよい。この場合、例えば、特殊ＣＡ４−１は、特定演出となる擬似連の演出を伴わない変動パターンである特殊ＰＧ１−１、特殊ＰＧ１−２、特殊ＰＧ２−１を含むようにし、特殊ＣＡ４−２は、特定演出となる擬似連の演出を伴う特殊ＰＧ１−３および特殊ＰＧ２−２を含むように構成すれば良い。
【０２００】
図１２は、ＲＯＭ５４に記憶されているはずれ変動パターン判定テーブル１３８ａを示す説明図である。はずれ変動パターン判定テーブル１３８ａは、可変表示結果を「はずれ」にする旨の判定がなされたときに、変動パターン種別の決定結果に応じて、変動パターン判定用の乱数（ランダム３）にもとづいて、変動パターンを複数種類のうちのいずれかに決定するために参照されるテーブルである。はずれ変動パターン判定テーブル１３８ａは、変動パターン種別の決定結果に応じて、使用テーブルとして選択される。
【０２０１】
尚、この実施例のはずれ変動パターン判定テーブル１３８ａでは、スーパーＣＡ２−７には、スーパーリーチＣに対応するスーパーＰＢ３−３の変動パターンに対する判定値の割り当てが存在しないのに対し、スーパーＣＡ２−８には、スーパーリーチＣに対応するスーパーＰＢ３−３の変動パターンに対する判定値の割り当てが存在する。
【０２０２】
図１３および図１４は、遊技制御用マイクロコンピュータ１５６が送信する演出制御コマンドの内容の一例を示す説明図である。図１３および図１４に示す例において、コマンド８０ＸＸ（Ｈ）は、特別図柄の可変表示に対応して演出表示装置９において可変表示される演出図柄の変動パターンを指定する演出制御コマンド（変動パターンコマンド）である（それぞれ変動パターンＸＸに対応）。つまり、図６に示された使用されうる変動パターンのそれぞれに対して一意な番号を付した場合に、その番号で特定される変動パターンのそれぞれに対応する変動パターンコマンドがある。尚、「（Ｈ）」は１６進数であることを示す。また、変動パターンを指定する演出制御コマンドは、変動開始を指定するためのコマンドでもある。従って、演出制御用マイクロコンピュータ１００は、コマンド８０ＸＸ（Ｈ）を受信すると、演出表示装置９において演出図柄の可変表示を開始するように制御する。
【０２０３】
コマンド８Ｃ０１（Ｈ）〜８Ｃ０５（Ｈ）は、大当りとするか否か、小当りとするか否か、および大当り種別を示す演出制御コマンドである。演出制御用マイクロコンピュータ１００は、コマンド８Ｃ０１（Ｈ）〜８Ｃ０５（Ｈ）の受信に応じて演出図柄の表示結果を決定するので、コマンド８Ｃ０１（Ｈ）〜８Ｃ０５（Ｈ）を表示結果指定コマンドという。
【０２０４】
コマンド８Ｄ０１（Ｈ）は、第１特別図柄の可変表示（変動）を開始することを示す演出制御コマンド（第１図柄変動指定コマンド）である。コマンド８Ｄ０２（Ｈ）は、第２特別図柄の可変表示（変動）を開始することを示す演出制御コマンド（第２図柄変動指定コマンド）である。第１図柄変動指定コマンドと第２図柄変動指定コマンドとを特別図柄特定コマンド（または図柄変動指定コマンド）と総称することがある。尚、第１特別図柄の可変表示を開始するのか第２特別図柄の可変表示を開始するのかを示す情報を、変動パターンコマンドに含めるようにしてもよい。
【０２０５】
コマンド８Ｆ００（Ｈ）は、演出図柄の可変表示（変動）を終了して表示結果（停止図柄）を導出表示することを示す演出制御コマンド（図柄確定指定コマンド）である。演出制御用マイクロコンピュータ１００は、図柄確定指定コマンドを受信すると、演出図柄の可変表示（変動）を終了して表示結果を導出表示する。
【０２０６】
コマンド９０００（Ｈ）は、遊技機に対する電力供給が開始されたときに送信される演出制御コマンド（初期化指定コマンド：電源投入指定コマンド）である。コマンド９２００（Ｈ）は、遊技機に対する電力供給が再開されたときに送信される演出制御コマンド（停電復旧指定コマンド）である。遊技制御用マイクロコンピュータ１５６は、遊技機に対する電力供給が開始されたときに、バックアップＲＡＭにデータが保存されている場合には、停電復旧指定コマンドを送信し、そうでない場合には、初期化指定コマンドを送信する。
【０２０７】
コマンド９５ＸＸ（Ｈ）は、第１始動入賞口１３への入賞時において、どの大当りとなるかや特定のリーチ状態であるプレミアムリーチ（スーパーリーチＣ）となるか否かの判定結果を指定（通知）する演出制御コマンド（入賞時判定結果指定コマンド１）である。尚、「ＸＸ」は、入賞時に判定される各種の判定結果に予め付与された数値（はずれがＸ１、確変大当りＡがＸ２、確変大当りＢがＸ３、通常大当りＣがＸ４、小当りがＸ５、非リーチが０Ｘ、ノーマルリーチが１Ｘ、スーパーリーチが２Ｘ、プレミアリーチが３Ｘ等）である。
【０２０８】
コマンド９６ＸＸ（Ｈ）は、第２始動入賞口１４への入賞時において、どの大当りとなるかや特定のリーチ状態であるプレミアムリーチ（スーパーリーチＣ）となるか否かの判定結果を指定（通知）する演出制御コマンド（入賞時判定結果指定コマンド２）である。尚、「ＸＸ」は、入賞時に判定される各種の判定結果に予め付与された数値（はずれがＸ１、確変大当りＡがＸ２、確変大当りＢがＸ３、通常大当りＣがＸ４、小当りがＸ５、非リーチが０Ｘ、ノーマルリーチが１Ｘ、スーパーリーチが２Ｘ、プレミアリーチが３Ｘ等）である。
【０２０９】
コマンド９Ｆ００（Ｈ）は、客待ちデモンストレーションを指定する演出制御コマンド（客待ちデモ指定コマンド）である。
【０２１０】
コマンドＡ００１（Ｈ）は、大当り開始画面（ファンファーレ画面）を表示すること、すなわち大当り遊技の開始を指定する演出制御コマンド（確変大当りＡ開始指定コマンド：ファンファーレ１指定コマンド）である。コマンドＡ００２（Ｈ）は、大当り遊技の開始を指定するものであるが、大当り遊技であることを特定しにくい大当り開始画面（図示略）を表示することを指定する演出制御コマンド（確変大当りＢ開始指定コマンド：ファンファーレ２指定コマンド）である。コマンドＡ００３（Ｈ）は、通常大当りＣの開始を指定する演出制御コマンド（通常大当りＣ開始指定コマンド：ファンファーレ３指定コマンド）である。コマンドＡ００４（Ｈ）は、小当り遊技の開始を指定するものであるが、小当り遊技であることを特定しにくい小当り開始画面（図示略）を表示することを指定する演出制御コマンド（小当り開始指定コマンド：ファンファーレ４指定コマンド）である。尚、遊技制御用マイクロコンピュータ１５６は、確変大当りＢである場合および小当りである場合に共通の確変大当りＢ／小当り開始指定用のファンファーレ指定コマンドを送信するように構成してもよい。
【０２１１】
コマンドＡ１ＸＸ（Ｈ）は、ＸＸで示す回数目（ラウンド）の大入賞口開放中の表示を示す演出制御コマンド（大入賞口開放中指定コマンド）である。Ａ２ＸＸ（Ｈ）は、ＸＸで示す回数目（ラウンド）の大入賞口閉鎖を示す演出制御コマンド（大入賞口開放後指定コマンド）である。
【０２１２】
コマンドＡ３０１（Ｈ）は、大当り終了画面（エンディング画面）を表示すること、すなわち大当り遊技の終了を指定するとともに、確変大当りＡであったことを指定する演出制御コマンド（確変大当りＢ終了指定コマンド：エンディング１指定コマンド）である。コマンドＡ３０２（Ｈ）は、大当り終了画面（エンディング画面）を表示すること、すなわち大当り遊技の終了を指定するとともに、確変大当りＢであったことを指定する演出制御コマンド（確変大当りＢ終了指定コマンド：エンディング２指定コマンド）である。コマンドＡ３０３（Ｈ）は、大当り終了画面（エンディング画面）を表示すること、すなわち大当り遊技の終了を指定するとともに、通常大当りＣであったことを指定する演出制御コマンド（通常大当りＣ終了指定コマンド：エンディング３指定コマンド）である。コマンドＡ３０４（Ｈ）は、小当り終了画面（エンディング画面）を表示すること、すなわち小当り遊技の終了を指定するとともに、小当りであったことを指定する演出制御コマンド（小当り終了指定コマンド：エンディング４指定コマンド）である。尚、遊技制御用マイクロコンピュータ１５６は、確変大当りＢである場合および小当りである場合に共通の確変大当りＢ／小当り終了指定用のエンディング指定コマンドを送信するように構成してもよい。
【０２１３】
尚、本実施例では、上記コマンドＡ００２（Ｈ）にて指定する大当り開始画面とコマンドＡ００４（Ｈ）にて指定する小当り開始画面とは同一の開始画面であり、また、コマンドＡ３０２（Ｈ）にて指定する大当り終了画面とコマンドＡ３０４（Ｈ）にて指定する小当り終了画面とは同一画面である。詳しくは、これら大当り／小当り開始画面および大当り／小当り終了画面は、前述した非リーチＰＡ１−３，４の後半において表示される画面（図示略）と同じ態様の表示画面とされており、確変大当りＢまたは小当りのいずれが発生したかの特定を困難とするとともに、確変大当りＢが発生して遊技状態が確変状態（高確低ベース状態）に移行した可能性があることを示唆する画面とされている。
【０２１４】
コマンドＢ０００（Ｈ）は、遊技状態が通常状態であることを指定する演出制御コマンド（通常状態指定コマンド）である。コマンドＢ００１（Ｈ）は、遊技状態が時短状態であることを指定する演出制御コマンド（時短状態指定コマンド）である。コマンドＢ００２（Ｈ）は、遊技状態が確変（高確）状態であることを指定する演出制御コマンド（確変状態指定コマンド）である。コマンドＢ００３（Ｈ）は、時短状態が終了したことを通知する演出制御コマンド（時短終了指定コマンド）である。
【０２１５】
コマンドＢ１ＸＸ（Ｈ）は、時短状態の残り回数（あと何回変動表示を終了するまで時短状態が継続するか）を指定する演出制御コマンド（時短回数指定コマンド）である。コマンドＢ１ＸＸ（Ｈ）における「ＸＸ」が、時短状態の残り回数を示す。
【０２１６】
コマンドＣ０ＸＸ（Ｈ）は、第１保留記憶数を指定する演出制御コマンド（第１保留記憶数指定コマンド）である。コマンドＣ０ＸＸ（Ｈ）における「ＸＸ」が、第１保留記憶数を示す。コマンドＣ１ＸＸ（Ｈ）は、第２保留記憶数を指定する演出制御コマンド（第２保留記憶数指定コマンド）である。コマンドＣ１ＸＸ（Ｈ）における「ＸＸ」が、第２保留記憶数を示す。
【０２１７】
尚、この実施例では、遊技状態にかかわらず（例えば、高確率状態や高ベース状態であるか否かや、大当り遊技中であるか否かにかかわらず）、始動入賞が発生して保留記憶が実施されるごとに入賞時判定の処理が実行され、必ず図１３に示す図柄指定コマンドが送信される。そして、演出制御用マイクロコンピュータ１００は、受信した図柄指定コマンドにもとづいて、予告対象の変動表示が開始される以前に、前もって大当りとなるか否かやスーパーリーチとなるか否かを予告する後述する保留予告を実行する。尚、本実施例では、確変大当りＢおよび小当りについての保留予告は実行しない、つまり確変大当りＡについての保留予告のみを実行するようになっているので、確変大当りＢおよび小当りの発生が保留予告により遊技者に把握され易くなってしまうことを回避できる。
【０２１８】
演出制御基板８０に搭載されている演出制御用マイクロコンピュータ１００（具体的には、演出制御用ＣＰＵ１２０）は、主基板３１に搭載されている遊技制御用マイクロコンピュータ１５６から上述した演出制御コマンドを受信すると、図１３および図１４に示された内容に応じて演出表示装置９の表示状態を変更したり、ランプの表示状態を変更したり、音声制御基板７０に対して音番号データを出力したりする。
【０２１９】
例えば、遊技制御用マイクロコンピュータ１５６は、始動入賞があり第１特別図柄表示器８ａまたは第２特別図柄表示器８ｂにおいて特別図柄の可変表示が開始される度に、演出図柄の変動パターンを指定する変動パターンコマンドおよび表示結果指定コマンドを演出制御用マイクロコンピュータ１００に送信する。
【０２２０】
この実施例では、演出制御コマンドは２バイト構成であり、１バイト目はＭＯＤＥ（コマンドの分類）を表し、２バイト目はＥＸＴ（コマンドの種類）を表す。ＭＯＤＥデータの先頭ビット（ビット７）は必ず「１」に設定され、ＥＸＴデータの先頭ビット（ビット７）は必ず「０」に設定される。尚、そのようなコマンド形態は一例であって他のコマンド形態を用いてもよい。例えば、１バイトや３バイト以上で構成される制御コマンドを用いてもよい。
【０２２１】
尚、演出制御コマンドの送出方式として、演出制御信号ＣＤ０〜ＣＤ７の８本のパラレル信号線で１バイトずつ主基板３１から中継基板７７を介して演出制御基板８０に演出制御コマンドデータを出力し、演出制御コマンドデータの他に、演出制御コマンドデータの取り込みを指示するパルス状（矩形波状）の取込信号（演出制御ＩＮＴ信号）を出力する方式を用いる。演出制御コマンドの８ビットの演出制御コマンドデータは、演出制御ＩＮＴ信号に同期して出力される。演出制御基板８０に搭載されている演出制御用マイクロコンピュータ１００は、演出制御ＩＮＴ信号が立ち上がったことを検知して、割込処理によって１バイトのデータの取り込み処理を開始する。
【０２２２】
図１３および図１４に示す例では、変動パターンコマンドおよび表示結果指定コマンドを、第１特別図柄表示器８ａでの第１特別図柄の変動に対応した演出図柄の可変表示（変動）と第２特別図柄表示器８ｂでの第２特別図柄の変動に対応した演出図柄の可変表示（変動）とで共通に使用でき、第１特別図柄および第２特別図柄の可変表示に伴って演出を行う演出表示装置９などの演出用部品を制御する際に、遊技制御用マイクロコンピュータ１５６から演出制御用マイクロコンピュータ１００に送信されるコマンドの種類を増大させないようにすることができる。
【０２２３】
図１５および図１６は、主基板３１に搭載される遊技制御用マイクロコンピュータ１５６（具体的には、ＣＰＵ５６）が実行する特別図柄プロセス処理（ステップＳ２６）のプログラムの一例を示すフローチャートである。上述したように、特別図柄プロセス処理では第１特別図柄表示器８ａまたは第２特別図柄表示器８ｂおよび大入賞口を制御するための処理が実行される。特別図柄プロセス処理において、ＣＰＵ５６は、第１始動入賞口１３に遊技球が入賞したことを検出するための第１始動口スイッチ１３ａがオンしていたら、すなわち、第１始動入賞口１３への始動入賞が発生していたら、第１始動口スイッチ通過処理を実行する（ステップＳ３１１，Ｓ３１２）。また、ＣＰＵ５６は、第２始動入賞口１４に遊技球が入賞したことを検出するための第２始動口スイッチ１４ａがオンしていたら、すなわち第２始動入賞口１４への始動入賞が発生していたら、第２始動口スイッチ通過処理を実行する（ステップＳ３１３，Ｓ３１４）。そして、ステップＳ３００〜Ｓ３１０のうちのいずれかの処理を行う。第１始動口スイッチ１３ａまたは第２始動口スイッチ１４ａがオンしていなければ、内部状態に応じて、ステップＳ３００〜Ｓ３１０のうちのいずれかの処理を行う。
【０２２４】
ステップＳ３００〜Ｓ３１０の処理は、以下のような処理である。
【０２２５】
特別図柄通常処理（ステップＳ３００）：特別図柄プロセスフラグの値が０であるときに実行される。遊技制御用マイクロコンピュータ１５６は、特別図柄の可変表示が開始できる状態になると、保留記憶数バッファに記憶される数値データの記憶数（合算保留記憶数）を確認する。保留記憶数バッファに記憶される数値データの記憶数は合算保留記憶数カウンタのカウント値により確認できる。また、合算保留記憶数カウンタのカウント値が０でなければ、第１特別図柄または第２特別図柄の可変表示の表示結果を大当りとするか否かを決定する。大当りとする場合には大当りフラグをセットする。そして、内部状態（特別図柄プロセスフラグ）をステップＳ３０１に応じた値（この例では１）に更新する。尚、大当りフラグは、大当り遊技が終了するときにリセットされる。
【０２２６】
変動パターン設定処理（ステップＳ３０１）：特別図柄プロセスフラグの値が１であるときに実行される。また、変動パターンを決定し、その変動パターンにおける変動時間（可変表示時間：可変表示を開始してから表示結果を導出表示（停止表示）するまでの時間）を特別図柄の可変表示の変動時間とすることに決定する。また、特別図柄の変動時間を計測する変動時間タイマをスタートさせる。そして、内部状態（特別図柄プロセスフラグ）をステップＳ３０２に対応した値（この例では２）に更新する。
【０２２７】
表示結果指定コマンド送信処理（ステップＳ３０２）：特別図柄プロセスフラグの値が２であるときに実行される。演出制御用マイクロコンピュータ１００に、表示結果指定コマンドを送信する制御を行う。そして、内部状態（特別図柄プロセスフラグ）をステップＳ３０３に対応した値（この例では３）に更新する。
【０２２８】
特別図柄変動中処理（ステップＳ３０３）：特別図柄プロセスフラグの値が３であるときに実行される。変動パターン設定処理で選択された変動パターンの変動時間が経過（ステップＳ３０１でセットされる変動時間タイマがタイムアウトすなわち変動時間タイマの値が０になる）すると、内部状態（特別図柄プロセスフラグ）をステップＳ３０４に対応した値（この例では４）に更新する。
【０２２９】
特別図柄停止処理（ステップＳ３０４）：特別図柄プロセスフラグの値が４であるときに実行される。第１特別図柄表示器８ａまたは第２特別図柄表示器８ｂにおける可変表示を停止して停止図柄を導出表示させる。また、演出制御用マイクロコンピュータ１００に、図柄確定指定コマンドを送信する制御を行う。そして、大当りフラグがセットされている場合には、内部状態（特別図柄プロセスフラグ）をステップＳ３０５に対応した値（この例では５）に更新する。また、小当りフラグがセットされている場合には、内部状態（特別図柄プロセスフラグ）をステップＳ３０８に対応した値（この例では８）に更新する。大当りフラグおよび小当りフラグのいずれもセットされていない場合には、内部状態（特別図柄プロセスフラグ）をステップＳ３００に対応した値（この例では０）に更新する。尚、演出制御用マイクロコンピュータ１００は、遊技制御用マイクロコンピュータ１５６が送信する図柄確定指定コマンドを受信すると演出表示装置９において演出図柄が停止されるように制御する。
【０２３０】
大入賞口開放前処理（ステップＳ３０５）：特別図柄プロセスフラグの値が５であるときに実行される。大入賞口開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をステップＳ３０６に対応した値（この例では６）に更新する。尚、大入賞口開放前処理は各ラウンド毎に実行されるが、第１ラウンドを開始する場合には、大入賞口開放前処理は大当り遊技を開始する処理でもある。
【０２３１】
大入賞口開放中処理（ステップＳ３０６）：特別図柄プロセスフラグの値が６であるときに実行される。大当り遊技状態中のラウンド表示の演出制御コマンドを演出制御用マイクロコンピュータ１００に送信する制御や大入賞口の閉成条件の成立を確認する処理等を行う。大入賞口の閉成条件が成立し、かつ、まだ残りラウンドがある場合には、内部状態（特別図柄プロセスフラグ）をステップＳ３０５に対応した値（この例では５）に更新する。また、全てのラウンドを終えた場合には、内部状態（特別図柄プロセスフラグ）をステップＳ３０７に対応した値（この例では７）に更新する。
【０２３２】
大当り終了処理（ステップＳ３０７）：特別図柄プロセスフラグの値が７であるときに実行される。大当り遊技状態が終了したことを遊技者に報知する表示制御を演出制御用マイクロコンピュータ１００に行わせるための制御を行う。また、遊技状態を示すフラグ（例えば、確変フラグや時短フラグ）をセットする処理を行う。そして、内部状態（特別図柄プロセスフラグ）をステップＳ３００に対応した値（この例では０）に更新する。
【０２３３】
小当り開放前処理（ステップＳ３０８）：特別図柄プロセスフラグの値が８であるときに実行される。小当り開放前処理では、大入賞口を開放する制御を行う。具体的には、カウンタ（例えば、大入賞口に入った遊技球数をカウントするカウンタ）などを初期化するとともに、ソレノイド２１を駆動して大入賞口を開放状態にする。また、タイマによって大入賞口開放中処理の実行時間を設定し、内部状態（特別図柄プロセスフラグ）をステップＳ３０９に対応した値（この例では９）に更新する。尚、小当り開放前処理は各ラウンド毎に実行されるが、第１ラウンドを開始する場合には、小当り開放前処理は小当り遊技を開始する処理でもある。
【０２３４】
小当り開放中処理（ステップＳ３０９）：特別図柄プロセスフラグの値が９であるときに実行される。大入賞口の閉成条件の成立を確認する処理等を行う。大入賞口の閉成条件が成立し、かつ、まだ残りラウンドがある場合には、内部状態（特別図柄プロセスフラグ）をステップＳ３０８に対応した値（この例では８）に更新する。また、全てのラウンドを終えた場合には、内部状態（特別図柄プロセスフラグ）をステップＳ３１０に対応した値（この例では１０（１０進数））に更新する。
【０２３５】
小当り終了処理（ステップＳ３１０）：特別図柄プロセスフラグの値が１０であるときに実行される。小当り遊技状態が終了したことを遊技者に報知する表示制御を演出制御用マイクロコンピュータ１００に行わせるための制御を行う。そして、内部状態（特別図柄プロセスフラグ）をステップＳ３００に対応した値（この例では０）に更新する。
【０２３６】
次に、演出制御手段である演出制御基板８０の動作を説明する。図１７は、演出制御基板８０に搭載されている演出制御手段としての演出制御用マイクロコンピュータ１００（具体的には、演出制御用ＣＰＵ１２０）が実行するメイン処理を示すフローチャートである。演出制御用ＣＰＵ１２０は、電源が投入されると、メイン処理の実行を開始する。メイン処理では、まず、ＲＡＭ領域のクリアや各種初期値の設定、また演出制御の起動間隔（例えば、２ｍｓ）を決めるためのタイマの初期設定等を行うための初期化処理を行う（ステップＳ７０１）。その後、演出制御用ＣＰＵ１２０は、タイマ割込フラグの監視（ステップＳ７０２）を行うループ処理に移行する。タイマ割込が発生すると、演出制御用ＣＰＵ１２０は、タイマ割込処理においてタイマ割込フラグをセットする。メイン処理において、タイマ割込フラグがセットされていたら、演出制御用ＣＰＵ１２０は、そのフラグをクリアし（ステップＳ７０３）、以下の演出制御処理を実行する。
【０２３７】
演出制御処理において、演出制御用ＣＰＵ１２０は、まず、受信した演出制御コマンドを解析し、受信した演出制御コマンドに応じたフラグをセットする処理等を行う（コマンド解析処理：ステップＳ７０４）。次いで、演出制御用ＣＰＵ１２０は、演出制御プロセス処理を行う（ステップＳ７０５）。演出制御プロセス処理では、制御状態に応じた各プロセスのうち、現在の制御状態（演出制御プロセスフラグ）に対応した処理を選択して演出表示装置９の表示制御を実行する。
【０２３８】
次いで、大当り図柄決定用乱数などの乱数を生成するためのカウンタのカウント値を更新する乱数更新処理を実行する（ステップＳ７０６）。その後、ステップＳ７０２に移行する。
【０２３９】
図１８は、主基板３１の遊技制御用マイクロコンピュータ１５６から受信した演出制御コマンドを格納するためのコマンド受信バッファの一構成例を示す説明図である。この例では、２バイト構成の演出制御コマンドを６個格納可能なリングバッファ形式のコマンド受信バッファが用いられる。従って、コマンド受信バッファは、受信コマンドバッファ１〜１２の１２バイトの領域で構成される。そして、受信したコマンドをどの領域に格納するのかを示すコマンド受信個数カウンタが用いられる。コマンド受信個数カウンタは、０〜１１の値をとる。尚、必ずしもリングバッファ形式でなくてもよい。
【０２４０】
尚、遊技制御用マイクロコンピュータ１５６から送信された演出制御コマンドは、演出制御ＩＮＴ信号にもとづく割込処理で受信され、ＲＡＭに形成されているバッファ領域に保存されている。コマンド解析処理では、バッファ領域に保存されている演出制御コマンドがどのコマンド（図１３および図１４参照）であるのか解析する。
【０２４１】
図１９は、演出制御用マイクロコンピュータ１００が用いる乱数を示す説明図である。図１９に示すように、この実施例では、予告演出用乱数ＳＲ１〜６を用いる。尚、演出効果を高めるために、これら以外の乱数を用いてもよい。
【０２４２】
乱数値ＳＲ１−１〜３は、第１〜第３最終停止図柄決定用の乱数である。乱数値ＳＲ２は、滑り時仮停止図柄決定用の乱数である。乱数値ＳＲ３−１〜３は、第１〜第３擬似連時仮停止図柄決定用の乱数である。乱数値ＳＲ４は、予告図柄表示パターン決定用の乱数である。乱数値ＳＲ５は、予告図柄表示間隔決定用の乱数である。乱数値ＳＲ６は、予告演出パターン決定用の乱数である。
【０２４３】
尚、これらＳＲ１の乱数を生成するためのカウンタがＲＡＭに形成されている。そして、各カウンタの数値は、図１７に示す乱数更新処理（ステップＳ７０６）で更新される。すなわち、値が＋１される。そして、カウンタのカウント値が乱数の上限値（図１９に示された範囲における最大値）を越えると下限値（図１９に示された範囲における最小値）に戻される。乱数を生成するためのカウンタのカウント値を読み出すことを、乱数を抽出するという。
【０２４４】
演出制御用マイクロコンピュータ１００におけるＲＯＭには、図２０に示す図柄変動制御パターンテーブル１８０を初めとする、予告演出の演出制御パターンを含む予告演出制御パターンテーブル（図示略）、大当り状態や小当り状態における演出制御パターンを含む各種演出制御パターンテーブル（図示略）等が記憶されている。図２０に示す図柄変動制御パターンテーブル１８０には、演出図柄の変動が開始されてから最終停止図柄となる確定演出図柄が停止表示されるまでの期間における、演出表示動作等の演出動作の制御内容を示すデータが、変動パターンに応じて格納されている。各図柄変動制御パターンには、例えば、プロセスタイマ設定値、表示制御実行データ、ランプ制御実行データ、並びに音制御実行データといった演出図柄の可変表示に応じた各種の演出動作を制御するための複数の制御データ（プロセスデータ）が時系列的に設定されている。
【０２４５】
また、各種演出制御パターンテーブルには、大当り遊技状態や小当り遊技状態に制御されている期間における、各種の演出制御の内容を示すデータが、ラウンド等に応じて格納されている。各演出制御パターンには、プロセスタイマ設定値、表示制御実行データ、ランプ制御実行データといった各種の演出動作を制御するための複数の制御データが時系列的に設定されている。
【０２４６】
尚、図柄変動制御パターン、各種予告演出制御パターン、各種演出制御パターン各々の制御データの集まりを、プロセステーブルという。
【０２４７】
これら演出制御パターンは、例えばプロセスタイマ設定値、表示制御実行データ、ランプ制御実行データ、音制御実行データ、操作部発光制御実行データ、終了コードといった、各種の演出動作を制御するための制御データとなるプロセスデータから構成され、時系列的に、各種の演出制御の内容や、演出制御の切換タイミング等が設定されていればよい。
【０２４８】
プロセスタイマ設定値は、演出制御用ＣＰＵ１２０における演出制御用のプロセスタイマの格納値であるプロセスタイマ値と比較される値（判定値）であって、各演出動作の実行時間（演出時間）に対応した判定値が予め設定されている。尚、プロセスタイマ設定値に代えて、例えば主基板３１から所定の演出制御コマンドを受信したことや、演出制御用ＣＰＵ１２０において演出動作を制御するための処理として所定の処理が実行されたことといった、所定の制御内容や処理内容に対応して、演出制御の切換タイミング等を示すデータが設定されていてもよい。
【０２４９】
表示制御実行データには、例えば演出図柄の可変表示中における各演出図柄の変動態様を示すデータといった、演出表示装置９の表示画面における演出画像の表示態様を示すデータが含まれている。すなわち、表示制御実行データは、演出表示装置９の表示画面における演出画像の表示動作を指定するデータである。音制御実行データには、例えば演出図柄の可変表示中における演出図柄の可変表示動作に連動した効果音等の出力態様を示すデータといった、各スピーカ２７からの音声出力態様を示すデータが含まれている。すなわち、音制御実行データは、各スピーカ２７からの音声出力動作を指定するデータである。ランプ制御実行データには、例えば装飾ＬＥＤ２５や天ランプモジュール５３０、左枠ＬＥＤ２８ｂ、右枠ＬＥＤ２８ｃといった、発光体の点灯動作態様を示すデータが含まれている。すなわち、ランプ制御実行データは、発光体の点灯動作を指定するデータである。尚、これらの制御データは、全ての演出制御パターンに含まれなければならないものではなく、各演出制御パターンによる演出動作の内容に応じて、一部の制御データを含んで構成される演出制御パターンがあってもよい。また、演出制御パターンに含まれる複数種類のプロセスデータでは、各タイミングで実行される演出動作の内容に応じて、それぞれのプロセスデータを構成する制御データの種類が異なっていてもよい。すなわち、表示制御データや音声制御実行データ、ランプ制御実行データの全部を含んで構成されたプロセスデータもあれば、これらの一部を含んで構成されたプロセスデータもあってよい。さらに、例えば演出用役物が備える可動部材における動作態様を示す可動部材制御データといった、その他の各種制御データが含まれることがあってもよい。
【０２５０】
演出制御用ＣＰＵ１２０は、これら演出制御パターンに含まれる各種の制御データに従って、演出動作の制御内容を決定する。例えば、プロセスタイマ値がプロセスタイマ設定値のいずれかと合致したときには、そのプロセスタイマ設定値と対応付けられた演出制御実行データに含まれる表示制御実行データにより指定される態様で演出図柄を表示させるとともに、キャラクタ画像や背景画像といった演出画像を演出表示装置９の表示画面に表示させる制御を行う。また、音声制御実行データにより指定される態様で各スピーカ２７から音声を出力させる制御を行うとともに、ランプ制御実行データにより指定される態様で装飾ＬＥＤ２５や天ランプモジュール５３０、左枠ＬＥＤ２８ｂ、右枠ＬＥＤ２８ｃ等の発光体を点滅させる制御を行う。尚、プロセスタイマ設定値と対応していても制御対象にならない演出用部品に対応するデータには、ダミーデータ（制御を指定しないデータ）が設定されてもよい。
【０２５１】
また、予告演出制御パターンには、予告演出を実施する際に、予告演出が開始されてから予告演出が終了するまでの期間における、演出表示動作等の演出動作の制御内容を示すデータ（予告演出制御パターン）が格納されている。予告演出制御パターンには、図柄変動制御パターンと同じく、予告プロセスタイマ設定値、表示制御実行データ、ランプ制御実行データ、音制御実行データといった予告演出の演出動作を制御するための複数の制御データ（予告プロセスデータ）とともに、遊技者からの操作を受付けるためにプッシュボタン５１６や操作レバー６００の操作を受付ける期間等のデータやこれら操作を受付けるための制御データが時系列的に設定されている。
【０２５２】
尚、これら予告演出制御パターンは、変動開始後に予告演出を開始するまでの予告演出開始待ち時間を特定可能とされており、これら特定される予告演出開始待ち時間に基づいて、後述する予告演出開始待ちタイマがセットされるようになっている。
【０２５３】
演出制御用マイクロコンピュータ１００におけるＲＡＭには、第１保留記憶表示部並びに第２保留記憶表示部の表示を行うための第１保留表示バッファと第２保留表示バッファや、時短回数をカウントするための時短回数カウンタが設けられている。
【０２５４】
また、演出制御用マイクロコンピュータ１００におけるＲＯＭには、演出制御用のプログラムの他にも、演出動作を制御するために用いられる各種のデータテーブルなどが格納されている。例えば、ＲＯＭには、演出制御用ＣＰＵ１２０が各種の判定や決定、設定を行うために用意された複数の判定テーブルや決定テーブル、制御パターンテーブルを構成するテーブルデータが記憶されている。
【０２５５】
演出制御用マイクロコンピュータ１００におけるＲＯＭが記憶する決定テーブルには、停止図柄予告演出の実行及び実行する場合に予告の対象とする演出図柄表示エリアを「左」／「中」／「右」／「左」、「右」／「右」、「中」のうちいずれにするかを決定する停止図柄予告演出実行決定テーブル（図示略）や、停止図柄予告演出において２つの表示エリアが予告の対象となる場合に、「左」、「中」、「右」の各演出図柄表示エリア９Ｌ，９Ｃ，９Ｒのうち予告図柄を表示する図柄表示エリア及び表示順序を決定する予告図柄表示パターン決定テーブル１８１ａ、１８１ｂや、停止図柄予告演出において、「左」、「中」、「右」の各演出図柄表示エリア９Ｌ，９Ｃ，９Ｒのうち一の図柄表示エリアに予告図柄を表示してから他の図柄表示エリアに予告図柄を表示するまでの時間間隔を決定する予告図柄表示間隔決定テーブル１８２等が含まれている。
【０２５６】
図２１（ａ）に示す予告図柄表示パターン決定テーブル１８１ａは、擬似連演出を伴わない変動パターンが決定されている場合（擬似連非決定時）において、予告図柄を表示する図柄表示エリア及び表示順序を、予告図柄表示パターン決定用の乱数ＳＲ４に基づいて決定するために参照されるテーブルである。また、図２１（ｂ）に示す予告図柄表示パターン決定テーブル１８１ｂは、擬似連演出を伴う変動パターンが決定されている場合において、予告図柄を表示する図柄表示エリア及び表示順序を、予告図柄表示パターン決定用の乱数ＳＲ４に基づいて決定するために参照されるテーブルである。また、これら予告図柄表示パターン決定テーブル１８１ａ、１８１ｂでは、決定されている大当りの種別やはずれに応じて乱数値の割り当てが異なっている。
【０２５７】
予告図柄表示パターン決定テーブル１８１ａでは、確変大当りＡが決定されている場合では、「左」、「右」の順に予告図柄を停止表示させることを４０％、「右」、「左」の順に予告図柄を停止表示させることを６０％の割合で決定する。確変大当りＢが決定されている場合では、「左」、「右」及び「右」、「左」の順に予告図柄を停止表示させることをそれぞれ５０％の割合で決定する。確変大当りＣが決定されている場合では、「左」、「右」の順に予告図柄を停止表示させることを６０％、「右」、「左」の順に予告図柄を停止表示させることを４０％の割合で決定する。また、はずれ（リーチ）が決定されている場合では、「左」、「右」の順に予告図柄を停止表示させることを９０％、「右」、「左」の順に予告図柄を停止表示させることを１０％の割合で決定する。はずれ（非リーチ）が決定されている場合では、「左」、「右」の順に予告図柄を停止表示させることを９０％、「右」、「左」の順に予告図柄を停止表示させることを５％、「右」、「中」の順に予告図柄を停止表示させることを４％、「中」、「右」の順に予告図柄を停止表示させることを１％の割合でそれぞれ決定する。
【０２５８】
このように擬似連演出を伴わない変動パターンが決定されているときは、確変大当りＡの場合は「右」、「左」の順に予告図柄を停止表示させることが多く、通常大当りＣやはずれ（リーチ、非リーチ）の場合は「左」、「右」の順に予告図柄を停止表示させることが多い。すなわち、演出図柄の可変表示の停止順序（「左」、「右」、「中」）通りに（「左」、「右」の順）予告図柄が表示される場合は「通常大当りＣ」になる可能性が高く、演出図柄の可変表示の停止順序（「左」、「右」、「中」）とは異なる順序（例えば、「右」、「左」）で予告図柄が表示される場合は「確変大当りＡ」になる可能性が高い。
【０２５９】
また、大当りＡ〜Ｃ及びはずれ（リーチ）のいずれかが決定されている場合は、「右」、「中」や「中」、「右」の順に予告図柄を表示するパターンが選択されないようになっている。つまり、これらはリーチが成立する変動パターンが決定されるため、「右」、「中」や「中」、「右」の順に予告図柄を表示した場合、「左」の演出図柄表示エリア９Ｌに演出図柄が仮停止表示された時点で、該「左」の演出図柄表示エリア９Ｌに仮停止表示された演出図柄と、「右」「中」の図柄表示エリア９Ｃ，９Ｒに表示された予告図柄とで、大当り図柄の組合せが停止表示されるか否かが判明してしまうため、第２、第３停止（「右」、「中」や「中」、「右」）の順で予告図柄を表示しないようにしている。但し、はずれ（非リーチ）の場合、「右」「中」の演出図柄表示エリア９Ｃ，９Ｒに予告図柄が表示されても、「左」の演出図柄表示エリア９Ｌに演出図柄が停止表示されることはないので、「右」「中」の演出図柄表示エリア９Ｃ，９Ｒに予告図柄を表示することもある。
【０２６０】
予告図柄表示パターン決定テーブル１８１ｂでは、確変大当りＡが決定されている場合では、「左」、「右」及び「右」、「左」の順に予告図柄を停止表示させることを１０％、「右」、「中」の順に予告図柄を停止表示させることを６０％、「中」、「右」の順に予告図柄を停止表示させることを２０％の割合でそれぞれ決定する。確変大当りＢが決定されている場合では、「左」、「右」及び「右」、「左」の順に予告図柄を停止表示させることを１０％、「右」、「中」の順に予告図柄を停止表示させることを２０％、「中」、「右」の順に予告図柄を停止表示させることを６０％の割合でそれぞれ決定する。通常大当りＣが決定されている場合では、「左」、「右」の順に予告図柄を停止表示させることを６０％、「右」、「左」の順に予告図柄を停止表示させることを２０％、「右」、「中」及び「中」、「右」の順に予告図柄を停止表示させることを１０％の割合でそれぞれ決定する。また、はずれが決定されている場合では、「左」、「右」の順に予告図柄を停止表示させることを９０％、「右」、「左」の順に予告図柄を停止表示させることを５％、「右」、「中」の順に予告図柄を停止表示させることを４％、「中」、「右」の順に予告図柄を停止表示させることを１％の割合でそれぞれ決定する。
【０２６１】
このように擬似連演出を実行するときは、確変大当りＡの場合は「右」、「中」の順に予告図柄を停止表示させることが多く、確変大当りＢの場合は「中」、「右」の順に予告図柄を停止表示させることが多く、通常大当りＣの場合は「左」、「右」の順に予告図柄を停止表示させることが多い。すなわち、演出図柄の可変表示の停止順序（「左」、「右」、「中」）通りに（「左」、「右」）予告図柄が表示される場合は「通常大当りＣ」になる可能性が高く、演出図柄の可変表示の停止順序（「左」、「右」、「中」）とは異なる順序（「右」、「中」、「中」、「右」の順）で予告図柄が表示される場合は確変大当りＡや確変大当りＢになる可能性が高い。
【０２６２】
図２２に示す予告図柄表示間隔決定テーブル１８２は、停止図柄予告演出における予告の対象とする演出図柄表示エリアが２つに決定されている場合において、一の図柄表示エリアに予告図柄を表示してから他の図柄表示エリアに予告図柄を表示するまでの期間を、予告図柄表示間隔決定用の乱数ＳＲ５に基づいて決定するために参照されるテーブルである。特に特定演出として擬似連を伴う変動パターンが決定されている場合は、再変動回数に応じて乱数値の割り当てが異なっている。
【０２６３】
予告図柄表示間隔決定テーブル１８２では、擬似連演出を伴わない変動パターンである非リーチＰＡ１−３、ノーマルＰＡ２−１〜４、スーパーＰＢ３−１〜６のいずれかが決定されている場合、予告図柄の表示間隔として、０秒（同時表示）を５％、１秒を８０％、３秒を１５％の割合で決定する。また、滑り演出が実行される変動パターンのうち特殊ＰＧ１−１，１−２，２−１が決定されている場合、予告図柄の表示間隔として、１秒を６０％、３秒を４０％の割合で決定する。
【０２６４】
擬似連演出（再変動２回）が実行される変動パターンのうち非リーチＰＡ１−４、ノーマルＰＢ２−１，２−３が決定されている場合、変動開始時は、予告図柄の表示間隔として、０秒（同時表示）を５％、１秒を３５％、３秒を６０％の割合で決定し、再変動１回目は、１秒を１０％、３秒を４０％、５秒を５０％の割合で決定し、再変動２回目は、１秒を７０％、３秒を３０％の割合で決定する。また、擬似連演出（再変動２回）が実行される変動パターンのうち特殊ＰＧ１−３，２−２が決定されている場合、変動開始時から再変動２回目まで、全て１秒を４０％、３秒を６０％の割合で決定する。
【０２６５】
擬似連演出（再変動３回）が実行される変動パターンのうちノーマルＰＢ２−２，２−４、スペシャルＰＡ３−１，３−２が決定されている場合、変動開始時は、予告図柄の表示間隔として、０秒（同時表示）を５％、１秒を３５％、３秒を６０％の割合で決定し、再変動１回目は、１秒を１０％、３秒を４０％、５秒を５０％の割合で決定し、再変動２回目は、３秒を１０％、５秒を９０％の割合で決定し、再変動３回目は、１秒を７０％、３秒を３０％の割合で決定する。
【０２６６】
このように、２つの図柄表示エリアを予告の対象とするときに擬似連の演出を伴わない変動パターンが決定されている場合は、一の図柄表示エリアに予告図柄を表示してから他の図柄表示エリアに予告図柄を表示するまでの期間として「１秒」が最も高い割合で選択されるのに対し、擬似連演出を伴う変動パターンが決定されている場合は、最後の再変動を除いて「１秒」よりも長い「３秒」または「５秒」が最も高い割合で選択される。
【０２６７】
よって、一の図柄表示エリアに予告図柄を表示してから他の図柄表示エリアに予告図柄を表示するまでの期間が短い（例えば、１秒）場合は、リーチ状態を構成する予告図柄の組合せ（例えば、「７−↓−７」等）が表示される可能性が高くなり、期間が長い（例えば、３秒、５秒）場合は、擬似連チャンス目の一部を構成する予告図柄の組合せ（例えば、「７−↓−８」等）が表示される可能性が高くなる。
【０２６８】
尚、擬似連演出では、最後の再変動が実行された後はリーチ状態になるため、擬似連演出を伴う変動パターンの最後の再変動では、滑り演出の変動パターンが決定されている場合と同じように、「１秒」の方が「３秒」よりも高い割合で決定されるようになっている。
【０２６９】
また、新たな再変動が開始されるごとに、期間としてより長い時間が決定されるため、期間が長くなるほど、再変動が継続することに対する期待感を高めることができる。
【０２７０】
本実施例では、リーチ状態を構成する予告図柄の組合せと、擬似連チャンス目を構成する予告図柄の組合せとで、遊技者に対しこれら予告図柄の組合せ通りの演出図柄の組合せが仮停止表示された場合に遊技者に対し付与（示唆）される価値としては、擬似連チャンス目を構成する予告図柄の組合せが表示された場合の方が高い。
【０２７１】
すなわち、リーチ状態を構成する予告図柄の組合せが表示された場合、予告通りのリーチ目が仮停止表示されたときに、スーパーリーチに発展せずにノーマルリーチになる可能性があるのに対し、擬似連チャンス目を構成する予告図柄の組合せが表示された場合、予告通りの擬似連チャンス目が仮停止表示されて再変動に発展することを期待できるばかりか、再変動回数が増えるごとに大当り信頼度が高まるように構成されている（例えば、擬似連回数が３回の変動パターンは、最終停止図柄として大当り図柄が決定されているときに選択される割合が擬似連回数が２回の変動パターンよりも高い）ため、遊技者は、リーチ状態を構成する予告図柄の組合せが表示されるよりも擬似連チャンス目を構成する予告図柄の組合せが表示されることを期待する。
【０２７２】
よって、一の図柄表示エリアに予告図柄を表示してから他の図柄表示エリアに予告図柄を表示するまでの期間が長くなるほど、リーチ状態を構成する予告図柄の組合せよりも価値が高い擬似連チャンス目を構成する予告図柄の組合せが表示されることに対する期待感を高めることが可能となる。
【０２７３】
演出制御用ＣＰＵ１２０は、これら予告図柄表示パターン及び予告図柄表示間隔決定テーブルにて予告図柄の表示パターン及び表示間隔を決定する前に、遊技制御用マイクロコンピュータ１５６から送信された変動パターンに基づいて最終停止図柄を決定するとともに、該変動パターンが特定演出を伴う変動パターンである場合には、該決定した最終停止図柄に基づいて仮停止表示する演出図柄の組合せを決定する。
【０２７４】
次いで、停止図柄予告演出を実行するか否かを決定するとともに、実行すると決定した場合には、予告の対象とする演出図柄表示エリアをいずれにするかを決定し、該決定した演出図柄表示エリアに停止表示される演出図柄を予告する停止図柄予告演出を実行する。
【０２７５】
例えば、非リーチはずれの変動パターンが決定されている場合、リーチには発展しないので、仮停止表示する演出図柄としてリーチを構成する図柄の組合せは決定しないため、予告図柄としてリーチを構成しない予告図柄の組合せが表示され、予告図柄とは異なる演出図柄が仮停止した後、予告図柄通りの演出図柄が停止表示され、リーチやチャンス目を構成する演出図柄の組合せにはならない。尚、滑り演出を伴う変動パターンの場合は、予告図柄としてリーチを構成しない予告図柄の組合せが表示され、予告図柄とは異なる演出図柄が仮停止した後に滑りが発生し、再変動後に予告図柄通りの演出図柄が停止表示される。
【０２７６】
また、リーチ及びリーチはずれの変動パターンが決定されている場合は、リーチに発展させるため、仮停止表示する演出図柄としてリーチを構成する図柄の組合せを決定するので、予告図柄としてはリーチを構成する予告図柄の組合せが表示され、リーチ状態になる場合は予告図柄とは異なる演出図柄が仮停止した後、予告図柄通りの演出図柄の組合せが停止表示され、リーチに発展する。尚、滑り演出を伴う変動パターンの場合は、予告図柄としてはリーチを構成する予告図柄の組合せが表示され、リーチ状態になる場合は予告図柄とは異なる演出図柄が仮停止した後に滑りが発生し、再変動後に予告図柄通りの演出図柄の組合せが停止表示され、リーチに発展する。
【０２７７】
また、擬似連演出を伴う変動パターンが決定されている場合、最後の再変動まではリーチに発展しないため、仮停止表示する演出図柄としてリーチを構成しない図柄の組合せを決定するので、予告図柄としてはリーチを構成しない予告図柄の組合せが表示される。そして最後の再変動ではリーチに発展させるため、仮停止表示する演出図柄としてリーチを構成する図柄の組合せを決定するので、予告図柄通りの演出図柄が仮停止した後、リーチに発展することになる。
【０２７８】
尚、これら仮停止図柄の種別及び組合せの決定は、特に図示しないが、最終停止図柄表示パターン決定テーブルを参照して決定された表示パターンに応じて、図示しない図柄決定テーブルに基づいて決定される。
【０２７９】
また、予告図柄は、各演出図柄（例えば、「１」〜「９」）それぞれに対応する予告図柄が予め定められている。本実施例では、「黒」の演出図柄に対応する予告図柄として「白」が定められており、例えば「黒７」の演出図柄に対応する予告図柄は半透明の「白７」とされている。
【０２８０】
また、本実施例では、はずれの変動パターンが決定されている場合、大当りの変動パターンが決定されているときよりも高い割合で、予告の対象とする演出図柄表示エリアの数を１つに決定し、大当りの変動パターンが決定されている場合、はずれの変動パターンが決定されているときよりも高い割合で、予告の対象とする演出図柄表示エリアの数を２つに決定するため、停止図柄予告の対象となる表示エリアが２つの場合、１つの場合よりも大当りに対する遊技者の期待感が高めることができる。
【０２８１】
また、本実施例では、非リーチ変動パターンが決定されている場合、リーチ変動パターンが決定されているときよりも高い割合で、予告の対象とする演出図柄表示エリアの数を１つに決定し、リーチ変動パターンが決定されている場合、非リーチ変動パターンが決定されているときよりも高い割合で、予告の対象とする演出図柄表示エリアの数を２つに決定するため、停止図柄予告の対象となる表示エリアが２つの場合、１つの場合よりもリーチに発展することに対する遊技者の期待感が高めることができる。
【０２８２】
尚、本実施例では、擬似連演出を伴う変動パターンが決定されている場合、予め各再変動時における表示時間間隔を全て決定しているが、再変動が開始されるごとに表示間隔を決定するようにしてもよい。また、各再変動ごとに表示間隔を決定しているが、全ての表示間隔を一律に決定するようにしてもよい。
【０２８３】
また、本実施例では、最終停止図柄（確定演出図柄）及び仮停止図柄が決定された後に、停止図柄予告演出を実行するか否かを決定し、該演出の実行を決定するときに予告の対象とする演出図柄表示エリアの数を決定していたが、演出図柄表示エリアの数を決定するときに予告表示パターン及び表示間隔を決定するようにしてもよい。
【０２８４】
また、本実施例では、停止図柄予告演出の実行を決定したときに、予告の対象とする演出図柄表示エリアの数を決定し、対象とする演出図柄表示エリアが複数の場合に予告表示パターン及び表示間隔を決定していたが、例えば各演出図柄表示エリア９Ｌ，９Ｃ，９Ｒについて停止図柄予告演出を実行するか否かを決定し、実行を決定した演出図柄表示エリアが複数の場合に予告表示パターンや表示間隔を決定するようにしてもよい。
【０２８５】
次に、停止図柄予告演出の表示タイミングの一例を、図２３に基づいて説明する。図２３は、（ａ）は滑り時の予告図柄の表示状態、（ｂ）は擬似連時の予告図柄の表示状態の一例を示すタイミングチャートである。
【０２８６】
図２３（ａ）に示すように、滑り演出が実行されるリーチ変動パターンが決定されたことに基づいて、停止図柄予告演出として、「左」、「右」の順に予告図柄をｔ１秒後に停止表示させるパターンが決定された場合について説明する。まず、「左」、「中」、「右」の各演出図柄表示エリア９Ｌ，９Ｃ，９Ｒにおける演出図柄の可変表示が開始された後、所定期間が経過してから「左」の演出図柄表示エリア９Ｌに予告図柄が表示される。そして、該「左」の演出図柄表示エリア９Ｌに予告図柄が表示されてから所定時間ｔ１（例えば、１秒）が経過した時点で、「右」の演出図柄表示エリア９Ｒに予告図柄が表示される。
【０２８７】
その後、「左」の演出図柄表示エリア９Ｌに予告図柄通りの演出図柄が仮停止表示され、次いで、「右」の演出図柄表示エリア９Ｒには、予告図柄とは異なる演出図柄が仮停止表示された後、該演出図柄が再変動を開始して（滑り）、「右」の演出図柄表示エリア９Ｒに予告図柄通りの演出図柄が仮停止表示され、リーチ状態が成立する。
【０２８８】
図２３（ｂ）に示すように、擬似連演出が実行されるリーチ変動パターンが決定されたことに基づいて、停止図柄予告演出として、「左」、「右」の順に予告図柄をｔ２秒後に停止表示させるパターンが決定された場合について説明する。まず、「左」、「中」、「右」の各演出図柄表示エリア９Ｌ，９Ｃ，９Ｒにおける演出図柄の可変表示が開始された後、所定期間が経過してから「左」の演出図柄表示エリア９Ｌに予告図柄が表示される。そして、該「左」の演出図柄表示エリア９Ｌに予告図柄が表示されてから所定時間ｔ１よりも長いｔ２（例えば、３秒）が経過した時点で、「右」の演出図柄表示エリア９Ｒに予告図柄が表示される。
【０２８９】
その後、「左」の演出図柄表示エリア９Ｌに予告図柄通りの演出図柄が仮停止表示され、次いで、「右」の演出図柄表示エリア９Ｒにも予告図柄通りの演出図柄が仮停止表示された後、「中」の演出図柄表示エリア９Ｃにチャンス目を構成する演出図柄が仮停止表示されることで、擬似連チャンス目が成立する。そして、全ての演出図柄表示エリア９Ｌ，９Ｃ，９Ｒにて演出図柄の再変動が開始される。
【０２９０】
演出制御用マイクロコンピュータ１００におけるＲＯＭが記憶する決定テーブルには、予告演出において、複数種類（「キャラクタ表示」、「ステップアップ画像」、「メール表示」）のうちいずれの予告を行う際に使用される各予告演出用テーブル（図示略）が記憶されている。尚、これら予告演出用テーブルとしては、上記以外にも、例えば、その時点の保留記憶にて大当りする可能性を予告する大当り保留予告演出用テーブルや、可変表示の終了時に確変大当りＡが発生して確変状態（高確高ベース）に移行する可能性を予告する確変予告演出用テーブルや、可変表示の終了時に発生する大当りのラウンド数について予告するラウンド数予告演出用テーブルや、可変表示の終了時に確変大当りＢが発生して確変状態（高確低ベース）に移行する可能性を予告する潜伏当り予告演出用テーブルや、その時点の保留記憶にてプレミアムリーチ（スーパーリーチＣ）が発生する可能性を予告するプレミア保留予告演出用テーブル等であってもよい。
【０２９１】
図２４は、図１７に示されたメイン処理における演出制御プロセス処理（ステップＳ７０５）を示すフローチャートである。演出制御プロセス処理では、演出制御用ＣＰＵ１２０は、演出制御プロセスフラグの値に応じてステップＳ８００〜Ｓ８０６のうちのいずれかの処理を行う。各処理において、以下のような処理を実行する。尚、演出制御プロセス処理では、演出表示装置９の表示状態が制御され、演出図柄の可変表示が実現されるが、第１特別図柄の変動に同期した演出図柄の可変表示に関する制御も、第２特別図柄の変動に同期した演出図柄の可変表示に関する制御も、一つの演出制御プロセス処理において実行される。
【０２９２】
変動パターンコマンド受信待ち処理（ステップＳ８００）：遊技制御用マイクロコンピュータ１５６から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を演出図柄変動開始処理（ステップＳ８０１）に対応した値に変更する。
【０２９３】
演出図柄変動開始処理（ステップＳ８０１）：演出図柄の変動が開始されるように制御する。そして、演出制御プロセスフラグの値を演出図柄変動中処理（ステップＳ８０２）に対応した値に更新する。
【０２９４】
演出図柄変動中処理（ステップＳ８０２）：変動パターンを構成する各変動状態（変動速度）の切替タイミング等を制御するとともに、変動時間の終了を監視するとともに、演出図柄変動開始処理にて停止図柄予告演出パターンデータが設定されている場合は、該停止図柄予告演出パターンデータに基づいて、演出図柄の変動表示に応じて停止図柄予告演出を実行する。そして、変動時間が終了したら、演出制御プロセスフラグの値を演出図柄変動停止処理（ステップＳ８０３）に対応した値に更新する。
【０２９５】
演出図柄変動停止処理（ステップＳ８０３）：全図柄停止を指示する演出制御コマンド（図柄確定指定コマンド）を受信したことにもとづいて、演出図柄の変動を停止し表示結果（停止図柄）を導出表示する制御を行う。そして、演出制御プロセスフラグの値を当り表示処理（ステップＳ８０４）または変動パターンコマンド受信待ち処理（ステップＳ８００）に対応した値に更新する。
【０２９６】
当り表示処理（ステップＳ８０４）：変動時間の終了後、演出表示装置９に大当り或いは小当りの発生を報知するための画面を表示する制御を行う。そして、演出制御プロセスフラグの値を当り遊技中処理（ステップＳ８０５）に対応した値に更新する。
【０２９７】
当り遊技中処理（ステップＳ８０５）：大当り遊技中或いは小当り遊技中の制御を行う。例えば、大入賞口開放中指定コマンドや大入賞口開放後指定コマンドを受信したら、演出表示装置９におけるラウンド数の表示制御等を行う。そして、演出制御プロセスフラグの値を当り終了演出処理（ステップＳ８０６）に対応した値に更新する。
【０２９８】
当り終了演出処理（ステップＳ８０６）：演出表示装置９において、大当り遊技状態或いは小当り遊技状態が終了したことを遊技者に報知する表示制御を行う。そして、演出制御プロセスフラグの値を変動パターンコマンド受信待ち処理（ステップＳ８００）に対応した値に更新する。
【０２９９】
尚、本実施例では、小当りが発生した場合においては、ステップＳ８０４〜８０６において、確変大当りＢが発生した場合と同様の演出処理を実施することで、発生したのが、確変状態に移行する確変大当りＢであるのか、確変状態に移行しない小当りが発生したのかを遊技者が判別できないようになっている。
【０３００】
図２５は、図２４に示された演出制御プロセス処理における演出図柄変動開始処理（ステップＳ８０１）を示すフローチャートである。演出図柄変動開始処理において、演出制御用ＣＰＵ１２０は、まず、変動パターンコマンド格納領域からステップＳ８００にて受信した変動パターンコマンドを読み出す（ステップＳ８２０）。次いで、表示結果指定コマンド格納領域に格納されているデータ（すなわち、受信した表示結果指定コマンド）に応じて演出図柄の表示結果（最終停止図柄）を決定する（ステップＳ８２１）。この場合、演出制御用ＣＰＵ１２０は、表示結果指定コマンドで指定される表示結果に応じた演出図柄の最終停止図柄を決定し、決定した演出図柄の停止図柄を示すデータを演出図柄表示結果格納領域に格納する。
【０３０１】
尚、この実施例では、受信した表示結果指定コマンドが確変大当りＡに該当する表示結果２指定コマンドである場合において、演出制御用ＣＰＵ１２０は、例えば、停止図柄として３図柄が奇数図柄で揃った演出図柄の組合せ（大当り図柄）を決定する。受信した表示結果指定コマンドが通常大当りＣに該当する表示結果４指定コマンドである場合においては、例えば、停止図柄として３図柄が偶数図柄で揃った演出図柄の組合せ（大当り図柄）を決定する。また、受信した表示結果指定コマンドが確変大当りＢ或いは小当りに該当する表示結果３〜８指定コマンドである場合においては、停止図柄として、予めチャンス目として設定されている図柄の複数の組合せ（例えば「１３５」、「３３４」、「７８７」…などの演出図柄の組合せ）の中から決定する。また、受信した表示結果指定コマンドが、はずれに該当する表示結果１指定コマンドである場合には、停止図柄として３図柄が不揃いとなる演出図柄の組合せ（はずれ図柄）を決定する。尚、演出図柄の組合の中には、はずれ図柄並びにチャンス目の双方に含まれるものが存在し、小当りの場合とはずれの場合とで同一の停止図柄となる場合が存在する。
【０３０２】
これら停止図柄の決定においては、演出制御用ＣＰＵ１２０は、例えば、停止図柄を決定するための乱数を抽出し、演出図柄の組合せを示すデータと数値とが対応付けられている停止図柄決定テーブルを用いて、演出図柄の停止図柄を決定すれば良い。すなわち、抽出した乱数に一致する数値に対応する演出図柄の組合せを示すデータを選択することによって停止図柄を決定すれば良い。よって、確変大当りＢと小当りにおいては、同一の停止図柄が決定される場合があり得る。
【０３０３】
次いで、特定演出設定処理を実行した後（ステップＳ８２２）、停止図柄予告演出処理を実行する（ステップＳ８２３）。そして、ステップＳ８２４に進み、当該変動パターンに基づいて、当該可変表示において予告演出を実行するか否か及び実行する場合には複数種類の予告演出のうちいずれにするか、つまり予告演出の種別を決定する予告演出決定処理を実行する（ステップＳ８２４）。尚、ステップＳ８２４では、予告演出の実行が決定されたか否かを判定し、実行が決定された場合には予告実行決定フラグをセットするとともに、予告に対応する予告演出制御パターン（予告プロセステーブル）に基づいて予告演出開始待ち時間を特定し、該特定した待ち時間を予告演出開始待ちタイマにセットした後、ステップＳ８２５に進む。予告演出の実行が決定されなかった場合はそのままステップＳ８２５に進む。
【０３０４】
次いで、変動パターンコマンドに応じた図柄変動制御パターン（プロセステーブル）を選択するとともに（ステップＳ８２５）、選択したプロセステーブルのプロセスデータ１におけるプロセスタイマをスタートさせる（ステップＳ８２６）。
【０３０５】
そして演出制御用ＣＰＵ１２０は、プロセスデータ１の内容（表示制御実行データ１、ランプ制御実行データ１、音制御実行データ１）に従って演出装置（演出用部品としての演出表示装置９、演出用部品としての各種ランプおよび演出用部品としてのスピーカ２７、プッシュボタン５１６や操作レバー６００）の制御を実行する（ステップＳ８２７）。例えば、演出表示装置９において変動パターンに応じた画像を表示させるために、ＶＤＰに指令を出力する。また、各種ランプを点灯／消灯制御を行わせるために、天ランプモジュール基板５４２、左前板天基板４７３ｂ、右前板天基板４７３ｃに対して制御信号（ランプ制御実行データ）を出力する。また、スピーカ２７からの音声出力を行わせるために、音声制御基板７０に対して制御信号（音番号データ）を出力する。
【０３０６】
尚、この実施例では、演出制御用ＣＰＵ１２０は、変動パターンコマンドに１対１に対応する変動パターンによる演出図柄の可変表示が行われるように制御するが、演出制御用ＣＰＵ１２０は、変動パターンコマンドに対応する複数種類の変動パターンから、使用する変動パターンを選択するようにしてもよい。
【０３０７】
そして、変動時間タイマに、変動パターンコマンドで特定される変動時間に相当する値を設定する（ステップＳ８２８）。また、変動制御タイマに所定時間を設定する（ステップＳ８２９）。尚、所定時間は例えば３０ｍｓであり、演出制御用ＣＰＵ１２０は、所定時間が経過する毎に左中右の演出図柄の表示状態を示す画像データをＶＲＡＭに書き込み、ＶＤＰがＶＲＡＭに書き込まれた画像データに応じた信号を演出表示装置９に出力し、演出表示装置９が信号に応じた画像を表示することによって演出図柄の変動が実現される。次いで、演出制御プロセスフラグの値を演出図柄変動中処理（ステップＳ８０２）に対応した値にする（ステップＳ８３０）。
【０３０８】
図２６は、特定演出設定処理を示すフローチャートである。特定演出設定処理において、演出制御用ＣＰＵ１２０は、変動パターンコマンド格納領域に格納されている変動パターンが特定演出を伴う変動パターンであるか否かを判定し（ステップＳ８４０）、特定演出を伴う変動パターンではない場合は、そのまま処理を終了する。また、ステップＳ８４０で特定演出を伴う変動パターンである場合には、「滑り」または「擬似連」に応じた特定演出パターン判定テーブル（図示略）を参照して特定演出パターンを決定するとともに（ステップＳ８４１）、特定演出にて最終停止図柄を停止表示する前に仮停止表示させる仮停止図柄を決定し（ステップＳ８４２）、処理を終了する。
【０３０９】
尚、特定演出パターンとしては、例えば滑り演出であれば、滑りを発生させる演出図柄表示エリア９Ｌ，９Ｃ，９Ｒや滑りの速さ（例えば、高速や低速等）等の滑り態様を複数種類のパターンを含む。また、例えば擬似連であれば、再変動のタイミングや演出図柄の変動態様等を複数種類のパターンを含む。
【０３１０】
尚、この実施例では、滑りを伴う変動パターンが格納されている場合、仮停止図柄として、演出図柄の最終停止図柄の一部の組合せ（リーチ）を構成する演出図柄の組合せ（例えば、「７−↓−７」や「２−↓−２」）を決定する。また、擬似連を伴う変動パターンが格納されている場合、仮停止図柄として、演出図柄の最終停止図柄の組合せに基づいて、擬似連チャンス目を構成する演出図柄の組合せ（例えば、「７−７−８」や「２−２−３」）を決定する。これら仮停止図柄の決定には、演出制御用ＣＰＵ１２０は、例えば、仮停止図柄を決定するための乱数を抽出し、演出図柄の組合せを示すデータと数値とが対応付けられている仮停止図柄決定テーブル（図示略）を用いて、演出図柄の仮停止図柄を決定すれば良い。すなわち、抽出した乱数に一致する数値に対応する演出図柄の組合せを示すデータを選択することによって仮停止図柄を決定すれば良い。
【０３１１】
また、擬似連を伴う変動パターンが格納されている場合は、擬似連の再変動回数分の仮停止図柄が決定される。尚、再変動ごとに仮停止表示される仮停止図柄は、全ての再変動で同じ仮停止図柄を決定してもよい。また、各再変動毎の仮停止図柄を抽選等によりランダムに決定してもよく、この場合、該抽選により複数の再変動で同一の仮停止図柄が決定されてもよいし、全ての再変動で異なる仮停止図柄が決定されてもよい。
【０３１２】
図２７は、停止図柄予告演出設定処理を示すフローチャートである。停止図柄予告演出設定処理において、演出制御用ＣＰＵ１２０は、当該変動において停止図柄予告演出を実行するか否かを、図示しない停止図柄予告演出決定テーブルを参照して、表示結果が大当りとなるか否か及び遊技状態や変動パターンコマンド格納領域に格納されている変動パターン等に基づいて決定する停止図柄予告演出抽選を実行する（ステップＳ８５０）。尚、停止図柄予告演出決定テーブル（図示略）は、停止図柄予告演出の非実行及び実行する場合に停止図柄予告演出の対象とする演出図柄表示エリアをいずれにするかを決定可能とされている。尚、実行しない場合はそのまま処理を終了する。
【０３１３】
ステップＳ８５０において停止図柄予告演出の実行を決定した場合、停止図柄予告演出の対象とする演出図柄表示エリアが２つか否かを判定し（ステップＳ８５２）、停止図柄予告演出の対象とする演出図柄表示エリアが２つである場合は、予告図柄表示パターン決定テーブルに基づいて、予告図柄の表示パターンを決定するとともに（ステップＳ８５３）、予告図柄表示間隔決定テーブルに基づいて、予告図柄の表示間隔を決定する（ステップＳ８５４）。そして、決定された予告図柄の表示パターンデータ及び表示間隔データを設定し（ステップＳ８５５）、処理を終了する。
【０３１４】
次に、停止図柄予告演出の実行状況の一例を図面に基づいて説明する。図２８は、滑り時の停止図柄予告演出の一例を示す説明図である。図２９は、擬似連時の停止図柄予告演出の一例を示す説明図である。
【０３１５】
図２８では、滑り演出が実行されるリーチ変動パターンが選択された場合の一例を示している。まず、「左」、「中」、「右」の各演出図柄表示エリア９Ｌ，９Ｃ，９Ｒにおける演出図柄の可変表示が開始された後（図２８（Ａ）参照）、所定期間が経過してから「左」の演出図柄表示エリア９Ｌに、例えば「白７」の予告図柄が表示される（図２８（Ｂ）参照）。そして、該「左」の演出図柄表示エリア９Ｌに予告図柄が表示されてから所定時間ｔ１（例えば、１秒）が経過した時点で、「右」の演出図柄表示エリア９Ｒに「白７」の予告図柄が表示される（図２８（Ｃ）参照）。すなわち、これら「白７−白７」の予告図柄により、リーチを構成する演出図柄の組合せが仮停止表示されることが予告される。
【０３１６】
その後、「左」の演出図柄表示エリア９Ｌに予告図柄通りの「黒７」の演出図柄が仮停止表示され（図２８（Ｄ）参照）、次いで、「右」の演出図柄表示エリア９Ｒには、「白７」の予告図柄とは数字が異なる「黒６」の演出図柄が仮停止表示された後（図２８（Ｅ）参照）、該「黒６」の演出図柄が再変動を開始して（滑り）（図２８（Ｆ）参照）、「右」の演出図柄表示エリア９Ｒに予告図柄通りの「黒７」の演出図柄が停止表示され、リーチを構成する「黒７−↓−黒７」図柄の組合せが表示される（図２８（Ｈ）参照）。
【０３１７】
図２９では、擬似連演出が実行されるリーチ変動パターンが選択された場合の一例を示している。まず、「左」、「中」、「右」の各演出図柄表示エリア９Ｌ，９Ｃ，９Ｒにおける演出図柄の可変表示が開始された後（図２９（Ａ）参照）、所定期間が経過してから「左」の演出図柄表示エリア９Ｌに「白７」の予告図柄が表示される（図２９（Ｂ）参照）。そして、該「左」の演出図柄表示エリア９Ｌに「白７」の予告図柄が表示されてから所定時間ｔ１よりも長いｔ２（例えば、３秒）が経過するまで、予告図柄を表示せずに、例えばキャラクタ等を表示するなどすることにより、所定時間ｔ１よりも長いｔ２（例えば、３秒）であることが示唆される（図２９（Ｃ）参照）。
【０３１８】
そして、「左」の演出図柄表示エリア９Ｌに「白７」の予告図柄が表示されてからｔ２（例えば、３秒）が経過した時点で、「右」の演出図柄表示エリア９Ｒに「白８」の予告図柄が表示される（図２９（Ｄ）参照）。すなわち、これら「白７−白８」の予告図柄により、擬似連チャンス目を構成する演出図柄の組合せ（例えば、「黒７−黒７−黒８」）が仮停止表示されることが予告される。
【０３１９】
その後、「左」の演出図柄表示エリア９Ｌに予告図柄通りの「黒７」の演出図柄が仮停止表示され（図２９（Ｅ）参照）、次いで、「右」の演出図柄表示エリア９Ｒにも予告図柄通りの「黒８」の演出図柄が仮停止表示された後（図２９（Ｆ）参照）、「中」の演出図柄表示エリア９Ｃに擬似連チャンス目を構成する「黒７−黒７−黒８」の演出図柄の組合せが仮停止表示される（図２９（Ｇ）参照）。そして、全ての演出図柄表示エリア９Ｌ，９Ｃ，９Ｒにて演出図柄の再変動が開始される（図２９（Ｈ）参照）。
【０３２０】
その後、再変動がある場合には図２９（Ｂ）に戻り、図２９（Ｂ）〜（Ｈ）を繰り返し、最終変動では、特に図示はしないが、リーチを構成する「白７−↓−白７」の予告図柄の組合せが表示された後、リーチを構成する「黒７−↓−黒７」の図柄の組合せが仮停止表示されて、リーチ演出に発展する。
【０３２１】
尚、本実施例では、滑り演出が実行されるリーチ変動パターンが選択された場合は最終停止図柄（確定演出図柄）に対する予告を実行し、擬似連演出が実行されるリーチ変動パターンが選択された場合は再変動時の仮停止表示される演出図柄に対する予告を一例に説明しているが、例えば表示結果が確変大当りＡになる場合に昇格演出が実行されるリーチ変動パターンが選択された場合、非確変大当り図柄の組合せが仮停止表示された後に再変動して確変大当り図柄の組合せが最終停止表示されるため、仮停止図柄として非確変大当り図柄（「通常大当り図柄」）の組合せに対応するリーチ図柄の組合せが決定されることになるので、このような場合は仮停止図柄に対する予告を実行することになる。
【０３２２】
以上説明したように、本発明の実施例としてのパチンコ遊技機１にあっては、複数の演出図柄表示エリア９Ｌ，９Ｃ，９Ｒに最終停止表示または仮停止表示される演出図柄の組合せは、その演出図柄の組合せが停止表示されることにより遊技者に対し付与（示唆）される価値が異なることで、遊技者は価値が高い演出図柄の組合せ、例えばリーチを構成する演出図柄の組合せよりも擬似連チャンス目を構成する演出図柄の組合せが表示されることを期待できるばかりか、一の演出図柄表示エリアに表示される演出図柄が予告された後、他の演出図柄表示エリアに表示される演出図柄が予告されるまでの期間の違い（例えば、１秒後か３秒後かなど）により、付与される価値が高い演出図柄の組合せのいずれが予告されるかどうかを予測しやすくなるため、付与される価値が高い演出図柄の組合せが予告されることに対する遊技者の興味を向上させることができる。
【０３２３】
尚、本発明の「複数の表示部に表示する識別情報」は、本実施例において、演出図柄表示エリア９Ｌ，９Ｃ，９Ｒに最終停止表示される最終停止図柄だけでなく、演出図柄表示エリア９Ｌ，９Ｃ，９Ｒに仮停止表示される仮停止図柄を含む。よって、本発明の「表示部に表示される識別情報を予告する識別情報予告」は、本実施例において、リーチ状態を構成する最終停止図柄や擬似連チャンス目を構成する仮停止図柄に対する停止図柄予告が含まれる。
【０３２４】
また、最終停止表示または仮停止表示される演出図柄により遊技者に対し付与（示唆）される「価値」とは、例えば、大当り遊技状態に制御されること、再変動表示されること、リーチ状態が成立すること、確変遊技状態に制御されること、突然確変遊技状態に制御されること等、遊技者にとって有利な状態になる可能性（期待度）を含む。
【０３２５】
具体的には、例えば、「５−↓―５」等のリーチ状態の図柄組合せは、遊技者に対しリーチ状態が成立する可能性だけでなく、大当り遊技状態に制御される可能性及び確変遊技状態に制御される可能性等を示唆し、「５−５―６」等の擬似連チャンス目の図柄組合せは、遊技者に対し擬似連再変動が実行される可能性を示唆する。
【０３２６】
また、例えば擬似連チャンス目の図柄組合せが仮停止表示され擬似連再変動が実行される回数が増えるほど大当りに対する信頼度が高まる場合において、リーチ状態の図柄組合せと擬似連チャンス目の図柄組合せとでは、擬似連チャンス目の図柄組合せが仮停止表示される方が遊技者に対して付与される価値が高いと言える。
【０３２７】
また、例えば奇数図柄組合せが仮停止表示される方が偶数図柄組合せが仮停止表示されるよりも確変大当りに対する信頼度が高まる場合において、奇数図柄組合せからなるリーチ状態と偶数図柄組合せからなるリーチ状態とでは、奇数図柄組合せからなるリーチ状態が仮停止表示される方が遊技者に対して付与される価値が高いと言える。
【０３２８】
但し、例えば偶数図柄組合せが仮停止表示される方が奇数図柄組合せが仮停止表示されるよりも確変大当りに対する信頼度が高まる場合（例えば、大当り偶数図柄組合せが仮停止表示されたときは、再変動表示されて大当り奇数図柄組合せが最終停止表示されることが多い場合）では、偶数図柄組合せからなるリーチ状態が仮停止表示される方が遊技者に対して付与される価値が高いと言える。
【０３２９】
また、例えば「７」図柄組合せが仮停止表示されるときは大当り遊技状態に制御されることが決定している場合において、「７」図柄組合せからなるリーチ状態とその他の図柄組合せからなるリーチ状態とでは、「７」図柄組合せからなるリーチ状態が仮停止表示される方が遊技者に対して付与される価値が高いと言える。
【０３３０】
また、本実施例では、３つの演出図柄表示エリア９Ｌ，９Ｃ，９Ｒに擬似連チャンス目を構成する演出図柄の組合せが仮停止表示された場合、再変動表示が開始されるようになっているため、擬似連チャンス目を構成する演出図柄の組合せの一部を構成する予告図柄が表示されることで、遊技者は再変動表示の開始を期待するようになるが、このような擬似連に関するチャンス目だけでなく、例えば特定演出（例えばスーパーリーチ演出等）に移行するためのチャンス目を予告の対象とすることも可能であり、この場合、遊技者は特定演出への移行に対して期待できるようになる。
【０３３１】
また、本実施例では、リーチを構成する演出図柄の組合せが決定された場合は第２期間である「３秒」や「５秒」よりも第１期間である「１秒」を高い割合で決定していたが、リーチを構成する演出図柄の組合せが選択された場合に１００％の割合で第１期間である「１秒」を決定してもよい。また、擬似連チャンス目を構成する演出図柄の組合せが選択された場合は第１期間である「１秒」よりも第２期間である「３秒」や「５秒」を高い割合で決定するとは、擬似連チャンス目を構成する演出図柄の組合せが選択された場合に１００％の割合で第２期間を決定することを含む。
【０３３２】
また、演出制御用ＣＰＵ１２０は、擬似連チャンス目を構成する演出図柄の組合せが選択された場合、リーチを構成する演出図柄の組合せが選択された場合よりも高い割合で、「１秒」よりも長い「３秒」や「５秒」を決定することで、一の演出図柄表示エリアに停止表示される演出図柄が予告された後、他の図柄表示エリアに停止表示される演出図柄が予告されるまでの期間が長いほど、リーチを構成する演出図柄の組合せよりも価値が高い擬似連チャンス目を構成する演出図柄の組合せが予告される可能性が高まるので、遊技者の期待感を持続させることが可能となる。
【０３３３】
また、演出表示装置９は、複数の演出図柄表示エリア９Ｌ，９Ｃ，９Ｒを有し、演出制御用ＣＰＵ１２０は、リーチを構成する演出図柄の組合せ及び擬似連チャンス目を構成する演出図柄の組合せを選択可能であり、例えば、演出図柄表示エリア９Ｒと演出図柄表示エリア９Ｃとに仮停止表示される演出図柄の組合せを予告する場合、演出図柄表示エリア９Ｌと演出図柄表示エリア９Ｒとに仮停止表示される演出図柄の組合せを予告する場合よりも高い割合で擬似連チャンス目を構成する演出図柄の組合せを選択することで、演出図柄表示エリア９Ｌと演出図柄表示エリア９Ｒとに仮停止表示される演出図柄の組合せが予告される場合より、それよりも後の演出図柄表示エリア９Ｒと演出図柄表示エリア９Ｃとに仮停止表示される演出図柄の組合せが予告される場合の方が、リーチを構成する予告図柄の組合せよりも価値が高い擬似連チャンス目を構成する予告図柄の組合せが予告される可能性が高まるので、遊技者の期待感を持続させることが可能となる。
【０３３４】
また、演出制御用ＣＰＵ１２０は、大当り遊技状態において付与される特典の一例としてのラウンド数が異なる複数種類の確変大当りＡ，Ｂ、通常大当りＣのうちからいずれかを決定可能であり、予告する演出図柄の表示順序を、確変大当りＡの場合、通常大当りＣの場合よりも高い割合で予告図柄表示パターンとして「右」、「左」を決定する部分ことで、大当り遊技状態に制御することが決定された場合、予告する演出図柄表示エリアの順序が、該大当り遊技状態において付与されるラウンド数に応じて異なることで、遊技者はいずれの演出図柄表示エリアから図柄が予告されるかに注目するようになるため、停止図柄予告の興趣が向上する。
【０３３５】
尚、本実施例では、大当り遊技状態において付与される特典の一例としてラウンド数が適用されていたが、このようなラウンド数に限定されるものではなく、例えば、大入賞口扉の開放時間や、大当り遊技状態の終了後に制御される確変遊技状態等も含まれる。また、これらのように大当り遊技状態中において遊技者が獲得可能な遊技価値に限られるものではなく、例えば、演出表示装置９等に特定の識別情報を表示し、該識別情報を携帯端末等にて読み取ることにより特定のウェブサイトへアクセスを許可することで、遊技客に対し所定のサービス（例えば、ミッション演出やプレミア演出の発生権利等）を提供することができるパチンコ遊技機１等においては、大当り遊技状態中や終了後において演出表示装置９等に表示される前記特定の識別情報等も含まれる。
【０３３６】
また、演出制御用ＣＰＵ１２０は、変動パターンとしてリーチはずれを伴う変動パターンが格納されている場合に、予告図柄表示パターンとして「右」、「中」及び「中」、「右」を決定しないことで、「右」、「中」及び「中」、「右」以外の表示部である「左」、「中」や「中」、「左」表示部に表示される演出図柄を予告することで、リーチ状態が成立したときに、「中」表示部に表示される演出図柄が大当り図柄の組合せを構成する演出図柄ではないことが予測され、表示結果が表示される前に遊技者の期待感が減衰してしまうことを防止できる。
【０３３７】
また、本実施例では、所定の演出図柄表示エリア９Ｌ，９Ｃ，９Ｒに最終停止表示または仮停止表示される演出図柄を予告する停止図柄予告演出の一例として、該演出図柄を特定可能な予告図柄を表示することにより予告を実施しているが、最終停止表示または仮停止表示される演出図柄を特定可能であれば、このように演出図柄を特定可能な予告図柄を表示するものに限定されるものではなく、図柄以外の表示情報（例えば、絵柄、文字、記号、キャラクタ画像、動画像等）により演出図柄を予告するものや、スピーカ２７等から出力する音声等の音情報により予告するものや、あるいは演出表示装置９とは別個に設けられた機械的構造物（役物、図示略）により予告するもの等を含む。
【０３３８】
また、本実施例では、予告の対象となる２つの演出図柄表示エリア及び予告図柄の表示順序を、「左」、「右」／「右」、「左」／「右」、「中」／「中」、「右」のうちからいずれかに決定していたが、このように２つの演出図柄表示エリアだけでなく、３つ以上の演出図柄表示エリア（例えば、「左」、「中」、「右」の演出図柄表示エリア）を予告の対象としてもよい。
【０３３９】
また、本実施例では、演出図柄表示エリア９Ｌ，９Ｃ，９Ｒの数（例えば、３つ）よりも少ない数（本実施例では、１回か２回）しか停止図柄予告を行わないが、演出図柄表示エリア９Ｌ，９Ｃ，９Ｒの数（例えば、３つ）よりも多い数（例えば、４回）の停止図柄予告を行うようにしてもよい。この場合、例えば所定の演出図柄表示エリアに既に表示されている予告図柄を新たな予告図柄に書き換えて表示すればよい。
【０３４０】
具体的には、例えば各演出図柄表示エリア９Ｌ，９Ｃ，９Ｒの最終停止図柄として「１-２-１」の予告図柄を表示した場合、演出図柄表示エリア９Ｌ，９Ｃ，９Ｒに予告図柄通りの演出図柄が停止表示される前に、例えば「中」の演出図柄表示エリア９Ｃに表示されている予告図柄である「２」を「１」に書き換え表示することで、最終的に「１-１-１」の大当り図柄の組合せが最終停止表示されることが予告されることになる。
【０３４１】
また、本実施例では、遊技者に付与される価値が高い最終停止図柄や仮停止図柄が決定された場合、一の演出図柄表示エリアに停止表示される演出図柄が予告された後、他の図柄表示エリアに停止表示させる演出図柄が予告されるまでの期間として「１秒」よりも長い「３秒」「５秒」を決定していたが、停止図柄予告において３以上の演出図柄表示エリアが予告の対象として決定された場合、例えば、第１演出図柄表示エリアに停止表示される演出図柄が予告された後、第２図柄表示エリアに停止表示させる演出図柄が予告されるまでの第１の期間と、第２演出図柄表示エリアに停止表示される演出図柄が予告された後、第３図柄表示エリアに停止表示させる演出図柄が予告されるまでの第２の期間と、をそれぞれ決定する、つまり複数の期間を決定可能としてもよい。また、このように複数の期間を決定可能とする場合、遊技者に付与される価値が高い最終停止図柄や仮停止図柄が決定された場合、第２の期間として、第１の期間より長い期間が決定されるようにすることで、遊技者の期待感を持続させることが可能となる。
【０３４２】
また、本実施例では、例えば「左」の演出図柄表示エリア９Ｌに停止表示される演出図柄を特定可能な予告図柄を、該当する演出図柄表示エリア９Ｌに表示した後、「右」の演出図柄表示エリア９Ｒに表示される演出図柄を特定可能な予告図柄を、該当する演出図柄表示エリア９Ｒに表示するようにしていたが、予告の対象となる演出図柄表示エリアを特定可能であれば、該当する演出図柄表示エリア以外に表示してもよい。
【０３４３】
また、本実施例では、例えば「左」の演出図柄表示エリア９Ｌに停止表示される演出図柄を特定可能な予告図柄を表示した後、所定期間が経過してから「右」の演出図柄表示エリア９Ｒに表示される演出図柄を特定可能な予告図柄を表示していたが、このような表示態様は種々に変更可能である。
【０３４４】
図３０は、変形例としての停止図柄予告演出を示す説明図である。
【０３４５】
図３０では、「左」、「中」、「右」の各演出図柄表示エリア９Ｌ，９Ｃ，９Ｒにおける演出図柄の可変表示が開始された後（図３０（Ａ）参照）、所定期間が経過してから「左」の演出図柄表示エリア９Ｌに、例えば「白２」の予告図柄が表示される（図３０（Ｂ）参照）。そして、該「左」の演出図柄表示エリア９Ｌに予告図柄が表示されてから所定時間ｔ１（例えば、１秒）が経過した時点で、「左」の演出図柄表示エリア９Ｌに表示された予告図柄の分裂表示が開始され、演出図柄表示エリア９Ｒに向けて分裂された予告図柄が移動していき（図３０（Ｃ）参照）、最終的に「右」の演出図柄表示エリア９Ｒに「白２」の予告図柄が表示される（図３０（Ｄ）参照）。このように、一の表示部に対する予告図柄が分裂して他の表示部の予告図柄を構成するようにしてもよい。
【０３４６】
尚、この場合、「左」の演出図柄表示エリア９Ｌに予告図柄が表示されてから所定時間ｔ１（例えば、１秒）が経過した時点で、「左」の演出図柄表示エリア９Ｌに表示された予告図柄の分裂表示が開始されるようにしていたが、「左」の演出図柄表示エリア９Ｌに予告図柄が表示されてから予告図柄の分裂表示を開始し、所定時間が経過した時点で「右」の演出図柄表示エリア９Ｒに分裂された予告図柄が表示されるようにしてもよい。このようにすることで、一の表示部に予告図柄を表示してから他の表示部に予告図柄を表示するまでの期間に分裂状況等を表示することにより、その分裂態様の違いにより遊技者の期待感を向上させることが可能となる。
【０３４７】
図３１は、他の変形例としての停止図柄予告演出を示す説明図である。
【０３４８】
図３１では、「左」、「中」、「右」の各演出図柄表示エリア９Ｌ，９Ｃ，９Ｒにおける演出図柄の可変表示が開始された後（図３１（Ａ）参照）、所定期間が経過してから「左」の演出図柄表示エリア９Ｌに、例えば「黒７」の演出図柄を特定可能な「白７」の図柄及び該演出図柄の付属情報の一例としてのキャラクタＣ１（点線）からなる予告図柄が表示される（図３１（Ｂ）参照）。そして、該「左」の演出図柄表示エリア９Ｌに予告図柄が表示されてから所定時間ｔ１（例えば、３秒）が経過した時点で、「右」の演出図柄表示エリア９Ｒに、例えば「黒５」の演出図柄を特定可能な「白５」の図柄及び該演出図柄の付属情報の一例としてのキャラクタＣ１とは別のキャラクタＣ２からなる予告図柄が表示される（図３１（Ｃ）参照）。
【０３４９】
次いで、「左」の演出図柄表示エリア９Ｌに「黒７」の図柄及び該図柄の付属情報であるキャラクタＣ１からなる予告図柄が仮停止表示された後（図３１（Ｄ）参照）、「右」の演出図柄表示エリア９Ｒに、「黒５」の図柄及び該図柄の付属情報であるキャラクタＣ２とは異なる予告図柄（例えば、「黒３」の図柄及び該図柄の付属情報であるキャラクタＣ１，Ｃ２とは別のキャラクタＣ３からなる予告図柄）が仮停止表示される（図３１（Ｅ）参照）。つまり、「右」の演出図柄表示エリア９Ｒには、予告図柄とは異なる予告図柄が仮停止表示されたことになる。
【０３５０】
そして、「右」の演出図柄表示エリア９Ｒに仮停止表示された予告図柄の付属情報であるキャラクタＣ３が動き出し（図３１（Ｆ）参照）、予告図柄を変える等してリーチ状態にしてしまう演出が実行され、これによりスーパーリーチ演出等に発展するようにしてもよい。
【０３５１】
このように予告図柄は、上記のように数字とキャラクタＣ１〜Ｃ３や背景画像等の付属情報とからなるものでもよく、上記のように予告図柄通りに演出図柄が仮停止表示されなかった場合や、あるいは付与される価値が低い予告図柄通りに演出図柄が仮停止表示された場合等、予告内容と仮停止表示された演出図柄とが一致しない場合や、期待できない演出図柄が仮停止表示された場合において、特定演出に移行するようにしてもよい。このようにすることで、仮停止表示された後も、その結果に関わらず、特定演出への移行に対する期待感を持続させることができる。
【０３５２】
また、予告図柄は、対応する演出図柄を示唆可能なものであれば、例えば、図２８の「白７」ように数字のみからなる図柄だけでなく、図３１に示すように数字とキャラクタＣ１〜Ｃ３や背景画像等の付属情報とからなるものでもよいし、あるいは、演出図柄を半透明に表示するものや、演出図柄の一部だけを表示したものや、上記キャラクタＣ１〜Ｃ３を含む図柄のシルエットを表示するもの等であってもよい。
【０３５３】
以上、本発明の実施例を図面により説明してきたが、具体的な構成はこれら実施例に限られるものではなく、本発明の要旨を逸脱しない範囲における変更や追加があっても本発明に含まれる。
【０３５４】
例えば、前記実施例では、パチンコ遊技機などの遊技機に適用可能であり、特に、可変表示装置における識別情報の表示結果があらかじめ定められた特定表示結果となったときに、遊技者にとって有利な有利状態に制御する遊技機に好適に適用される。
【０３５５】
また、本実施例では、貸し出された貸出球や払い出された賞球が遊技者により指触可能に構成されたパチンコ遊技機１とされていたが、例えば、予め定められた球数の遊技球が遊技機内部に循環可能に内封され、遊技者による貸出要求に応じて貸し出された貸出球や、入賞に応じて付与された賞球数が加算される一方、遊技に使用されたパチンコ球数が減算されて記憶される、所謂、封入式遊技機にも本発明を適用可能である。
【０３５６】
また、前記実施例では、遊技媒体の一例として、球状のパチンコ球（遊技球）が適用されていたが、球状の遊技媒体に限定されるものではなく、例えばメダル等の非球状の遊技媒体であってもよい。また、遊技機はパチンコ遊技機に限定されるものではなく、遊技用価値を用いて１ゲームに対して所定数の賭数を設定することによりゲームが開始可能となるとともに、各々が識別可能な複数種類の図柄を変動表示可能な可変表示装置に表示結果が導出されることにより１ゲームが終了し、該可変表示装置に導出された表示結果に応じて入賞が発生可能とされたスロットマシンであってもよい。
【符号の説明】
【０３５７】
１        パチンコ遊技機
８ａ      第１特別図柄表示器
８ｂ      第２特別図柄表示器
９        演出表示装置
１３      第１始動入賞口
１４      第２始動入賞口
２０      特別可変入賞球装置
３１      遊技制御基板（主基板）
５６      遊技制御用ＣＰＵ
８０      演出制御基板
１００    演出制御用マイクロコンピュータ
１２０    演出制御用ＣＰＵ
１５６    遊技制御用マイクロコンピュータ
【図１】
0005612622.tif 000002
【図２】
0005612622.tif 000003
【図３】
0005612622.tif 000004
【図４】
0005612622.tif 000005
【図５】
0005612622.tif 000006
【図６】
0005612622.tif 000007
【図７】
0005612622.tif 000008
【図８】
0005612622.tif 000009
【図９】
0005612622.tif 000010
【図１０】
0005612622.tif 000011
【図１１】
0005612622.tif 000012
【図１２】
0005612622.tif 000013
【図１３】
0005612622.tif 000014
【図１４】
0005612622.tif 000015
【図１５】
0005612622.tif 000016
【図１６】
0005612622.tif 000017
【図１７】
0005612622.tif 000018
【図１８】
0005612622.tif 000019
【図１９】
0005612622.tif 000020
【図２０】
0005612622.tif 000021
【図２１】
0005612622.tif 000022
【図２２】
0005612622.tif 000023
【図２３】
0005612622.tif 000024
【図２４】
0005612622.tif 000025
【図２５】
0005612622.tif 000026
【図２６】
0005612622.tif 000027
【図２７】
0005612622.tif 000028
【図２８】
0005612622.tif 000029
【図２９】
0005612622.tif 000030
【図３０】
0005612622.tif 000031
【図３１】
0005612622.tif 000032